(57)【特許請求の範囲】
【請求項１】
放送受信装置の要約コンテンツサービス方法において、
コンテンツを受信するステップと、
前記コンテンツに含まれた映像及びオーディオデータのうち少なくとも１つを分析し、予め設定された条件に対応する少なくとも１つのイベント区間を検出するステップと、
前記検出された少なくとも１つのイベント区間に基づいて要約コンテンツを生成するステップと
を含み、前記要約コンテンツを生成するステップは、
前記少なくとも１つのイベント区間の検出された時間を基準に予め設定された固定時間に存在する前後映像区間と前記少なくとも１つのイベント区間とに基づいて前記要約コンテンツを生成する要約コンテンツサービス方法。
【請求項２】
前記コンテンツは、スポーツ関連コンテンツであり、
前記放送受信装置は、スポーツ関連コンテンツに対する要約コンテンツに関連する試合状況条件を保存し、
前記検出するステップは、
前記コンテンツに含まれた映像データを分析し、前記保存された試合状況条件に対応する映像区間を少なくとも１つのイベント区間として検出することを特徴とする請求項１に記載の要約コンテンツサービス方法。
【請求項３】
前記検出するステップは、
前記コンテンツに含まれたオーディオデータを分析し、予め設定された臨界レベル以上のオーディオ信号レベルを有する映像区間をイベント区間として検出することを特徴とする請求項１に記載の要約コンテンツサービス方法。
【請求項４】
前記検出するステップは、
前記コンテンツに含まれたオーディオデータに対するＳＴＴ分析を行ってテキストデータを生成し、前記生成されたテキストデータを用いて要約コンテンツに関連する予め設定された単語の含まれた映像区間をイベント区間として検出することを特徴とする請求項１に記載の要約コンテンツサービス方法。
【請求項５】
前記生成するステップは、
前記検出された少なくとも１つのイベント区間に対する映像区間のイメージ情報に含まれた色相及び色相別の割合値に基づいて前記コンテンツがスポーツ関連コンテンツか否かを判断するステップと、
前記スポーツ関連コンテンツである場合、前記少なくとも１つのイベント区間が検出された時間情報に基づいてコンテンツ要約区間を決定するステップと
を含むことを特徴とする請求項１に記載の要約コンテンツサービス方法。
【請求項６】
前記判断するステップは、
前記少なくとも１つのイベント区間に対する映像区間のイメージ情報に含まれた色相のうち予め定義されたフィールドカラーに対応する色相の割合値が予め設定された第１臨界値以上か否かに応じて、前記コンテンツが前記スポーツ関連コンテンツか否かを判断することを特徴とする請求項５に記載の要約コンテンツサービス方法。
【請求項７】
前記判断するステップは、
前記検出された少なくとも１つのイベント区間に対する映像区間と隣接した周辺映像区間のイメージ情報に含まれた色相のうち前記フィールドカラーに対応する色相の割合値が予め設定された第２臨界値以上か否かに応じて、スポーツに対するプレイ状況を判断することを特徴とする請求項６に記載の要約コンテンツサービス方法。
【請求項８】
前記判断するステップは、
前記検出された少なくとも１つのイベント区間に対する映像区間のイメージから試合進行状況をガイドするガイド領域を抽出し、前記抽出されたガイド領域に基づいてスポーツに対するプレイ状況を判断し、
前記ガイド領域は、
試合スコア及び試合進行時間のうち少なくとも１つを表す領域であることを特徴とする請求項６に記載の要約コンテンツサービス方法。
【請求項９】
前記コンテンツ要約区間を決定するステップは、
獲得した前後映像区間のうち少なくとも１つのシーン（Ｓｃｅｎｅ）変化発生有無に応じて、前記固定時間を可変することを特徴とする請求項５に記載の要約コンテンツサービス方法。
【請求項１０】
前記少なくとも１つのイベント区間が検出されると、前記検出された少なくとも１つのイベント区間に対する映像区間からサムネールイメージを獲得するステップと、
前記生成された要約コンテンツ及び前記要約コンテンツに関連して予め獲得したサムネールイメージをマッチングさせて保存するステップと、
ユーザ命令に応じて、予め保存された前記コンテンツに対する要約コンテンツ及び前記要約コンテンツとマッチングされたサムネールイメージを出力するステップと
を更に含むことを特徴とする請求項５に記載の要約コンテンツサービス方法。
【請求項１１】
前記獲得するステップは、
前記サムネールイメージが複数個の場合、複数のサムネールイメージのうち予め定義された有効フィールドカラーに対応する色相の数が最も少ないサムネールイメージまたは前記複数のサムネールイメージのそれぞれに含まれた同一のオブジェクトのうちサイズが最も大きいオブジェクトを含むサムネールイメージを獲得することを特徴とする請求項１０に記載の要約コンテンツサービス方法。
【請求項１２】
コンテンツを受信する受信部と、
前記コンテンツを出力する出力部と、
前記コンテンツに含まれた映像及びオーディオデータのうち少なくとも１つを分析して予め設定された条件に対応する少なくとも１つのイベント区間を検出し、
前記検出された少なくとも１つのイベント区間に基づいて要約コンテンツを生成して前記出力部を介して出力されるように制御する制御部と
を含み、前記制御部は、前記少なくとも１つのイベント区間の検出された時間を基準に予め設定された固定時間に存在する前後映像区間と前記少なくとも１つのイベント区間とに基づいて前記要約コンテンツを生成する放送受信装置。
【請求項１３】
放送受信装置の要約コンテンツサービス方法において、
複数の映像フレームの画素値を比較して要約コンテンツサービスのためのイベント領域を検出するステップと、
映像フレームが入力されると、前記入力された映像フレームから前記検出されたイベント領域に対応する領域を検出し、前記対応する領域に含まれた文字の変化に基づいて少なくとも１つのイベント区間を検出するステップと、
前記検出された少なくとも１つのイベント区間に基づいて要約コンテンツを生成するステップと
を含み、前記要約コンテンツを生成するステップは、
前記少なくとも１つのイベント区間の検出された時間を基準に予め設定された固定時間に存在する前後映像区間と前記少なくとも１つのイベント区間とに基づいて前記要約コンテンツを生成する要約コンテンツサービス方法。
【請求項１４】
前記検出するステップは、
複数の映像フレームのうち第１及び第２映像フレーム間の相互対応する各画素領域別の画素差と予め設定された臨界値とを比較し、前記臨界値未満の画素差を有する画素領域の数を算出するステップと、
前記臨界値未満の画素差を有する画素領域の数が予め設定された臨界画素数未満である場合、予め設定された臨界回数以上連続的に検出されるか否かを判断するステップと、
前記予め設定された臨界回数以上連続的に検出されると、前記臨界値未満の画素差を有する画素領域に基づいて前記イベント領域を検出及び保存するステップと
を含むことを特徴とする請求項１３に記載の要約コンテンツサービス方法。
【発明の詳細な説明】
【技術分野】
【０００１】
本発明は、放送受信装置及び方法に関し、より詳細には、スポーツ関連コンテンツに対する要約コンテンツサービス提供のための放送受信装置及び方法に関する。
【背景技術】
【０００２】
従来の放送受信装置は、現在ディスプレイ中のコンテンツに対する要約コンテンツ（以下、ハイライト映像という）を外部から受信して画面上にディスプレイする。このようなハイライト映像は、ハイライト映像に関連するコンテンツ再生が一定時間経過した後に外部サーバから生成されて放送受信装置に伝送される。
【０００３】
例えば、サッカーのようなスポーツコンテンツに対するハイライト映像の場合、外部サーバは、サッカー試合の前半或いは前後半が全て終わった後に、当該スポーツコンテンツに対するハイライト映像を生成して放送受信装置に伝送する。それにより、放送受信装置は、サッカー試合の前半或いは前後半が終わった後に当該サッカー試合に関連し、外部サーバから生成されたハイライト映像を受信して画面上にディスプレイする。
【０００４】
よって、視聴者は、現在視聴中のサッカー試合の一部を視聴できていない状況でゴールの映像のようなイベントが発生した場合、当該イベントに関連する映像区間を含むハイライト映像が外部サーバから受信される前までに当該イベントが発生した映像区間の視聴を待たなければならないという不都合を強いられていた。
【発明の概要】
【発明が解決しようとする課題】
【０００５】
そこで、本発明は、上記問題に鑑みてなされたものであり、本発明の第１の目的は、放送受信装置で再生中のコンテンツに対する要約コンテンツをリアルタイムで生成することにある。
【０００６】
更に、本発明の第２の目的は、放送受信装置で再生中のコンテンツ及び要約コンテンツのうち少なくとも１つを再生する要約コンテンツサービスを提供することにある。
【課題を解決するための手段】
【０００７】
以上のような目的を達成するための本発明の一実施形態に係る放送受信装置の要約コンテンツ生成方法は、コンテンツを受信するステップと、前記コンテンツに含まれた映像及びオーディオデータのうち少なくとも１つを分析し、予め設定された条件に対応する少なくとも１つのイベント区間を検出するステップと、前記検出された少なくとも１つのイベント区間に基づいて要約コンテンツを生成するステップとを含む。
【０００８】
そして、前記コンテンツは、スポーツ関連コンテンツであり、前記放送受信装置は、スポーツ関連コンテンツに対する要約コンテンツに関連する試合状況条件を保存し、前記検出するステップは、前記コンテンツに含まれた映像データを分析し、前記保存された試合状況条件に対応する映像区間を少なくとも１つのイベント区間として検出してよい。
【０００９】
なお、前記検出するステップは、前記コンテンツに含まれたオーディオデータを分析し、予め設定された臨界レベル以上のオーディオ信号レベルを有する映像区間をイベント区間として検出してよい。
【００１０】
そして、前記検出するステップは、前記コンテンツに含まれたオーディオデータに対するＳＴＴ分析を行ってテキストデータを生成し、前記生成されたテキストデータを用いて要約コンテンツに関連する予め設定された単語の含まれた映像区間をイベント区間として検出してよい。
【００１１】
なお、前記生成するステップは、前記検出された少なくとも１つのイベント区間に対する映像区間のイメージ情報に含まれた色相及び色相別の割合値に基づいて前記コンテンツがスポーツ関連コンテンツか否かを判断するステップと、前記スポーツ関連コンテンツである場合、前記少なくとも１つのイベント区間が検出された時間情報に基づいてコンテンツ要約区間を決定するステップとを含んでよい。
【００１２】
そして、前記判断するステップは、前記少なくとも１つのイベント区間に対する映像区間のイメージ情報に含まれた色相のうち予め定義されたフィールドカラーに対応する色相の割合値が予め設定された第１臨界値以上か否かに応じて、前記コンテンツが前記スポーツ関連コンテンツか否かを判断してよい。
【００１３】
なお、前記判断するステップは、前記検出された少なくとも１つのイベント区間に対する映像区間と隣接した周辺映像区間のイメージ情報に含まれた色相のうち前記フィールドカラーに対応する色相の割合値が予め設定された第２臨界値以上か否かに応じて、前記スポーツに対するプレイ状況を判断してよい。
【００１４】
そして、前記判断するステップは、前記検出された少なくとも１つのイベント区間に対する映像区間のイメージから試合進行状況をガイドするガイド領域を抽出し、前記抽出されたガイド領域に基づいて前記スポーツに対するプレイ状況を判断し、前記ガイド領域は、試合スコア及び試合進行時間のうち少なくとも１つを表す領域であってよい。
【００１５】
なお、前記要約コンテンツ区間を決定するステップは、前記少なくとも１つのイベント区間の検出された時間を基準に予め設定された固定時間に存在する前後映像区間を獲得し、前記獲得した前後映像区間と前記少なくとも１つのイベント区間に対する映像区間とを前記コンテンツ要約区間として決定してよい。
【００１６】
そして、前記コンテンツ要約区間を決定するステップは、前記獲得した前後映像区間のうち少なくとも１つのシーン（Ｓｃｅｎｅ）変化発生有無に応じて、前記固定時間を可変してよい。
【００１７】
なお、前記少なくとも１つのイベント区間が検出されると、前記検出された少なくとも１つのイベント区間に対する映像区間からサムネールイメージを獲得するステップと、前記生成された要約コンテンツ及び前記要約コンテンツに関連して予め獲得したサムネールイメージをマッチングさせて保存するステップと、ユーザ命令に応じて、予め保存された前記コンテンツに対する要約コンテンツ及び前記要約コンテンツとマッチングされたサムネールイメージを出力するステップとを更に含んでよい。
【００１８】
そして、前記獲得するステップは、前記サムネールイメージが複数個の場合、前記複数のサムネールイメージのうち予め定義された有効フィールドカラーに対応する色相の数が最も少ないサムネールイメージまたは前記複数のサムネールイメージのそれぞれに含まれた同一のオブジェクトのうちサイズが最も大きいオブジェクトを含むサムネールイメージを獲得してよい。
【００１９】
一方、前記目的を達成するための本発明の別の実施形態に係る放送受信装置は、コンテンツを受信する受信部と、前記コンテンツを出力する出力部と、前記コンテンツに含まれた映像及びオーディオデータのうち少なくとも１つを分析して予め設定された条件に対応する少なくとも１つのイベント区間を検出し、前記検出された少なくとも１つのイベント区間に基づいて要約コンテンツを生成して前記出力部を介して出力されるように制御する制御部とを含む。
【００２０】
一方、前記目的を達成するための本発明の別の実施形態に係る放送受信装置の要約コンテンツサービス方法は、複数の映像フレームの画素値を比較して要約コンテンツサービスのためのイベント領域を検出するステップと、映像フレームが入力されると、前記入力された映像フレームから前記検出されたイベント領域に対応する領域を検出し、前記対応する領域の文字変化を検知してイベント発生有無を検知するステップと、前記イベント発生の検知された結果に基づいて要約コンテンツを生成するステップとを含む。
【００２１】
そして、前記検出するステップは、複数の映像フレームのうち第１及び第２映像フレーム間の相互対応する各画素領域別の画素差と予め設定された臨界値とを比較し、前記臨界値未満の画素差を有する画素領域の数を算出するステップと、前記臨界値未満の画素差を有する画素領域の数が予め設定された臨界画素数未満である場合、予め設定された臨界回数以上連続的に検出されるか否かを判断するステップと、前記予め設定された臨界回数以上連続的に検出されると、前記臨界値未満の画素差を有する画素領域に基づいて前記イベント領域を検出及び保存するステップとを含んでよい。
【００２２】
なお、前記算出するステップは、前記臨界値未満の画素差を有する画素領域と残りの画素領域の変数を異なるように適用し、前記臨界値未満の画素差を有する画素領域に適用された変数の数から前記画素領域の数を算出してよい。
【００２３】
そして、前記検出するステップは、前記イベント領域を分析してイベント発生有無を判断するためのソース情報を生成するステップを更に含み、前記イベント領域は、スポーツ試合関連スコアボード領域であり、前記ソース情報は、試合時間領域、スコア領域及びチーム領域のうち少なくとも１つを含んでよい。
【００２４】
なお、前記ソース情報を生成するステップは、前記イベント領域内の各画素領域別に設定された変数のうち、画素差の発生を表す変数に設定された画素領域に基づいて前記試合時間領域を含むソース情報を生成して保存してよい。
【００２５】
そして、前記ソース情報を生成するステップは、数字認識アルゴリズムを用いて前記イベント領域から数字を検出し、検出された数字が少なくとも２つ以上の連続的に存在すると、前記数字の検出された画素領域に基づいて前記試合時間領域を含むソース情報を生成して保存してよい。
【００２６】
なお、前記ソース情報を生成するステップは、文字認識アルゴリズムを用いて前記試合時間領域、スコア領域及びチーム領域のうち少なくとも１つを含むソース情報を生成して保存してよい。
【００２７】
そして、前記検知するステップは、前記映像フレームが入力されると、前記イベント領域の各画素領域に対応する前記映像フレームの画素領域を分析し、前記イベント領域に対応する領域が存在するか否かを判断するステップと、前記イベント領域に対応する領域が存在すると、前記ソース情報に基づいて前記イベント領域及び前記イベント領域に対応する領域を分析してイベント発生有無を検知するステップとを含んでよい。
【００２８】
なお、前記判断するステップは、前記イベント領域のうち前記試合時間領域を除く残りの画素領域と、前記残りの画素領域に対応する前記映像フレームの画素領域から算出された画素差のうち、予め設定された臨界値未満の画素差を有する前記映像フレームの画素領域数を獲得するステップと、前記イベント領域のうち前記試合時間領域を除く残りの画素領域数対比前記予め設定された臨界値未満の画素差を有する画素領域数の割合値が予め設定された画素割合値未満である場合、前記イベント領域に対応する領域をイベント領域として判断するステップとを含んでよい。
【００２９】
そして、前記検知するステップは、前記ソース情報にスコア領域が含まれていない場合、前記イベント領域に対応する領域のうち前記試合時間領域を除く残りの画素領域に対応する画素領域に設定された変数に基づいてスコア領域を決定し、前記イベント領域から前記決定されたスコア領域に対応するスコア領域を決定するステップと、数字認識アルゴリズムを用いて前記それぞれのスコア領域から数字を認識して数字変化有無に応じてイベント発生有無を検知するステップとを含んでよい。
【００３０】
なお、前記検知するステップは、前記ソース情報にスコア領域が含まれている場合、前記イベント領域に対応する領域のうち前記スコア領域に対応する領域を検出し、数字認識アルゴリズムを用いて前記検出された領域と前記スコア領域から数字を認識して数字変化有無に応じてイベント発生有無を検知してよい。
【００３１】
そして、前記検知するステップは、前記それぞれのスコア領域から認識された数字の変化に応じてイベントが発生したと検知されると、前記イベント領域及びソース情報を前記イベント領域に対応する領域及び前記領域に関連するソース情報にアップデートしてよい。
【００３２】
一方、前記目的を達成するための本発明の更に別の実施形態に係る放送受信装置は、コンテンツを録画保存する保存部と、前記コンテンツに対する複数の映像フレームの画素値を比較して要約コンテンツサービスのためのイベント領域を検出し、前記検出されたイベント領域を前記保存部に保存し、前記イベント領域が検出された後、映像フレームが入力されると、前記入力された映像フレームから前記検出されたイベント領域に対応する領域を検出し、前記対応する領域の文字変化を検知してイベント発生有無を検知し、前記イベント発生の検知された結果に基づいて要約コンテンツを生成する制御部とを含む。
【００３３】
一方、前記目的を達成するための本発明の更に別の実施形態に係る放送受信装置の要約コンテンツサービス方法は、ユーザの選択したコンテンツの映像及びオーディオデータをデコードするステップと、前記デコードされた映像データの映像イメージを分析して少なくとも１つの候補サムネールイメージを決定して保存するステップと、前記デコードされた映像及びオーディオデータのうち少なくとも１つを分析してイベント発生による要約コンテンツを生成するステップと、前記要約コンテンツに含まれた時間情報に基づいて前記要約コンテンツに対応する候補サムネールイメージを前記要約コンテンツの代表サムネールイメージとして決定するステップとを含む。
【００３４】
そして、前記保存するステップは、前記デコードされた映像データの映像イメージのうちズームインショット（Ｚｏｏｍ−Ｉｎ  Ｓｈｏｔ）イメージを前記少なくとも１つの候補サムネールイメージとして決定して保存してよい。
【００３５】
なお、前記保存するステップは、前記デコードされた映像データ別の映像イメージを分析して有効フィールドカラーに対応する色相の画素割合値を算出し、算出された画素割合値と予め設定された基準画素割合値とを比較し、前記基準画素割合値未満の画素割合値を有する映像イメージを候補サムネールイメージとして決定して保存してよい。
【００３６】
そして、前記保存するステップは、前記デコードされた映像データ別の映像イメージに含まれたオブジェクトのうち予め設定された臨界サイズ以上のオブジェクトを含む映像イメージを候補サムネールイメージとして決定して保存してよい。
【００３７】
なお、前記保存するステップは、前記少なくとも１つの候補サムネールイメージとして決定された映像イメージと以前の映像イメージとのヒストグラムに基づいてシーン変化率を決定し、前記決定されたシーン変化率と予め設定された基準変化率を比較し、前記予め設定された基準変化率未満のシーン変化率を有する候補サムネールイメージを除く残りの予め保存された候補サムネールイメージを削除させてよい。
【００３８】
そして、前記決定するステップは、前記要約コンテンツの再生区間内に属する候補サムネールイメージが予め保存されているか否かを判断するステップと、前記要約コンテンツの再生区間内に属する候補サムネールイメージが予め保存されている場合、前記候補サムネールイメージを代表サムネールイメージとして決定し、前記要約コンテンツの再生区間内に属する候補サムネールイメージが予め保存されていない場合、前記要約コンテンツの再生が終了する区間の映像イメージを代表サムネールイメージとして決定するステップと、前記決定された代表サムネールイメージと前記要約コンテンツとをマッチングさせて保存するステップとを含んでよい。
【００３９】
なお、前記少なくとも１つのコンテンツの映像及びオーディオデータがデコードされると、前記デコードされた映像データの映像イメージ及び前記映像イメージの前後映像イメージを分析して上下左右のうち少なくとも１つの領域にブラックイメージが連続的に検出されるか否かに応じて、前記ブラックイメージの除去された映像イメージを生成するステップを更に含んでよい。
【００４０】
一方、前記目的を達成するための本発明の更に別の実施形態に係る放送受信装置は、ユーザの選択したコンテンツの映像及びオーディオデータをデコードするデコード部と、少なくとも１つの候補サムネールイメージを保存する保存部と、前記デコードされた映像及びオーディオデータのうち少なくとも１つを分析してイベント発生による要約コンテンツを生成し、前記要約コンテンツに含まれた時間情報に基づいて前記保存部に保存された少なくとも１つの候補サムネールイメージのうち前記要約コンテンツに対応する候補サムネールイメージを前記要約コンテンツの代表サムネールイメージとして決定して前記保存部に保存する制御部とを含む。
【００４１】
一方、前記目的を達成するための本発明の更に別の実施形態に係る放送受信装置の要約コンテンツサービス方法は、少なくとも１つのコンテンツの映像及びオーディオデータをデコードするステップと、前記デコードされたコンテンツの映像及びオーディオデータのうち少なくとも１つを分析して予め設定された条件に対応する少なくとも１つのイベント区間を検出するステップと、前記検出されたイベント区間に基づいて要約コンテンツを生成するステップと、ユーザ命令に応じて、前記コンテンツ及び前記要約コンテンツのうち少なくとも１つを出力するステップとを含む。
【００４２】
そして、前記出力するステップは、第１ユーザ命令に応じて、前記コンテンツ及び前記コンテンツに関連する要約コンテンツを同時に出力し、第２ユーザ命令に応じて、前記コンテンツ及び他コンテンツに関連する要約コンテンツを同時に出力してよい。
【００４３】
なお、前記デコードするステップは、前記ユーザ命令が第１ユーザ命令である場合、第１デコード部を介してコンテンツの映像及びオーディオデータをデコードし、第２デコード部を介して前記コンテンツに関連する要約コンテンツをデコードし、前記出力するステップは、前記第１及び第２デコード部を介してデコードされたコンテンツ及び前記コンテンツに関連する要約コンテンツを同時に出力してよい。
【００４４】
そして、デマルチプレキシング部を介して複数のチャネルのうちユーザ命令に対応するチャネルのコンテンツを抽出するステップを更に含み、前記デコードするステップは、前記デマルチプレキシング部から抽出されたコンテンツの映像及びオーディオデータを前記第１デコード部を介してデコードし、前記生成するステップは、前記デマルチプレキシング部から抽出されたコンテンツに基づいて要約コンテンツを生成してよい。
【００４５】
なお、第１及び第２デマルチプレキシング部を介して複数のチャネルのうちユーザ命令に対応するチャネルのコンテンツを抽出するステップを更に含み、前記デコードするステップは、前記第１デマルチプレキシング部から抽出されたコンテンツの映像及びオーディオデータを前記第１デコード部を介してデコードし、前記生成するステップは、前記第２デマルチプレキシング部から抽出されたコンテンツ及びイベント区間の検出された時間情報に基づいて要約コンテンツを生成してよい。
【００４６】
そして、第１ないし第３デマルチプレキシング部を介して複数のチャネルのうちユーザ命令に対応するチャネルのコンテンツを抽出するステップを更に含み、前記デコードするステップは、前記第１デマルチプレキシング部から抽出されたコンテンツの映像及びオーディオデータを前記第１デコード部を介してデコードし、前記第３デマルチプレキシング部から抽出されたコンテンツの映像及びオーディオデータを第３デコード部を介してデコードし、前記生成するステップは、前記第２デマルチプレキシング部から抽出されたコンテンツ及びイベント区間の検出された時間情報に基づいて要約コンテンツを生成してよい。
【００４７】
なお、第１及び第２デマルチプレキシング部を介して第１及び第２コンテンツを抽出するステップを更に含み、前記デコードするステップは、第１デコード部を介して第１デマルチプレキシング部から抽出された第１コンテンツの映像及びオーディオデータをデコードし、第２デコード部を介して前記第２デマルチプレキシング部から抽出された前記第２コンテンツの映像及びオーディオデータをデコードし、第３デコード部を介して前記第３デマルチプレキシング部から抽出された第２コンテンツに関連して予め生成された要約コンテンツをデコードし、前記出力するステップは、前記ユーザ命令が第２ユーザ命令である場合、前記第１及び第２デコード部を介してデコードされた前記第１コンテンツ及び前記第２コンテンツに対する要約コンテンツを同時に出力してよい。
【００４８】
一方、前記目的を達成するための本発明の更に別の実施形態に係る放送受信装置は、少なくとも１つのコンテンツに含まれた映像及びオーディオデータをデコードするデコード部と、前記デコードされたコンテンツを出力する出力部と、前記デコードされたコンテンツの映像及びオーディオデータのうち少なくとも１つを分析して予め設定された条件に対応する少なくとも１つのイベント区間を検出するイベント検出部と、前記検出されたイベント区間に基づいて要約コンテンツを生成し、ユーザ命令に応じて、前記コンテンツ及び前記要約コンテンツを同時に出力するように前記出力部を制御する制御部とを含む。
【００４９】
一方、前記目的を達成するための本発明の更に別の実施形態に係る放送受信装置の要約コンテンツサービス方法は、コンテンツの映像及びオーディオデータのうち少なくとも１つを分析して予め設定された条件に対応するイベント区間を検出するステップと、前記コンテンツから前記検出されたイベント区間に関連する映像区間を選択的に出力するためのブックマーキング（ｂｏｏｋｍａｒｋｉｎｇ）情報を自動生成するステップと、前記生成されたブックマーキング情報を保存するステップとを含む。
【００５０】
そして、前記ブックマーキング情報は、前記イベント区間を含む要約コンテンツ区間の開始及び終了時点の時間情報を含み、前記生成するステップは、前記イベント区間に関連する映像区間に含まれた映像イメージのうち１つの映像イメージを代表サムネールイメージとして決定し、前記代表サムネールイメージとして決定された映像イメージを含むブックマーキング情報を生成してよい。
【００５１】
なお、ユーザ命令に応じて、録画コンテンツまたは前記録画コンテンツに対するブックマーキング情報に含まれた代表サムネールイメージを同時に出力するステップを更に含み、前記出力するステップは、前記ユーザ命令が要約コンテンツサービス命令である場合、前記録画コンテンツの再生時間情報に基づいて前記録画コンテンツに対するブックマーキング情報に含まれた時間情報に対応する映像区間のみを選択的に出力してよい。
【００５２】
そして、前記検出するステップは、デコードされた映像データ、デインターレーシング（Ｄｅｉｎｔｅｒｌａｃｉｎｇ）された映像データ、スケーリングされた映像データ及びタイミング駆動部の駆動制御信号によって出力される映像データのうち１つを分析してイベント区間を検出してよい。
【００５３】
なお、複数のチューナ部のうち第１チューナ部を介して選局されたチャネルのコンテンツを出力するステップと、前記複数のチューナ部のうち第２チューナ部を介して選局されたチャネルのコンテンツを録画保存するステップとを含み、前記検出するステップは、前記第２チューナ部を介して選局されたチャネルのコンテンツに対する映像及びオーディオデータのうち少なくとも１つを分析して予め設定された条件に対応するイベント区間を検出してよい。
【００５４】
一方、前記目的を達成するための本発明の更に別の実施形態に係る放送受信装置は、録画コンテンツを保存する保存部と、コンテンツの映像及びオーディオデータを出力可能な形態で信号処理するデータ処理部と、前記信号処理されたコンテンツの映像及びオーディオデータを出力する出力部と、前記信号処理されたコンテンツの映像及びオーディオデータのうち少なくとも１つを分析して予め設定された条件に対応するイベント区間を検出し、前記コンテンツから前記検出されたイベント区間に関連する映像区間を選択的に出力するためのブックマーキング情報を自動生成して前記保存部に保存する制御部とを含む。
【発明の効果】
【００５５】
以上説明したように、本発明によれば、放送受信装置はユーザの要請したコンテンツに対する要約コンテンツを生成することができる。更に、本発明に係る放送受信装置は、ユーザの要請したコンテンツ及び当該コンテンツに関連する要約コンテンツ或いは他コンテンツに関連する要約コンテンツを同時に再生することができる。
【図面の簡単な説明】
【００５６】
【図１】本発明の一実施形態に係る放送受信装置のブロック図である。
【図２】本発明の一実施形態に係る放送受信装置のブロック図である。
【図３】本発明の一実施形態に係る放送受信装置で予め検出されたイベント区間に基づいてコンテンツ要約区間を決定する例示図である。
【図４】本発明の一実施形態に係る要約コンテンツを生成するための例示図である。
【図５】本発明の一実施形態に係る要約コンテンツを生成するための例示図である。
【図６】本発明の一実施形態に係る放送受信装置で要約コンテンツサービスを提供する方法のフローチャートである。
【図７】本発明の一実施形態に係る放送受信装置で予め検出された少なくとも１つのイベント区間に対応する映像区間に基づいて要約コンテンツ生成のためのコンテンツ要約区間を決定する方法のフローチャートである。
【図８】本発明の一実施形態に係る放送受信装置で要約コンテンツを生成する方法に対するフローチャートである。
【図９】本発明の一実施形態に係る放送受信装置でイベント領域を検出する例示図である。
【図１０】本発明の一実施形態に係る放送受信装置で初期映像フレームに設定された変数を示す例示図である。
【図１１】本発明の一実施形態に係る放送受信装置で複数の映像フレームに基づいて予め設定された臨界値未満の画素差を有する映像フレームに設定された変数を示す例示図である。
【図１２】本発明の一実施形態に係る放送受信装置でイベント発生有無を検知する例示図である。
【図１３】本発明の一実施形態に係る放送受信装置でイベント発生有無を検知する例示図である。
【図１４】本発明の一実施形態に係る放送受信装置で要約コンテンツサービスを提供する方法のフローチャートである。
【図１５】本発明の一実施形態に係る放送受信装置でイベント領域を検出する方法のフローチャートである。
【図１６】本発明の一実施形態に係る放送受信装置でイベント発生有無を検知する方法のフローチャートである。
【図１７】本発明の一実施形態に係る放送受信装置でイベント領域に対応する領域を検出する方法のフローチャートである。
【図１８】本発明の一実施形態に係る放送受信装置でブラックイメージを含む映像イメージを加工処理する例示図である。
【図１９】本発明の一実施形態に係る放送受信装置で候補サムネールイメージを決定する例示図である。
【図２０】本発明の一実施形態に係る放送受信装置で予め決定された候補サムネールイメージのうちシーン変化率に基づいて最終候補サムネールイメージを決定する例示図である。
【図２１】本発明の一実施形態に係る放送受信装置に要約コンテンツを生成及び再生する例示図である。
【図２２】本発明の一実施形態に係る放送受信装置に要約コンテンツを生成及び再生する例示図である。
【図２３】本発明の一実施形態に係る放送受信装置で要約コンテンツサービスを提供する方法のフローチャートである。
【図２４】本発明の一実施形態に係る放送受信装置で候補サムネールイメージを決定及び保存する方法のフローチャートである。
【図２５】本発明の一実施形態に係る放送受信装置で候補サムネールイメージを決定及び保存する方法のフローチャートである。
【図２６】本発明の一実施形態に係る放送受信装置で候補サムネールイメージを決定及び保存する方法のフローチャートである。
【図２７】本発明の一実施形態に係る放送受信装置で候補サムネールイメージを決定及び保存する方法のフローチャートである。
【図２８】本発明の一実施形態に係る放送受信装置で候補サムネールイメージを決定及び保存する方法のフローチャートである。
【図２９】本発明の一実施形態に係る放送受信装置で代表サムネールイメージを決定する方法のフローチャートである。
【図３０】本発明の一実施形態に係る放送受信装置で検出されたイベント区間に基づいて要約コンテンツ生成のための有効性有無を判断するための例示図である。
【図３１】本発明の一実施形態に係る放送受信装置でイベント区間に対する映像区間に基づいて要約コンテンツを生成するための例示図である。
【図３２】本発明の一実施形態に係る放送受信装置で要約コンテンツサービスを提供する例示図である。
【図３３】本発明の一実施形態に係る放送受信装置で要約コンテンツサービスを提供する例示図である。
【図３４】本発明の一実施形態に係るコンテンツに対する要約コンテンツ生成及び同時再生を行う放送受信装置のブロック図である。
【図３５】本発明の一実施形態に係るコンテンツに対する要約コンテンツ生成及び同時再生を行う放送受信装置のブロック図である。
【図３６】本発明の一実施形態に係るコンテンツに対する要約コンテンツ生成及び同時再生を行う放送受信装置のブロック図である。
【図３７】本発明の一実施形態に係るコンテンツに対する要約コンテンツ生成及び同時再生を行う放送受信装置のブロック図である。
【図３８】本発明の一実施形態に係るコンテンツに対する要約コンテンツ生成及び同時再生を行う放送受信装置のブロック図である。
【図３９】本発明の一実施形態に係るコンテンツに対する要約コンテンツ生成及び同時再生を行う放送受信装置のブロック図である。
【図４０】本発明の一実施形態に係るコンテンツに対する要約コンテンツ生成及び同時再生を行う放送受信装置のブロック図である。
【図４１】本発明の一実施形態に係るコンテンツに対する要約コンテンツ生成及び同時再生を行う放送受信装置のブロック図である。
【図４２】本発明の一実施形態に係るコンテンツに対する要約コンテンツ生成及び同時再生を行う放送受信装置のブロック図である。
【図４３】本発明の一実施形態に係るコンテンツに対する要約コンテンツ生成及び同時再生を行う放送受信装置のブロック図である。
【図４４】本発明の一実施形態に係るコンテンツに対する要約コンテンツ生成及び同時再生を行う放送受信装置のブロック図である。
【図４５】本発明の一実施形態に係る放送受信装置で要約コンテンツサービスを提供する方法のフローチャートである。
【図４６】本発明の一実施形態に係る放送受信装置で要約コンテンツに対する生成及び再生する方法に対するフローチャートである。
【図４７】本発明の一実施形態に係る放送受信装置で要約コンテンツ区間を出力する例示図である。
【図４８】本発明の一実施形態に係る放送受信装置で録画コンテンツを出力する例示図である。
【図４９】本発明の一実施形態に係る要約コンテンツサービスを提供する放送受信装置のブロック図である。
【図５０】本発明の一実施形態に係る要約コンテンツサービスを提供する放送受信装置のブロック図である。
【図５１】本発明の一実施形態に係る要約コンテンツサービスを提供する放送受信装置のブロック図である。
【図５２】本発明の一実施形態に係る要約コンテンツサービスを提供する放送受信装置のブロック図である。
【図５３】本発明の一実施形態に係る要約コンテンツサービスを提供する放送受信装置のブロック図である。
【図５４】本発明の一実施形態に係る視聴中のコンテンツと異なるコンテンツに対する要約コンテンツサービスを提供する放送受信装置のブロック図である。
【図５５】本発明の一実施形態に係る視聴中のコンテンツと異なるコンテンツに対する要約コンテンツサービスを提供する放送受信装置のブロック図である。
【図５６】本発明の一実施形態に係る視聴中のコンテンツと異なるコンテンツに対する要約コンテンツサービスを提供する放送受信装置のブロック図である。
【図５７】本発明の一実施形態に係る視聴中のコンテンツと異なるコンテンツに対する要約コンテンツサービスを提供する放送受信装置のブロック図である。
【図５８】本発明の一実施形態に係る視聴中のコンテンツと異なるコンテンツに対する要約コンテンツサービスを提供する放送受信装置のブロック図である。
【図５９】本発明の一実施形態に係る放送受信装置で要約コンテンツサービス関連ブックマーキング情報を生成する方法のフローチャートである。
【図６０】本発明の一実施形態に係る放送受信装置で要約コンテンツサービス関連録画コンテンツを出力するフローチャートである。
【発明を実施するための形態】
【００５７】
以下に添付図面を参照しながら、本発明の好適な実施形態について詳細に説明する。
【００５８】
図１は、本発明の一実施形態に係る放送受信装置のブロック図である。
【００５９】
図１に示すように、放送受信装置１００は、放送サーバ（図示せず）で提供するコンテンツの受信が可能な端末装置として、例えば、スマートテレビ、スマートフォン、タブレットパソコンのような端末装置か、或いは、スマートテレビのような端末装置に放送サーバ（図示せず）から提供されたコンテンツを出力するセットトップボックスであってよい。このような放送受信装置１００は、受信部１１０と、出力部１２０及び制御部１３０を含む。
【００６０】
受信部１１０は、放送サーバ（図示せず）から提供される複数のコンテンツのうち、ユーザによって選択されたチャネルを介してコンテンツを受信する。そして、出力部１２０は、受信部１１０を介して受信されたコンテンツを出力する。具体的に、受信部１１０は、チューナ部１１３を介してユーザの要請したチャネルを選局し、選局されたチャネルを介して放送サーバ（図示せず）から提供される地上波放送或いはケーブル放送のようなコンテンツを受信することができる。このようなコンテンツは映像及びオーディオデータを含んでよく、放送受信装置１００で出力可能な形態で信号処理されてよい。よって、出力部１２０は、出力可能な形態で信号処理された映像及びオーディオデータを含むコンテンツを出力することができる。特に、出力部１２０は、制御部１３０の制御命令に応じて、コンテンツに関連する要約コンテンツを出力するか、或いは、コンテンツ及び要約コンテンツを同時に出力することができる。
【００６１】
制御部１３０は、放送受信装置１００を構成する各構成に対する動作全般を制御する。特に、制御部１３０は、受信部１１０を介して受信されたコンテンツに含まれた映像及びオーディオデータのうち少なくとも１つを分析して予め設定された条件に対応する少なくとも１つのイベント区間を検出する。しかし、本発明はこれに限定されず、制御部１３０は、後述の保存部１６０に予め保存されたコンテンツに含まれた映像及びオーディオデータのうち少なくとも１つを分析して予め設定された条件に対応する少なくとも１つのイベント区間を検出することができる。
【００６２】
このように、コンテンツに対する少なくとも１つのイベント区間が検出されると、制御部１３０は、検出された少なくとも１つのイベント区間に基づいて要約コンテンツを生成する。ここで、要約コンテンツは、放送サーバ（図示せず）を介してリアルタイムでストリーミングされるコンテンツまたは保存部１６０に録画保存されたコンテンツに対するハイライト映像であってよい。
【００６３】
このようなコンテンツに対する要約コンテンツが生成されると、制御部１３０は、ユーザ命令に応じて、予め生成された要約コンテンツを出力するように出力部１２０を制御することができる。それにより、出力部１２０は、リアルタイムでストリーミングされるコンテンツまたは録画コンテンツに関連して予め生成された要約コンテンツを出力するか、或いは、コンテンツ及び同一コンテンツに関連する要約コンテンツを同時に出力することができる。更に、出力部１２０は、制御部１３０の制御命令に応じて、リアルタイムでストリーミングされるコンテンツを出力すると同時に、また別のコンテンツに関連して予め保存された要約コンテンツを出力することができる。
【００６４】
以下では、図２を参照して、上述の放送受信装置１００の構成についてより詳細に説明する。
【００６５】
図２は、本発明の一実施形態に係る放送受信装置の細部ブロック部である。
【００６６】
図２に示すように、放送受信装置１００は、上述のように、受信部１１０と、出力部１２０及び制御部１３０を含み、更に、通信部１４０と、データ処理部１５０と、保存部１６０及び入力部１７０を更に含んでよい。
【００６７】
通信部１４０は、コンテンツを提供するコンテンツサーバ（図示せず）と有線または無線で通信を行ってユーザの要請したコンテンツを受信したり、または、放送受信装置１００の動作を制御する遠隔制御装置（図示せず）と通信を行ってユーザ命令を受信することができる。具体的に、通信部１７０は、遠隔制御装置（図示せず）を介してチャネル選局命令、要約コンテンツ生成命令、要約コンテンツ再生命令等のユーザ命令を受信することができる。
【００６８】
このような通信部１４０は、近距離無線通信モジュール（図示せず）、無線通信モジュール（図示せず）等のような多様な通信モジュールを含んでよい。ここで、近距離無線通信モジュールとは、ブルートゥースやＺｉｇｂｅｅ（登録商標）等のような近距離無線通信方式によって、近距離に位置した放送受信装置（図示せず）、ユーザ端末装置（図示せず）等の外部機器と無線通信を行うためのモジュールである。なお、無線通信モジュールとは、Ｗｉ−Ｆｉ、ＩＥＥＥ等のような無線通信プロトコールによって外部ネットワークに接続されて通信を行うモジュールである。その他に、無線通信モジュールは、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な移動通信規格によって移動通信網に接続して通信を行う移動通信モジュールを更に含んでよい。
【００６９】
データ処理部１５０は、受信部１１０または通信部１４０を介して受信されたコンテンツを逆多重化（Ｄｅｍｕｌｔｉｐｌｅｘｉｎｇ）して映像及びオーディオデータに分離する。一方、上述のコンテンツは、映像及びオーディオデータだけでなく、テキスト情報、ＥＰＧ情報のような付加データを更に含んでよい。この場合、データ処理部１５０は、受信されたコンテンツを逆多重化してコンテンツに含まれた映像及びオーディオデータと付加データとを分離することができる。
【００７０】
その後、コンテンツから映像及びオーディオデータに分離されると、データ処理部１５０は映像及びオーディオデータを出力可能な形態で信号処理する。具体的に、データ処理部１５０は、コンテンツから分離された映像データをデコードした後、デコードされた映像データを出力可能な形態の映像データに変換する。なお、データ処理部１５０は、コンテンツから分離されたオーディオデータをデコードした後、デコードされたオーディオデータをアナログ形態の音響データに変換する。それにより、出力部１２０は、データ処理部１５０を介して信号処理された映像データ及びオーディオデータを映像出力部１２１及びオーディオ出力部１２３を介して出力することができる。
【００７１】
一方、データ処理部１５０を介してコンテンツに含まれた映像及びオーディオデータに対する信号処理が行われると、制御部１３０は、信号処理された映像及びオーディオデータのうち少なくとも１つを分析して予め設定された条件に対応する少なくとも１つのイベント区間を検出し、検出された少なくとも１つのイベント区間に基づいて要約コンテンツを生成する。実施形態によって、制御部１３０は、後述するイベント検出部１３１を介してコンテンツに含まれた映像及びオーディオデータのうち少なくとも１つを分析して予め設定された条件に対応する少なくとも１つのイベント区間を検出することができる。その後、制御部１３０は、検出されたイベント区間に対する映像区間を獲得し、獲得した映像区間に基づいて前後映像区間を獲得する。その後、制御部１３０は、獲得されたイベント区間に対する映像区間及び前後映像区間を含むコンテンツ要約区間を決定し、決定されたコンテンツ要約区間に基づいて要約コンテンツを生成することができる。
【００７２】
実施形態によって、保存部１６０は、イベント検出モジュール、コンテンツ要約モジュール、要約コンテンツ生成モジュールを保存することができる。よって、制御部１３０は、保存部１６０に予め保存されたイベント検出モジュール、コンテンツ要約モジュール及び要約コンテンツ生成モジュールを用いてコンテンツに対するイベント検出、コンテンツ要約区間決定及び要約コンテンツを生成することができる。
【００７３】
ここで、イベント検出モジュールは、コンテンツに対する要約コンテンツに関連して少なくとも１つのイベント区間を検出するためのモジュールである。そして、コンテンツ要約モジュールは、イベント検出モジュールを通じて検出された少なくとも１つのイベント区間に対する映像区間及び当該映像区間に関連して予め獲得した前後映像区間をコンテンツ要約区間として決定するか否かを判断するためのモジュールである。そして、要約コンテンツ生成モジュールは、コンテンツ要約区間として決定されたイベント区間に対する映像区間及び前後映像区間に基づいて要約コンテンツを生成するためのモジュールである。
【００７４】
よって、制御部１３０は、このようなイベント検出モジュール、コンテンツ要約モジュール及び要約コンテンツ生成モジュールを用いてイベント区間を検出し、検出されたイベント区間に対する映像区間及び当該映像区間に関連する前後映像区間がコンテンツ要約区間として有効か否かを判断し、当該コンテンツに対する要約コンテンツを生成することができる。
【００７５】
一方、制御部１６０は、上述のイベント検出モジュール、コンテンツ要約モジュール及び要約コンテンツ生成モジュールだけでなく、放送受信装置１００の動作を制御するための運営体制プログラム及び運営体制によって管理されて運営体制のリソースを用いて放送受信装置１００の動作を行い、ユーザインターフェースを提供するアプリケーションプログラムを保存することができる。ここで、運営体制は、放送受信装置１００がターンオン（Ｔｕｒｎ  Ｏｎ）される場合、保存部１６０で読み込まれ、コンパイルされて放送受信装置１００の各構成を動作させるプログラムであってよい。そして、アプリケーションプログラムは、ユーザの実行命令によって保存部１６０で読み取られて、実行可能な形態で転移されて多様な動作を行う。更に、保存部１６０は、制御部１３０によって処理された各種マルチメディアデータ、コンテンツデータ、外部ソースから受信されたデータを保存することができる。
【００７６】
このような保存部１６０は、ＲＯＭ、ＲＡＭまたは放送受信装置１００に着脱可能なメモリカード（例えば、ＳＤカード、メモリスティック）、非揮発性メモリ、揮発性メモリ、ハードディスクドライブ（ＨＤＤ）またはソリッドステートドライブ（ＳＳＤ）のうち、少なくとも１つで実現されてよい。
【００７７】
入力部１７０は、放送受信装置に具備された操作部（図示せず）或いはタッチパネル（図示せず）のような入力手段から入力されるユーザ命令を受信して制御部１３０に伝達する。ここで、ユーザ命令は、チャネル選局命令、要約コンテンツ生成命令、要約コンテンツ再生命令等であってよい。このような入力部１７０は、ユーザの音声を認識できる音声認識モジュール（図示せず）を含むことができる。このような入力部１７０は、音声認識モジュール（図示せず）を介してチャネル選局命令、要約コンテンツ生成命令、要約コンテンツ再生命令のような多様なユーザ命令に対応するユーザ音声を認識し、認識された音声認識結果を制御部１３０に伝達することができる。
【００７８】
よって、制御部１３０は、入力部１７０または通信部１４０を介してコンテンツに対する要約コンテンツ生成命令が入力されたり受信されると、保存部１６０に予め保存されたイベント検出モジュールを用いてコンテンツに含まれた映像及びオーディオデータのうち少なくとも１つを分析して少なくとも１つのイベント区間を検出することができる。このようなイベント検出モジュールを用いてイベント区間を検出する制御部１３０は、次のような実施形態を通じてコンテンツから少なくとも１つのイベント区間を検出することができる。
【００７９】
一実施形態によって、制御部１３０は、コンテンツに含まれた映像データを分析して保存部１６０に予め保存された試合状況条件に対応する映像区間を少なくとも１つのイベント区間として検出することができる。ここで、保存部１６０に予め保存された試合状況条件は、多様なジャンルのコンテンツのうち、スポーツ関連コンテンツからイベント区間を検出するための条件であってよい。例えば、コンテンツがサッカー関連スポーツコンテンツの場合、試合状況条件は得点場面、選手の入場場面、シュート場面等であってよい。よって、制御部１３０は、スポーツ関連コンテンツに含まれた映像データを分析し、得点場面、選手の入場場面、シュート場面等の試合状況条件に対応する映像区間を少なくとも１つのイベント区間として検出することができる。
【００８０】
別の実施形態によって、制御部１３０は、コンテンツに含まれた映像データを分析して保存部１６０に予め保存された臨界レベル以上のオーディオ信号レベルを有する映像区間をイベント区間として検出することができる。例えば、ゴールが決まった得点場面に関連する映像区間に対応するオーディオデータのオーディオ信号レベルは、一般的なオーディオ信号レベルより高いレベルを有してよい。よって、制御部１３０は、コンテンツに含まれたオーディオデータを分析して予め設定された臨界レベル以上のオーディオ信号レベルを有するオーディオ区間に基づいて当該オーディオ区間に関連する映像区間をイベント区間として検出することができる。
【００８１】
更に別の実施形態によって、制御部１３０は、コンテンツに含まれたオーディオデータに対するＳＴＴ（Ｓｐｅｅｃｈ  ｔｏ  Ｔｅｘｔ）分析を行ってテキストデータを生成し、生成されたテキストデータを用いて予め設定された単語の含まれた映像区間をイベント区間として検出することができる。例えば、コンテンツがサッカー関連スポーツコンテンツの場合、予め設定された単語は、“ゴール”、“ゴールイン”等であってよく、コンテンツが野球関連スポーツコンテンツの場合、予め設定された単語は“ホームイン”、“ホームラン”等であってよい。
【００８２】
よって、制御部１３０は、スポーツ関連コンテンツが受信されると、保存部１６０に予め保存されたスポーツジャンル別に予め設定された単語のうち、当該スポーツコンテンツに関連して予め設定された単語を獲得する。その後、制御部１３０は、ＳＴＴ分析アルゴリズムを用いてスポーツコンテンツに含まれたオーディオデータからテキストデータを生成し、生成されたテキストデータのうち、当該コンテンツのスポーツ種目に関連して予め設定された単語の含まれたテキストデータを獲得する。このような予め設定された単語の含まれたテキストデータが獲得されると、制御部１３０は予め設定された単語の含まれたテキストデータに関連する映像区間をイベント区間として検出することができる。
【００８３】
しかし、本発明はそれに限定されずに、受信部１１０または通信部１４０は放送サーバ（図示せず）またはコンテンツサーバ（図示せず）からスポーツ関連コンテンツ及び当該スポーツに対するイベント情報を受信することができる。この場合、制御部１３０は、受信したイベント情報に基づいて予め受信したスポーツ関連コンテンツに含まれた映像データ或いはオーディオデータを分析して特定映像区間をイベント区間として検出することができる。
【００８４】
更に、放送サーバ（図示せず）またはコンテンツサーバ（図示せず）から受信されたスポーツ関連コンテンツは映像及びオーディオデータだけでなく、テキスト形態の字幕情報を含む付加データを更に含んでよい。この場合、制御部１３０は、スポーツ関連コンテンツに含まれた付加データを分析して予め設定された単語を含むテキストイメージを含む付加データに関連する映像区間をイベント区間として検出することができる。
【００８５】
このような多様な実施形態によって、コンテンツから少なくとも１つのイベント区間が検出されると、制御部１３０は、保存部１６０に予め保存されたコンテンツ要約モジュールを用いて予め検出された少なくとも１つのイベント区間に対する映像区間を分析して当該映像区間に対するコンテンツがスポーツ関連コンテンツか否かを判断する。
【００８６】
実施形態によって、制御部１３０は、予め検出された少なくとも１つのイベント区間に対する映像区間のイメージ情報に含まれた色相及び色相別の割合値に基づいて受信したコンテンツがスポーツ関連コンテンツか否かを判断する。
【００８７】
具体的に、保存部１６０は、各スポーツ種目別に予め定義されたフィールドカラー及び当該フィールドカラーに対する色相の占める割合値に関連して予め設定された第１臨界値を保存することができる。例えば、サッカーまたは野球スポーツのフィールドカラーは、グリーン（Ｇｒｅｅｎ）に予め定義されていてよく、アイスホッケースポーツのフィールドカラーは、ホワイト（Ｗｈｉｔｅ）に予め定義されていてよい。なお、競泳スポーツのフィールドカラーは、ブルー（Ｂｌｕｅ）に予め定義されてよい。このように、スポーツ種目別に各フィールドカラーが定義されてよく、各フィールドカラーが画面上にディスプレイされる割合程度に対する第１臨界値が予め設定されてよい。
【００８８】
よって、制御部１３０は、保存部１６０に予め保存されたスポーツ種目別のフィールドカラー及び第１臨界値に基づいて予め検出された少なくとも１つのイベント区間に対する映像区間のイメージ情報に含まれた色相情報のうち、予め定義されたフィールドカラーを含むか否かを判断する。例えば、受信したコンテンツがサッカー関連スポーツコンテンツの場合、制御部１３０は保存部１６０に予め保存されたスポーツ種目別のフィールドカラーのうち、サッカースポーツに対するフィールドカラー（グリーン（Ｇｒｅｅｎ））及び第１臨界値を獲得することができる。その後、制御部１３０は、予め検出されたそれぞれのイベント区間に対する映像区間のイメージ情報に含まれた色相情報のうち、予め獲得したフィールドカラーに対応する色相があるか否かを判断する。判断の結果、予め獲得したフィールドカラーに対応する色相がある場合、制御部１３０は、予め定義されたフィールドカラーに対応する色相の割合値を算出する。すなわち、制御部１３０は、予め検出された少なくとも１つのイベント区間に対する映像区間に適用される色相のうち、予め定義されたフィールドカラーに対応する色相の占める程度を算出する。このような予め定義されたフィールドカラーに対応する色相の割合値は公知となった算出アルゴリズムを通じて算出されてよい。
【００８９】
予め定義されたフィールドカラーに対応する色相の割合値が算出されると、制御部１３０は、算出された割合値が予め設定された第１臨界値以上か否かを判断し、予め設定された第１臨界値以上である場合、当該コンテンツがスポーツ関連コンテンツと判断することができる。
【００９０】
このような判別条件によって予め受信されたコンテンツがスポーツ関連コンテンツと判断されると、制御部１３０は当該スポーツに対するプレイ状況を更に判断することができる。
【００９１】
一実施形態によって、制御部１３０は予め検出された少なくとも１つのイベント区間に対する映像区間と隣接した周辺映像区間のイメージ情報に含まれた色相のうち予め定義されたフィールドカラーに対応する色相の割合値が予め設定された第２臨界値以上か否かに応じて、スポーツに対するプレイ状況を判断することができる。ここで、第２臨界値は、上述の第１臨界値と同一か新たな値に設定された値であってよい。
【００９２】
例えば、イベント区間として検出された第１映像区間のイメージ情報に基づいて第１映像区間に関連するコンテンツがスポーツ関連コンテンツとして決定されると、制御部１３０は、第１映像区間を中心に予め設定された区間に属する以前映像区間及び以後映像区間のイメージ情報を獲得する。
【００９３】
このように、イベント区間として検出された映像区間と隣接した周辺映像区間のそれぞれのイメージ情報に基づいて予め定義されたフィールドカラーに対応する色相が含まれているか否かを判断する。判断の結果、イベント区間として検出された映像区間と隣接した周辺映像区間のうち少なくとも１つの周辺映像区間に予め定義されたフィールドカラーに対応する色相が含まれていない場合、制御部１３０はスポーツに対するプレイが進行されていない状況であると判断することができる。
【００９４】
一方、イベント区間として検出された映像区間と隣接した周辺映像区間のそれぞれのイメージ情報に基づいて予め定義されたフィールドカラーに対応する色相が含まれている場合、制御部１３０は、周辺映像区間に関連する色相のうち予め定義されたフィールドカラーに対応する色相の割合値を算出し、算出されたそれぞれの割合値と予め定義された第２臨界値を比較する。比較の結果、イベント区間として検出された映像区間と隣接する周辺映像区間のうち少なくとも１つの周辺映像区間の割合値が第２臨界値未満である場合、制御部１３０はスポーツに対するプレイが進行されていない状況と判断することができる。一方、イベント区間として検出された映像区間と隣接する周辺映像区間の予め定義されたフィールドカラーに対応する色相の割合値が予め設定された第２臨界値以上である場合、制御部１３０はスポーツに対するプレイが進行されていると判断することができる。
【００９５】
ここで、スポーツに対するプレイが進行されていない状況は、例えば、サッカースポーツの場合はハーフタイムであってよく、野球スポーツの場合は攻守交代が行われる状況であってよい。このようなハーフタイム或いは攻守交代が行われる場合、スポーツ試合の合間に広告コンテンツが挿入されてよい。よって、このような判別条件を通じて、制御部１３０は当該スポーツに対するプレイ進行状況を判断することができる。
【００９６】
更に別の実施形態によって、制御部１３０は、予め検出された少なくとも１つのイベント区間に対する映像区間のイメージから試合進行状況をガイドするガイド領域を抽出し、抽出されたガイド領域に基づいてスポーツに対するプレイ状況を判断することができる。ここで、ガイド領域は、試合スコア及び試合進行時間のうち少なくとも１つを含んでよい。
【００９７】
よって、制御部１３０は、予め検出された少なくとも１つのイベント区間に対する映像区間のイメージのうち、試合進行状況をガイドするガイド領域に含まれた試合スコア或いは試合進行時間を分析して当該スポーツに対するプレイ進行状況を判断することができる。
【００９８】
一方、上述のように、予め検出された少なくとも１つのイベント区間に対する映像区間から受信されたコンテンツがスポーツ関連コンテンツであり、当該スポーツがプレイ進行状況と判断されると、制御部１３０は少なくとも１つのイベント区間の検出された時間を基準に予め設定された固定時間に存在する前後映像区間を獲得する。その後、制御部１３０は、獲得した前後映像区間のうち、シーン（Ｓｃｅｎｅ）場面の変化された区間があるか否かを判断する。判断の結果、シーン場面の変化された区間がない場合、制御部１３０は少なくとも１つのイベント区間が検出された時間の映像区間と予め設定された固定時間内に存在する前後映像区間とをコンテンツ要約区間として決定することができる。
【００９９】
一方、判断の結果、シーン場面の変化された区間がある場合、制御部１３０は予め設定された固定時間を可変して予め検出されたイベント区間に対する映像区間に関連する前後映像区間を獲得する。その後、制御部１３０は、予め検出されたイベント区間に対する映像区間及び可変された固定時間内に属する前後映像区間をコンテンツ要約区間として決定することができる。
【０１００】
すなわち、制御部１３０は、少なくとも１つのイベント区間の検出された時間を基準に予め設定された固定時間に存在する前後映像区間が獲得されると、獲得した前後映像区間のうち、シーン場面の変化された区間があるか否かを判断する。判断の結果、シーン場面の変化された区間がない場合、制御部１３０は少なくとも１つのイベント区間の検出された時間の映像区間と予め設定された固定時間内に属する前後映像区間とをコンテンツ要約区間として決定することができる。
【０１０１】
一方、判断の結果、シーン場面の変化された区間がある場合、制御部１３０は予め設定された固定時間内に属する前後映像区間のうち少なくとも１つのイベント区間の検出された時間の区間映像に関連する前後映像区間の属する時間として予め設定された固定時間を可変する。その後、制御部１３０は、少なくとも１つのイベント区間の検出された時間の映像区間と可変された固定時間内に属する前後映像区間とをコンテンツ要約区間として決定することができる。
【０１０２】
一方、本発明に係る固定時間は、絶対固定時間を含んでよく、このような絶対固定時間は可変されない。よって、制御部１３０は、固定時間内に存在する前後映像区間のうち、絶対固定時間内に存在する前後映像区間を除く残りの前後映像区間のうち、シーン場面の変化された区間があるか否かを判断する。判断の結果、シーン場面の変化された区間がある場合、制御部１３０は絶対固定時間を除く残りの固定時間内に固定時間を可変して予め検出されたイベント区間に対する映像区間に関連する前後映像区間を獲得することができる。
【０１０３】
その後、制御部１３０は、予め獲得したイベント区間に対する映像区間及び当該映像区間を基準に予め設定された固定時間或いは可変された固定時間内に存在する前後映像区間を含むコンテンツ要約区間を決定することができる。その後、制御部１３０は、保存部１６０に予め保存された要約コンテンツ生成モジュール１６５に基づいて予め決定されたコンテンツ要約区間に対する要約コンテンツを生成することができる。
【０１０４】
一方、制御部１３０は、要約コンテンツ生成のためのコンテンツ要約区間の決定された予め決定されたコンテンツ要約区間に含まれた映像区間のうち、イベント区間に対する映像区間の映像イメージからサムネールイメージを獲得し、獲得したサムネールイメージと当該コンテンツ要約区間に基づいて生成された要約コンテンツを相互マッチングさせて保存部１６０に保存する。
【０１０５】
一方、予め決定されたコンテンツ要約区間に関連するイベント区間に対する映像区間から複数のサムネールイメージが獲得されると、制御部１３０は、複数のサムネールイメージのうち、予め定義された有効フィールドカラーに対応する色相の数が最も少ないサムネールイメージまたは複数のサムネールイメージのそれぞれに含まれた同一のオブジェクトのうち、サイズが最も大きいオブジェクトを含むサムネールイメージを代表サムネールイメージとして決定することができる。しかし、本発明はそれに限定されずに、制御部１３０は複数のサムネールイメージのそれぞれに含まれたオブジェクトが相互同一ではない場合、各サムネールイメージに含まれたオブジェクトの数が最も少ないか、或いは、サイズの最も大きいオブジェクトを含むサムネールイメージを代表サムネールイメージとして決定することができる。その後、制御部１３０は、複数のサムネールイメージのうち、代表サムネールイメージと予め生成された要約コンテンツを相互マッチングさせて保存部１６０に保存する。よって、保存部１６０は、コンテンツ別に生成された少なくとも１つの要約コンテンツ及び当該要約コンテンツに対するサムネールイメージを相互マッチングさせて保存することができる。
【０１０６】
その後、ユーザから要約コンテンツに対する再生命令が入力されると、制御部１３０は保存部１６０に予め保存された要約コンテンツのうち入力された再生命令に対応する要約コンテンツが再生されるように出力部１２０を制御する。それにより、出力部１２０は、映像出力部１２１を介してユーザの再生命令に対応する要約コンテンツ及び当該要約コンテンツに対するサムネールイメージを出力することができる。
【０１０７】
一方、ユーザから画面上にディスプレイされたサムネールイメージのうち１つのサムネールイメージが選択されると、制御部１３０は選択されたサムネールイメージに関連する要約コンテンツから再生されるように出力部１２０を制御することができる。それにより、出力部１２０は、映像出力部１２１を介してユーザから選択されたサムネールイメージに関連する要約コンテンツから順次に出力することができる。
【０１０８】
これまで、本発明に係る放送受信装置１００の各構成について詳細に説明してきた。以下では、本発明に係る放送受信装置１００で受信されたスポーツ関連コンテンツから要約コンテンツを生成する動作についてより具体的に説明する。
【０１０９】
図３は、本発明の一実施形態に係る放送受信装置で予め検出されたイベント区間に基づいてコンテンツ要約区間を決定する例示図である。
【０１１０】
図３に示すように、放送受信装置１００はサッカー関連スポーツコンテンツをディスプレイすることができ、現在ディスプレイされる映像イメージはイベント区間として検出された映像区間であってよい。このようなイベント区間が検出されると、制御部１３０は予め検出されたイベント区間に対する映像区間のイメージ情報に含まれた色相のうち予め定義されたフィールドカラーに対応する色相が含まれているか否かを判断する。ここで、予め定義されたフィールドカラーがグリーンである場合、制御部１３０は予め検出されたイベント区間に対する映像区間のイメージ情報に予め定義されたフィールドカラーであるグリーンカラーを含むか否かを判断する。図示のように、映像区間を示す色相のうち、グリーンカラー３１０が全映像のほとんどを表すことが分かる。このように、当該映像区間を示す色相のうち、予め定義されたフィールドカラーがグリーンカラーである場合、制御部１３０は当該映像区間のグリーンカラー割合値を算出し、算出されたグリーンカラーの割合値が予め設定された第１臨界値以上か否かを判断する。判断の結果、予め設定された第１臨界値以上である場合、制御部１３０は受信されたコンテンツがサッカー関連スポーツコンテンツと判断することができる。
【０１１１】
サッカー関連スポーツコンテンツと判断されると、制御部１３０はサッカー試合が進行中か否かを判断する。具体的に、制御部１３０は、イベント区間として検出された映像区間と隣接した周辺映像区間のイメージ情報に基づいて周辺映像区間を現す色相のうち、予め定義されたフィールドカラーのグリーンカラーを含むか否かを判断する。判断の結果、周辺映像区間のうち少なくとも１つの映像区間が予め定義されたフィールドカラーであるグリーンカラーを含まないか、或いは、周辺映像区間のうち少なくとも１つの映像区間のグリーンカラーの割合値が予め設定された臨界値未満である場合、制御部１３０はサッカー試合に対するプレイが進行されていないと判断することができる。
【０１１２】
一方、判断の結果、周辺映像区間の色相が予め定義されたフィールドカラーであるグリーンカラーを全て含んでおり、グリーンカラーの割合値が予め設定された臨界値以上である場合、制御部１３０はサッカー試合が進行されていると判断することができる。
【０１１３】
なお、制御部１３０は、イベント区間として検出された映像区間のイメージのうち、試合進行状況をガイドするガイド領域３２０を抽出し、抽出されたガイド領域３２０に表示された試合スコア或いは試合進行時間を分析してサッカー試合が進行されているか否かを判断することができる。
【０１１４】
このように、イベント区間として検出された映像区間がスポーツ関連コンテンツであり、当該スポーツ試合が進行されていると判断されると、制御部１３０はイベント区間として検出された映像区間が要約コンテンツ生成のための有効区間として判断することができる。その後、制御部１３０は、有効区間として判断されたイベント区間の検出された時間を基準に予め設定された固定時間に基づいて、イベント区間として検出された映像区間に関連する前後映像区間を獲得し、予め検出された映像区間と前後映像区間に基づいてコンテンツ要約区間を決定し、決定されたコンテンツ要約区間に基づいて要約コンテンツを生成することができる。
【０１１５】
図４は、本発明の一実施形態に係る固定時間に基づいて要約コンテンツを生成するための例示図であり、図５は、本発明の一実施形態に係る可変された固定時間に基づいて要約コンテンツを生成する例示図である。
【０１１６】
図４に示すように、制御部１３０は、要約コンテンツ生成のための有効区間として検出されたイベント区間に対する時間情報に基づいてイベント区間に対する映像区間が獲得されると、獲得したイベント区間に対する映像区間を基準に予め設定された固定時間内に存在する前後映像区間を獲得することができる。
【０１１７】
図示のように、イベント区間Ｂ４１０に対応する映像区間４１０−１は、要約コンテンツ生成のための有効区間として決定されてよい。このように、イベント区間Ｂ４１０に対応する映像区間４１０−１が有効区間として決定されると、制御部１３０はイベント区間Ｂ４１０に対応する映像区間４１０−１を基準に予め設定された固定時間Ａ４２０及びＡ’４３０に属する映像区間を獲得する。
【０１１８】
図示のように、制御部１３０は、イベント区間Ｂ４１０に対応する映像区間４１０−１の検出された時間を基準に映像区間４１０−１以前の映像区間のうち、予め設定された固定時間Ａ４２０に属する第１ないし第３映像区間４２０−１〜４２０−３を獲得することができる。なお、制御部１３０は、イベント区間Ｂ４１０に対応する映像区間４１０−１の検出された時間を基準に映像区間４１０−１以後の映像区間のうち、予め設定された固定時間Ａ’４３０に属する第４ないし第６映像区間４３０−１〜４３０−３を獲得することができる。
【０１１９】
このように、固定時間Ａ４２０に属する第１ないし第３映像区間４２０−１〜４２０−３及び固定時間Ａ’４３０に属する第４ないし第６映像区間４３０−１〜４３０−３が獲得されると、制御部１３０は固定時間Ａ４２０及び固定時間Ａ’４３０に属する映像区間のうち、シーン変化の発生した区間があるか否かを判断する。判断の結果、固定時間Ａ４２０に属する第１ないし第３映像区間４２０−１〜４２０−３のうち第３固定区間４２０−３と、固定時間Ｂ４３０に属する第４ないし第６映像区間４３０−１〜４３０−３のうち第６映像区間４３０−３がシーン変化の発生した区間区間と判断することができる。ここで、第３映像区間４２０−３は、第１及び第２映像区間４２０−１、４２０−２へのシーン場面の開始する区間であってよく、第６映像区間４３０−３は、第４及び第５映像区間４３０−１、４３０−２のシーン場面の終了する区間であってよい。
【０１２０】
このように、固定時間Ａ４２０及び固定時間Ａ’４３０に属する映像区間のうちシーン変化の発生した区間が検出されると、制御部１３０は、図５に示すように、予め設定された固定時間Ａ４２０を固定時間ａ４２０’に可変し、固定時間Ａ’４３０を固定時間ａ’４３０’に可変する。すなわち、制御部１３０は、予め設定された固定時間Ａ４３０に関連してシーン変化の発生した第３映像区間４２０−３を除く残りの第１及び第２映像区間４２０−１、４２０−２を含むことができるように固定時間Ａ’４２０を固定時間ａ４２０’に可変する。なお、制御部１３０は、予め設定された固定時間Ａ’４３０に関連してシーン変化の発生した第６映像区間４３０−３を除く残りの第４及び第５映像区間４３０−１、４３０−２を含むことができるように固定時間Ａ’４３０を固定時間ａ’４３０’に可変する。
【０１２１】
このように、固定時間Ａ４２０及び固定時間Ａ’４３０が固定時間ａ４２０’及び固定時間ａ’４３０’に可変されると、制御部１３０は、図５に示すように、イベント区間Ｂ４１０に対応する映像区間４１０−１、可変された固定時間ａ４２０’に存在する第１及び第２映像区間４２０−１、４２０−２及び可変された固定時間ａ’４３０’に存在する第４及び第５映像区間４３０−１’、４３０−２’を含むコンテンツ要約区間を決定し、決定されたコンテンツ要約区間に基づいて要約コンテンツを生成することができる。
【０１２２】
しかし、本発明はそれに限定されずに、固定時間Ａ４２０及び固定時間Ａ’４３０は斜線領域のように絶対固定時間４２０”、４３０”を含むことができ、それぞれの絶対固定時間４２０”、４３０”内に存在する映像区間はイベント区間Ｂ４１０’に対応する映像区間４１０−１とともにコンテンツ要約区間に含まれることが望ましい。すなわち、制御部１３０は、固定時間Ａ４２０及び固定時間Ａ’４３０内に存在する映像区間４２０−１〜４２０−３、４３１−１〜４３０−３に関連して絶対固定時間４２０”、４３０”を除く残りの固定時間内に存在する映像区間に対してシーン変化が発生するか否かを応じて、絶対固定時間４２０”、４３０”以後の固定時間内で固定時間Ａ４２０及び固定時間Ａ’４３０を可変的に調節することができる。
【０１２３】
このように、制御部１３０は、イベント区間に対する映像区間及び予め設定された固定時間或いは可変された固定時間内の映像区間を含むコンテンツ要約区間に基づいて要約コンテンツを生成することで、ゴール場面等のイベント区間に対してより自然な要約コンテンツを生成することができる。
【０１２４】
これまで、本発明に係る放送受信装置１００で受信されたコンテンツから要約コンテンツを生成する動作について多様な実施形態を通じて詳細に説明してきた。以下では、本発明に係る放送受信装置１００で受信されたコンテンツから要約コンテンツを生成する方法について詳細に説明する。
【０１２５】
図６は、本発明の一実施形態に係る放送受信装置で要約コンテンツサービスを提供する方法のフローチャートである。
【０１２６】
図６に示すように、放送受信装置１００は、放送サーバ（図示せず）或いはコンテンツサーバ（図示せず）からコンテンツが受信されると、受信されたコンテンツに含まれた映像及びオーディオデータのうち少なくとも１つを分析し、予め設定された条件に対応する少なくとも１つのイベント区間を検出する（Ｓ６１０、Ｓ６２０）。しかし、本発明はそれに限定されず、放送受信装置１００は予め保存された録画コンテンツに含まれた映像及びオーディオデータのうち少なくとも１つを分析して予め設定された条件に対応する少なくとも１つのイベント区間を検出することができる。
【０１２７】
具体的に、放送受信装置１００は受信されたコンテンツ或いは録画コンテンツを逆多重化して映像及びオーディオデータに分離する。その後、放送受信装置１００は、コンテンツから映像及びオーディオデータに分離されると、分離された映像及びオーディオデータをデコードして出力可能な形態で信号処理する。
【０１２８】
コンテンツに含まれた映像及びオーディオデータに対する信号処理が行われると、放送受信装置１００は信号処理された映像及びオーディオデータのうち少なくとも１つを分析して予め設定された条件に対応する少なくとも１つのイベント区間を検出することができる。少なくとも１つのイベント区間が検出されると、放送受信装置１００は検出された少なくとも１つのイベント区間に対する映像区間及び当該映像区間に関連する前後映像区間に基づいてコンテンツ要約区間を決定し、決定されたコンテンツ要約区間に基づいて要約コンテンツを生成する（Ｓ６３０、Ｓ６４０）。実施形態によって、放送受信装置１００は予め保存されたイベント検出モジュール、コンテンツ要約モジュール及び要約コンテンツ生成モジュールを用いてコンテンツに対するイベント検出、コンテンツ要約区間決定及び要約コンテンツを生成することができる。このようなモジュールを通じて要約コンテンツが生成されると、放送受信装置１００は生成された要約コンテンツを保存する。その後、放送受信装置１００はユーザ命令に応じて、ユーザ命令に対応するコンテンツに関連する要約コンテンツを出力するか、或いは、コンテンツ及び要約コンテンツを同時に出力する（Ｓ６５０）。
【０１２９】
一方、上述のステップＳ６２０において放送受信装置１００は、次のような実施形態を通じてユーザの要請したコンテンツから予め設定された条件に対応する少なくとも１つのイベント区間を検出することができる。
【０１３０】
一実施形態によって、放送受信装置１００はコンテンツに含まれた映像データを分析し、予め保存された試合状況条件に対応する映像区間を少なくとも１つのイベント区間として検出することができる。ここで、予め保存された試合状況条件は、多様なジャンルのコンテンツのうちスポーツ関連コンテンツから少なくとも１つのイベント区間を検出するための条件であってよい。
【０１３１】
更に別の実施形態によって、放送受信装置１００はコンテンツに含まれたオーディオデータを分析し、予め保存された臨界レベル以上のオーディオ信号レベルを有する映像区間をイベント区間として検出することができる。
【０１３２】
更に別の実施形態によって、放送受信装置１００はコンテンツに含まれたオーディオデータに対するＳＴＴ分析を行ってテキストデータを生成し、生成されたテキストデータを用いて予め設定された単語の含まれた映像区間をイベント区間として検出することができる。
【０１３３】
しかし、本発明はそれに限定されず、放送受信装置１００は放送サーバ（図示せず）またはコンテンツサーバ（図示せず）からスポーツ関連コンテンツ及び当該スポーツに対するイベント情報を受信することができる。この場合、放送受信装置１００は受信したイベント情報に基づいてユーザの要請したコンテンツに含まれた映像データ或いはオーディオデータを分析し、特定映像区間をイベント区間として検出することができる。更に、放送サーバ（図示せず）或いはコンテンツサーバ（図示せず）から受信されたスポーツ関連コンテンツは、映像及びオーディオデータだけでなく、テキスト形態の字幕情報を含む付加データを更に含むことができる。この場合、放送受信装置１００は、スポーツ関連コンテンツに含まれた付加データを分析して予め設定された単語を含むテキストイメージを含む付加データに関連する映像区間をイベント区間として検出することができる。
【０１３４】
このような多様な実施形態を通じて少なくとも１つのイベント区間が検出されると、放送受信装置１００は、予め検出された少なくとも１つのイベント区間が要約コンテンツ生成のための有効区間か否かを判断し、検出されたイベント区間が有効区間である場合、当該イベント区間に対する映像区間及び当該映像区間の前後区間に基づいてコンテンツ要約区間を決定することができる。以下では、図７を参照して、放送受信装置１００で予め検出された少なくとも１つのイベント区間をコンテンツ要約区間として決定する方法について詳細に説明する。
【０１３５】
図７は、本発明の一実施形態に係る放送受信装置で予め検出された少なくとも１つのイベント区間に対応する映像区間に基づいて要約コンテンツ生成のためのコンテンツ要約区間を決定する方法のフローチャートである。
【０１３６】
図７に示すように、放送受信装置１００は、要約コンテンツ生成のためのイベント検出モジュールを用いて予め受信されたコンテンツから少なくとも１つのイベント区間が検出されると、検出されあた少なくとも１つのイベント区間に対する映像区間のイメージ情報に含まれた色相及び色相別の割合値に基づいて予め受信されたコンテンツがスポーツ関連コンテンツか否かを判断する（Ｓ７１０）。
【０１３７】
実施形態によって、放送受信装置１００は各スポーツ種目別に予め定義されたフィールドカラー及びフィールドカラーに対応する色相の占める割合値に関連して予め設定された第１臨界値を保存することができる。よって、放送受信装置１００は、予め保存されたスポーツ種目別のフィールドカラー及び第１臨界値に基づいて予め検出された少なくとも１つのイベント区間に対する映像区間のイメージ情報に含まれた色相情報のうち、予め定義されたフィールドカラーに対応する色相があるか否かを判断する。判断の結果、予め獲得したフィールドカラーに対応する色相があれば、放送受信装置１００は予め定義されたフィールドカラーに対応する色相の割合値を算出し、算出された割合値が予め設定された第１臨界値以上か否かを判断する。判断の結果、予め設定された第１臨界値以上である場合、放送受信装置１００は予め受信されたコンテンツがスポーツ関連コンテンツと判断することができる。
【０１３８】
このように、受信されたコンテンツがスポーツ関連コンテンツである場合、放送受信装置１００は当該スポーツに対するプレイ状況を判断する（Ｓ７２０）。
【０１３９】
一実施形態によって、放送受信装置１００は予め検出された少なくとも１つのイベント区間に対する映像区間と隣接する周辺映像区間のイメージ情報に含まれた色相のうち、予め定義されたフィールドカラーに対応する色相の割合値が予め設定された第２臨界値以上か否かに応じて、当該スポーツに対するプレイ状況を判断することができる。ここで、第２臨界値は、上述の第１臨界値と同一か新たな値に設定された値であってよい。
【０１４０】
具体的に、放送受信装置１００は、イベント区間として検出された映像区間と隣接する周辺映像区間のうち少なくとも１つの周辺映像区間に予め定義されたフィールドカラーに対応する色相が含まれていないか、或いは、予め定義されたフィールドカラーに対応する色相の割合値が予め設定された第２臨界値未満であれば、スポーツに対するプレイが進行されていない状況と判断することができる。ここで、スポーツに対するプレイが進行されていない状況は、例えば、サッカースポーツの場合はハーフタイムであってよく、野球スポーツの場合は攻守交代が行われる状況であってよい。一方、イベント区間として検出された映像区間と隣接する周辺映像区間が予め定義されたフィールドカラーに対応する色相を全て含んでおり、フィールドカラーに対応するそれぞれの色相別の割合値が予め設定された第２臨界値以上なら、放送受信装置１０はスポーツに対するプレイが進行されていると判断することができる。
【０１４１】
更に別の実施形態によって、放送受信装置１００は予め検出された少なくとも１つのイベント区間に対する映像区間のイメージから試合進行状況をガイドするガイド領域を抽出し、抽出されたガイド領域に基づいてスポーツに対するプレイ状況を判断することができる。ここで、ガイド領域は、試合スコア及び試合進行時間のうち少なくとも１つを含んでよい。
【０１４２】
よって、放送受信装置１００は、予め検出された少なくとも１つのイベント区間に対する映像区間のイメージのうち、試合進行状況をガイドするガイド領域に含まれた試合スコア或いは試合進行時間を分析して当該スポーツに対するプレイ進行状況を判断することができる。
【０１４３】
一方、上述のように、予め検出された少なくとも１つのイベント区間に対する映像区間から受信されたコンテンツがスポーツ関連コンテンツであり、当該スポーツがプレイ進行状況と判断されると、放送受信装置１００は少なくとも１つのイベント区間に対する映像区間の検出された時間を基準に予め設定された固定時間に存在する前後映像区間を獲得する（Ｓ７３０）。その後、放送受信装置１００は、予め設定された固定時間に存在する前後映像区間のうち少なくとも１つの映像区間でシーン変化が発生するか否かを判断する（Ｓ７４０）。
【０１４４】
判断の結果、予め設定された固定時間に存在する前後映像区間にシーン変化が発生すると判断されると、放送受信装置１００は予め設定された固定時間内に属する前後映像区間のうち、可変された固定時間内に存在する前後映像区間を獲得する（Ｓ７５０）。すなわち、放送受信装置１００は、予め設定された固定時間内に属する前後映像区間のうち少なくとも１つのイベント区間が検出された時間の区間映像に関連する前後映像区間の属する時間に予め設定された固定時間を可変する。その後、放送受信装置１００は、可変された固定時間内に属する前後映像区間及び当該前後映像区間の間に存在する少なくとも１つのイベント区間に対する映像区間をコンテンツ要約区間として決定する（Ｓ７６０）。一方、ステップ７４０において、予め設定された固定時間に存在する前後映像区間にシーン変化が発生していないと判断されると、放送受信装置１００は予め設定された固定時間に存在する前後映像区間及び前後映像区間の間に存在する少なくとも１つのイベント区間に対する映像区間をコンテンツ要約区間として決定することができる。
【０１４５】
一方、本発明に係る固定時間は、絶対固定時間を含んでよく、このような絶対固定時間は可変されない。よって、放送受信装置１００は、固定時間内に存在する前後映像区間のうち、絶対固定時間内に存在する前後映像区間を除く残りの前後映像区間のうち、シーン場面の変化された区間があるか否かを判断する。判断の結果、シーン場面の変化された区間があれば、放送受信装置１００は絶対固定時間を除く残りの固定時間内で固定時間を可変して予め検出されたイベント区間に対する映像区間に関連する前後映像区間を獲得することができる。
【０１４６】
その後、放送受信装置１００は、イベント区間に対する映像区間及び当該映像区間を基準に予め設定された固定時間或いは可変された固定時間内に存在する前後映像区間を含むコンテンツ要約区間を決定し、決定されたコンテンツ要約区間に基づいて要約コンテンツを生成及び保存する（Ｓ７７０）。
【０１４７】
図８は、本発明の一実施形態に係る放送受信装置で要約コンテンツを生成する方法に対するフローチャートである。
【０１４８】
図８に示すように、放送受信装置１００は少なくとも１つのイベント区間が検出されると、検出されたイベント区間に対するサムネール情報を保存する。このとき、放送受信装置１００は、イベント区間の検出された時間情報も同時に保存することができる。その後、放送受信装置１００は、少なくとも１つのイベント区間が検出された映像区間と、予め設定された固定時間或いは可変された固定時間内に存在する前後映像区間を含むコンテンツ要約区間が決定されると、予め保存されたサムネールイメージを獲得する（Ｓ８１０）。ここで、獲得したサムネールイメージは、予め決定されたコンテンツ要約区間に基づいて生成される要約コンテンツを識別するためのものである。このようなサムネールイメージが獲得されると、放送受信装置１００は獲得したサムネールイメージが複数個であるか否かを判断する（Ｓ８２０）。
【０１４９】
判断の結果、複数のサムネールイメージが獲得されると、放送受信装置１００は複数のサムネールイメージのうち、予め設定された条件を満たすサムネールイメージを代表サムネールイメージとして獲得する（Ｓ８３０）。実施形態によって、放送受信装置１００は、要約コンテンツ生成のためのコンテンツ要約区間に関連して複数のサムネールイメージが獲得されると、獲得した複数のサムネールイメージのうち予め定義された有効フィールドカラーに対応する色相の数が最も少ないサムネールイメージオまたは複数のサムネールイメージのそれぞれに含まれた同一のオブジェクトのうち、サイズの最も大きいオブジェクトを含むサムネールイメージを代表イメージとして決定することができる。一方、放送受信装置１００は、複数のサムネールイメージのそれぞれに含まれたオブジェクトが相互同一ではない場合、各サムネールイメージに含まれたオブジェクトの数が最も少ないか或いはサイズが最も大きいオブジェクトを含むサムネールイメージを代表サムネールイメージとして決定することができる。このような代表サムネールイメージとして決定されると、放送受信装置１００は予め決定されたコンテンツ要約区間に基づいて要約コンテンツを生成し、生成された要約コンテンツと予め決定された代表サムネールイメージとを相互マッチングさせて保存する（Ｓ８４０）。
【０１５０】
一方、上述のステップＳ８２０において、コンテンツ要約区間に関連して獲得されたサムネールイメージが単一個であれば、放送受信装置１００はステップＳ８４０で予め決定されたコンテンツ要約区間に基づいて要約コンテンツを生成し、生成された要約コンテンツと予め獲得した単一のサムネールイメージとを相互マッチングさせて保存することができる。その後、ユーザから要約コンテンツに対する再生命令が入力されると、放送受信装置１００は予め保存された複数の要約コンテンツのうち再生命令に対応する少なくとも１つの要約コンテンツを順次に再生する。このとき、放送受信装置１００は、再生命令に対応する少なくとも１つの要約コンテンツに対するサムネールイメージを画面上にディスプレイすることができる。それにより、画面上にディスプレイされたサムネールイメージのうち１つが選択されると、放送受信装置１００は選択されたサムネールイメージに関連する要約コンテンツから順次に再生することができる。
【０１５１】
これまで、本発明の係る放送受信装置１００で受信されたコンテンツに対する要約コンテンツを生成する方法について詳細に説明してきた。以下では、放送受信装置１００でコンテンツを構成する複数の映像フレームの各画素値に基づいて要約コンテンツを生成する動作及び方法について詳細に説明する。
【０１５２】
上述の制御部１３０は、ユーザから視聴中のコンテンツ或いは保存部１６０に保存された録画コンテンツに対する要約コンテンツサービス命令が入力されると、入力された要約コンテンツサービス命令に関連するコンテンツの複数の映像フレームの画素値を比較し、要約コンテンツサービスのためのイメージ領域を検出する。このとき、制御部１３０は、要約コンテンツサービス命令が入力された時点のコンテンツに対する複数の映像フレームの画素値を比較して要約コンテンツサービスのためのイベント領域を検出することが望ましい。ここで、要約コンテンツサービス関連コンテンツはスポーツ試合に対するコンテンツであってよく、イベント領域はスポーツ試合時間をガイドする時間情報、チーム情報、スコア情報を含むスポーツ試合状況をガイドするスコアボード領域であってよい。
【０１５３】
このようなイベント領域が検出されると、制御部１３０はイベント領域が検出された後、当該コンテンツに対する映像フレームが入力されると、入力された映像フレームから予め検出されたイベント領域に対応する領域を検出し、イベント領域と当該イベント領域に対応する領域の文字変化を検知してイベント発生有無を検知する。ここで、文字変化を検知することは、例えば、サッカースポーツの場合、ゴールが入った後にスコア関連数字が変化されるか否かを検知することであってよい。よって、制御部１３０は、スコア関連数字が変化されるか否かに応じてイベントが発生したと検知することができる。このようなイベントが発生したと検知されると、制御部１３０はイベントの発生した時点の映像フレーム区間に基づいてハイライト映像のような要約コンテンツを生成し、生成された要約コンテンツを保存部１６０に保存する。実施形態によって、制御部１３０はイベントの発生した時点の映像フレームが獲得されると、イベントの発生した時点の映像フレームと当該映像フレームの前後映像フレームのうち、予め設定された固定時間に存在する前後映像フレームに基づいて要約コンテンツを生成することができる。
【０１５４】
一方、制御部１３０は、イベントの発生した時点の映像フレーム区間に基づいて要約コンテンツが生成されると、生成された要約コンテンツを含む複数の映像フレームのうち１つの映像フレームに対する映像イメージを当該要約コンテンツを識別するための代表サムネールイメージとして決定することができる。実施形態によって、制御部１３０は要約コンテンツを含む複数の映像フレーム別の映像イメージを分析して、ズームインショットイメージに該当する映像フレームの映像イメージを代表サムネールイメージとして決定することができる。このように、要約コンテンツを識別するための代表サムネールイメージが決定されると、制御部１３０は予め生成された要約コンテンツ及び当該要約コンテンツを識別するために代表サムネールイメージに決定された映像イメージを相互マッチングさせて保存部１６０に保存することができる。
【０１５５】
具体的に、制御部１３０は、コンテンツを構成する複数の映像フレームの画素差に基づいてイベント領域を検出し、検出されたイベント領域に基づいてその後の映像フレームに当該イベント領域に対応する領域があるか否かを判断する。その後、制御部１３０は、イベント領域及び当該イベント領域に対応する領域を分析し、文字変化が発生するか否かに応じてイベントが発生したか否かを検知する。
【０１５６】
具体的に、制御部１３０は、後述のイベント検出部１３１を介してイベント領域を  検出することができる。具体的に、イベント検出部１３１は、コンテンツを構成する複数の映像フレームのうち、第１及び第２映像フレームの間の相互対応する各画素領域別の画素差と予め設定された臨界値とを比較し、予め設定された臨界値未満の画素差を有する画素領域の数を算出する。その後、イベント検出部１３１は、予め設定された臨界値未満の画素差を有する画素領域の数が予め設定された臨界画素数未満である場合、予め設定された臨界回数以上連続的に検出されるか否かを判断する。判断の結果、予め設定された臨界値未満の画素差を有する画素領域の数が予め設定された臨界回数以上連続的に検出されると、イベント領域検出部１３１は臨界値未満の画素差未満の画素差を有する画素領域に基づいてイベント領域を検出し、検出されたイベント領域を保存部１６０に保存する。
【０１５７】
より具体的に、ユーザから要約コンテンツ再生命令が入力された後、当該命令に対応するコンテンツの映像フレームが入力されてよい。このような映像フレームが少なくとも２つ以上入力されると、イベント検出部１２１は最初入力された映像フレーム（以下、第１映像フレームという）（Ｉｎ−１）の各画素領域と次の映像フレーム（以下、第２映像フレームという）（Ｉｎ）の各画素領域から画素差（Ｄｎ−１）を算出する。その後、イベント検出部１３１は、各画素領域別の画素差（Ｄｎ−１）が算出されると、算出されたそれぞれの画素差（Ｄｎ−１）と予め設定された臨界値とを比較し、予め設定された臨界値未満の画素差（Ｄｎ−１）を有する画素領域の数を算出する。
【０１５８】
実施形態によって、イベント検出部１３１は、臨界値未満の画素差を有する画素領域と残りの画素領域の変数を異なるように適用し、臨界値未満の画素差を有する画素領域に適用された変数の数から画素領域の数を算出することができる。具体的に、イベント検出部１３１は、第１映像フレーム（Ｉｎ−１）の各画素領域の変数を１に初期化する。その後、イベント検出部１３１は、第１及び第２映像フレーム（Ｉｎ−１）（Ｉｎ）に基づいて予め設定された臨界値未満の画素差（Ｄｎ−１）を有する画素領域の変数を１に維持し、予め設定された臨界値以上の画素差（Ｄｎ−１）を有する画素領域の変数を０に変換する。それにより、イベント検出部１３１は、第１映像フレーム（Ｉｎ−１）の各画素領域が変数のうち変数１に維持された画素領域の数を算出することができる。
【０１５９】
このように、画素領域の数が算出されると、イベント検出部１３１は変数１に維持されは画素領域の数と予め設定された臨界画素数とを比較し、変数１に維持された画素領域の数が予め設定された臨界画素数未満か否かを判断する。判断の結果、予め設定された臨界画素数未満の場合、イベント検出部１３１はＳｔａｔｉｃ＿Ｃｏｕｎｔを１増加させる。その後、イベント検出部１３１は、変数の変化された第１映像フレーム（Ｉｎ−１）と第２映像フレーム（Ｉｎ）以後の第３映像フレーム（Ｉｎ＋１）の各画素領域別の画素差と予め設定された臨界値とを比較し、予め設定された臨界値未満の画素差（Ｄｎ−１）を比較し、予め設定された臨界値未満の画素差（Ｄｎ−１）を有する画素領域の変数を１に維持し、予め設定された臨界値以上の画素差（Ｄｎ−１）を有する画素領域の数と予め設定された臨界画素数とを比較し、変数１に維持された画素領域の数が予め設定された臨界画素数未満の場合、１が増加されたＳｔａｔｉｃ＿Ｃｏｕｎｔに１を追加で増加させる。このような一連の動作を通じ、Ｓｔａｔｉｃ＿Ｃｏｕｎｔの値が予め設定された値（予め設定された臨界回数）以上になると、イベント検出部１３１は第１映像フレーム（Ｉｎ−１）の変数のうち、変数１に維持された画素領域を要約コンテンツサービスのためのイベント領域として検出することができる。
【０１６０】
実施形態によって、イベント検出部１３１はＦｌｏｏｄ  Ｆｉｌｌアルゴリズムのような連結領域（Ｃｏｎｎｅｃｔｅｄ  Ｃｏｍｐｏｎｅｎｔ）アルゴリズムを用いて第１映像フレーム（Ｉｎ−１）の変数のうち、変数１に維持された画素領域からイベント領域を検出することができる。このようなアルゴリズムは、公知となった技術であるため、本発明では詳細な説明を省略する。
【０１６１】
一方、本発明の更なる態様によって、イベント検出部１３１は予め検出されたイベント領域を分析してイベント発生有無を判断することができるソース情報を生成し、生成されたソース情報を保存部１６０に保存する。ここで、イベント領域はスポーツ試合関連スコアボード領域であり、ソース情報は試合時間領域、スコア領域及びチーム領域のうち少なくとも１つを含んでよい。
【０１６２】
一実施形態によって、イベント検出部１３１は予め検出されたイベント領域内の各画素領域別に設定された変数のうち、画素差発生を示す変数に設定された画素領域に基づいて試合時間領域を含むソース情報を生成し、生成されたソース情報を保存部１６０に保存することができる。
【０１６３】
例えば、サッカー関連スポーツの場合、スコアボード領域として検出されたイベント領域には試合時間を示す試合時間領域を含むことができ、当該試合時間領域は分単位の時間及び秒単位の時間を含むことができる。よって、試合時間領域のうち、秒単位の時間を示す領域の画素領域の変数と残りのイベント領域の画素領域の変数とは異なってよい。すなわち、イベント領域の画素領域うち、秒単位の時間を示す画素領域の変数は０になってよく、秒単位の時間を示す画素領域を除く残りのイベント領域の画素領域の変数は１になってよい。よって、イベント検出部１３１は、イベント領域の画素領域別の変数から１ではない０の変数を有する画素領域が検出されると、０の変数を有する画素領域を基準に予め設定された画素領域を試合時間領域として決定することができる。このとき、イベント検出部１３１は、０の変数を有する画素領域を基準に予め設定された左側領域を画素領域を試合時間領域として決定することが望ましい。
【０１６４】
このような試合時間領域が決定されると、イベント検出部１３１は予め決定されたイベント領域と予め決定された試合時間領域とを含むソース情報を相互マッチングさせて保存部１６０に保存することができる。
【０１６５】
更に別の実施形態によって、イベント検出部１３１は数字認識アルゴリズムを用いて予め検出されたイベント領域から数字を検出し、検出された数字が少なくとも２つ以上連続的に存在すると、数字の検出された画素涼気に基づいて試合時間領域を含むソース情報を生成して保存部１６０に保存することができる。ここで、数字認識アルゴリズムは、Ｏｐｔｉｃａｌ  Ｄｉｇｉｔ  Ｒｅｃｏｇｎｉｔｉｏｎ（ＯＤＲ）アルゴリズムとして、このような数字認識アルゴリズムは公知となった技術であるため、詳細な説明は省略する。
【０１６６】
例えば、サッカー関連スポーツの場合、スコアボード領域として検出されたイベント領域にはスコア及び試合時間を示す領域を含むことができ、各領域を通じて数字イメージが表示されてよい。特に、スコアを示す領域の場合、単一数字イメージが表示されてよく、試合時間を示す領域の場合、複数の数字イメージが表示されてよい。
【０１６７】
よって、イベント検出部１３１は、このような数字認識アルゴリズムを用いて予め検出されたイベント領域から数字が検出されると、検出された数字のうち少なくとも２つ以上連続的に存在する数字を検出し、当該数字の検出された画素領域を基準に予め設定された画素領域を試合時間領域として決定することができる。このとき、イベント検出部１３１は、２つ以上連続的に存在する数字を除く残りの数字に関連して当該数字の検出された画素領域を基準に予め設定された画素領域をスコア領域として決定することができる。このように、試合時間領域または試合時間領域とスコア領域とが決定されると、イベント検出部１３１は、試合時間領域または指示時間領域とスコア領域とを含むソース情報を生成し、生成されたソース情報と予め検出されたイベント領域とを相互マッチングさせて保存部１６０に保存することができる。
【０１６８】
更に別の実施形態によって、イベント検出部１３１は、文字認識アルゴリズムを用いて試合時間領域、スコア領域、チーム領域のうち少なくとも１つを含むソース情報を生成して保存部１６０に保存することができる。ここで、文字認識アルゴリズムは、Ｏｐｔｉｃａｌ  Ｃｈａｒａｃｔｅｒ  Ｒｅｃｏｇｎｉｔｉｏｎ（ＯＣＲ）アルゴリズムとして、このような文字認識アルゴリズムは公知となった技術であるため、詳細な説明は省略する。
【０１６９】
例えば、サッカー関連スポーツの場合、スコアボード領域に検出されたイベント領域にはスコア、リーム名及び試合時間を示す領域を含んでおり、各領域を通じて数字及び文字イメージが表示されてよい。よって、イベント検出部１３１は、このような文字認識アルゴリズムを用いて予め検出されたイベント領域から数字及び文字イベントが表示されると、文字イメージを示す領域をチーム領域として決定し、数字イメージを示す領域をスコア及び試合時間を示す領域として決定することができる。上述のように、スコアを示す領域の場合、単一数字イメージが表示されてよく、試合時間を示す領域の場合、複数の数字イメージが表示されてよい。
【０１７０】
よって、イベント検出部１３１は、予め検出されたイベント領域から数字が検出されると、検出された数字のうち少なくとも２つ以上連続的に存在する数字の検出された画素領域を基準に予め設定された画素領域を試合時間領域として決定することができる。なお、イベント検出部１３１は、２つ以上連続的に存在する数字を除く残りの数字に関連して当該数字の検出された画素領域を基準に予め設定された画素領域をスコア領域として決定することができる。このように、チーム領域、スコア領域及び試合時間領域が決定されると、イベント検出部１３１はチーム領域、スコア領域及び試合時間領域を含むソース情報を生成し、生成されたソース情報と予め検出されたイベント領域とを相互マッチングさせて保存部１６０に保存することができる。
【０１７１】
このように、イベント検出部１３１を介してイベント領域が検出されると、制御部１３０はイベント領域が検出された後に入力された映像フレームの各画素領域のうちイベント領域に対応する画素領域を分析してイベント領域に対応する領域が存在するか否かを判断する。
【０１７２】
具体的に、制御部１３０は、予め検出されたイベント領域のち、試合時間領域を除く残りの画素領域と、残りの画素領域に対応する映像フレームの画素領域から算出された画素差のうち、予め設定された臨界値未満の画素差を有する映像フレームの画素領域の数を獲得する。その後、制御部１３０は、予め検出されたイベント領域のうち、試合時間領域を除く残りの画素領域数対比予め設定された臨界値未満の画素差を有する映像フレームの画素領域数の割合値が予め設定された画素割合値未満である場合、イベント領域に対応する領域をイベント領域と判断する。
【０１７３】
より具体的に、制御部１３０は、イベント検出部１３１を介してイベント領域が検出された後、映像フレームが入力されると、入力された映像フレームの画素領域のうち、予め検出されたイベント領域の画素領域に対応する画素領域（以下、イベント候補領域という）を獲得する。
【０１７４】
このような映像フレームのイベント候補領域が獲得されると、制御部１３０はイベント候補領域の画素領域のうち、予め検出されたイベント領域に関連して予め生成されたソース情報に含まれた試合時間領域を除く残りの領域の画素領域に対応する画素領域（第２残りの画素領域という）を獲得する。その後、制御部１３０は、イベント領域の画素領域のうち、試合時間領域を除く残りの領域の画素領域とイベント候補領域から獲得した第２残りの画素領域から各画素領域別の画素差を算出する。その後、制御部１３０は、各画素領域別に算出された画素差と予め設定された臨界値とを比較し、予め設定された臨界値未満の画素差を有する第２残りの画素領域の数を獲得する。その後、制御部１３０は、イベント領域の残りの画素領域数対比予め設定された臨界値未満の画素差を有する映像フレームの画素領域数の割合値を算出する。
【０１７５】
実施形態によって、イベント領域の画素領域のうち、試合時間領域を除く残りの領域の変数は１であってよい。なお、イベント候補領域のうち、第２残りの画素領域の変数は１であってよい。よって、制御部１３０は、変数が１のイベント領域の残りの領域に対する画素領域の数を獲得する。その後、制御部１３０は、予め設定された臨界値未満の画素差を有する第２残りの画素領域の変数を１から０に変更し、予め設定された臨界値以上の画素差を有する第２残りの画素領域の変数を１に維持する。その後、制御部１３０は、予め獲得したイベント領域の残りの領域に対する画素領域数対比第２残りの画素領域のうち、変数が１に維持された画素領域数の割合値を算出する。その後、制御部１３０は算出された割合値と予め設定された臨界値とを比較し、予め算出された割合値が予め設定された臨界値未満である場合、イベント領域に対応するイベント候補領域をイベント領域と判断することができる。
【０１７６】
判断の結果、イベント領域に対応する領域が存在すると、制御部１３０は予め検出されたイベント領域に対するソース情報に基づいてイベント領域及びイベント領域に対応する領域を分析してイベント発生有無を検知する。
【０１７７】
具体的に、制御部１３０は予め検出されたイベント領域に関連して予め保存されたソース情報にスコア領域が含まれているか否かを判断する。判断の結果、スコア領域が含まれていない場合、制御部１３０はイベント領域に対応する領域の画素領域のうち、ソース情報に含まれた試合時間領域を除く残りの画素領域に対応する画素領域の変数に基づいてスコア領域を決定する。その後、制御部１３０は、予め検出されたスコア領域に基づいて予め検出されたイベント領域からスコア領域からスコア領域を決定する。その後、制御部１３０は、数字認識アルゴリズムを用いてそれぞれのスコア領域から数字を認識して数字変化有無に応じてイベント発生有無を検知する。
【０１７８】
上述のように、イベント領域（以下、第１イベント領域という）に対応する領域（以下、第２イベント領域という）の変数は、第１及び第２イベント領域の画素領域間の画素差に応じて１から０に、または、１に維持されてよい。上述のように、第２イベント領域の第２残りの画素領域のうち、第１及び第２イベント領域の画素領域間の画素差が予め設定された臨界値以上の画素領域の変数は１であってよく、残りの画素領域の変数は０であってよい。
【０１７９】
よって、制御部１３０は第２イベント領域のうち、試合時間領域を除く残りの領域に対する画素領域のうち変数が１の画素領域を獲得する。その後、制御部１３０は、変数が１の画素領域が予め設定された数以上連続的に隣接しているか否かを判断し、連続的に隣接していると、連結領域アルゴリズムを用いて変数が１の画素領域からスコア領域を決定する。その後、制御部１３０は、第２イベント領域から決定されたスコア領域に基づいて第１イベント領域のスコア領域を決定することができる。このように、第１及び第２イベント領域のスコア領域がそれぞれ決定されると、制御部１３０は数字認識アルゴリズムを用いてそれぞれのスコア領域から数字を認識する。その後、制御部１３０はそれぞれのスコア領域から認識された数字を比較して両数字が相互異なると、イベントが発生したと判断することができる。
【０１８０】
例えば、第１イベント領域のスコア領域から認識された数字は０であってよく、第２イベント領域のスコア領域から認識された数字は１であってよい。このように、両数字が相互異なると判断されると、制御部１３０はイベントが発生したと検知することができる。
【０１８１】
一方、ソース情報にスコア領域が含まれていると、制御部１３０はスコア領域に基づいて第２イベント領域からスコア領域を検出する。その後、制御部１３０は、数字認識アルゴリズムを用いて第１及び第２イベント領域のスコア領域から数字を認識し、認識された数字を比較して両数字が相互異なると、イベントが発生したと検知することができる。このように、両スコア領域から認識された数字を通じてイベントが発生したと検知されると、制御部１３０は保存部１６０に予め保存された第１イベント領域及びソース情報を第２イベント領域及び第２イベント領域に関連するソース情報にアップデートする。
【０１８２】
よって、上述のイベント検出部１３１は、イベント領域及びソース情報がアップデータされた後に映像フレームが入力されると、アップデータされたイベント領域及びソース情報に基づいて新たなイベント領域を検出することができ、制御部１３０はイベント検出部１３１を介して検出されたイベント領域に基づいてイベント発生有無を検知することができる。
【０１８３】
一方、制御部１３０はイベントが発生したと検知されると、上述のように、イベントが発生したと検知された時点の映像フレームと、当該映像フレームを基準に予め設定された固定時間内に存在する前後映像フレームに基づいて要約コンテンツを生成する。なお、制御部１３０は、生成された要約コンテンツを含む複数の映像フレームのうち、ズームインショットイメージに該当する映像フレームの映像イメージを当該要約コンテンツを識別するための代表サムネールイメージとして決定した後、予め生成された要約コンテンツとともに相互マッチングさせて保存部１６０に保存することができる。
【０１８４】
これまで、本発明に係る要約コンテンツサービス提供のためにイベント発生有無を判断する放送受信装置１００の各構成について詳細に説明する。以下では、本発明に係る放送受信装置１００でイベント発生有無を判断する動作について多様な実施形態を通してより具体的に説明する。
【０１８５】
図９は、本発明の一実施形態に係る放送受信装置からイベント領域を検出する例示図である。
【０１８６】
図９の（ａ）及び（ｂ）に示すように、第１及び第２映像フレームが入力されると、制御部１３０はイベント検出部１３１を介してイベント領域を検出する。上述のように、イベント検出部１３１は、第１及び第２映像フレームの各画素領域別の画素差を算出した後、算出された画素差と予め設定された臨界値とを比較して予め設定された臨界値未満の画素差を有する画素領域を抽出する。
【０１８７】
図示のように、第１及び第２映像フレームに対応する第１及び第２映像イメージ９００、９００’のうち左側上段にはスコアボード９１０、９１０’が表示されてよい。この場合、スコアボード９１０、９１０’に対応する画素領域は予め設定された臨界値未満の画素差を有してよい。よって、イベント検出部１３１は、第１及び第２映像イメージ９００、９００’の左測上段にそれぞれ表示されたスコアボード９１０、９１０’に対応する画素領域をイベント領域として検出することができる。
【０１８８】
図１０は、本発明の一実施形態に係る放送受信装置で初期映像フレームに設定された変数を示す例示図であり、図１１は、本発明の一実施形態に係る放送受信装置で複数の映像フレームに基づいて予め設定された臨界値未満の画素差を有する映像フレームに設定された変数を示す例示図である。
【０１８９】
上述の図９の（ａ）における第１映像イメージ９００に対応する第１映像フレームが入力されると、イベント検出部１３１は第１映像フレームの画素領域の変数を１に初期設定する。すなわち、イベント検出部１３１は、図１０に示すように、第１映像フレームに関連して各画素領域別の変数が１に初期設定された映像フレーム１０１０を生成する。このように、各画素領域別の変数が１に初期設定された映像フレーム１０１０が生成された状態で、上述の図９の（ｂ）における第２映像フレーム９００’に対応する第２映像フレームが入力されると、イベント検出部１３１は第１及び第２映像フレームの各画素領域別の画素差を算出する。その後、イベント検出部１３１は、領域別に算出された画素差と予め設定された臨界値とを比較し、予め設定された臨界値未満の画素差を有する画素領域を除く残りの画素領域の変数を１から０に変更する。
【０１９０】
上述のように、第１及び第２映像フレームのそれぞれに対応する第１及び第２映像イメージ９００、９００’の左側上段にはスコアボード９１０、９１０’が表示されてよい。よって、スコアボード９１０、９１０’に対応する画素領域を除く残りの画素領域は予め設定された臨界値以上の画素差を有してよい。この場合、イベント検出部１３１は、図１１に示すように、第１映像フレームに関連して生成された映像フレーム１０１０の各画素領域別に設定された変数のうち、予め設定された臨界値以上の画素差を有する画素領域の変数を１から０に変更し、予め設定された臨界値未満の画素差を有する画素領域の変数を予め設定された１に維持する。すなわち、イベント検出部１３１は、スコアボード９１０、９１０’に対応する画素領域の変数を予め設定された１に維持し、残りの画素領域の変数を予め設定された１から０に変換してよい。
【０１９１】
その後、イベント検出部１３１は、連結領域アルゴリズムを用いて画素領域の変数が予め設定された１に維持された画素領域からイベント領域１１１０を検出することができる。一方、図９の（ａ）において、第１映像フレームに対応するスコアボード９１０には試合時間を示す時間情報を含むことができ、当該時間情報は分単位の時間と秒単位の時間とを含むことができる。よって、秒単位の時間が表示される領域は第１及び第２映像フレーム間の画素差が予め設定された臨界値以上であってよい。よって、予め検出されたイベント領域１１１０内の画素領域のうち、秒単位の時間の表示される領域に対応する画素領域の変数は０であってよい。このように、予め検出されたイベント領域１１１０内に変数が０の画素領域が検出されると、イベント検出部１３１は当該画素領域を試合時間関連領域であると判断する。よって、イベント検出部１３１は、予め検出されたイベント領域１１１０内に変数が０の画素領域１１２０を基準に予め設定された画素領域を試合時間領域１１３０として決定することができる。
【０１９２】
図１２は、本発明の一実施形態に係る放送受信装置でイベント発生有無を検知する第１例示図であり、図１３は、本発明の別の実施形態に係る放送受信装置でイベント発生有無を検知する第２例示図である。
【０１９３】
図１２に示すように、イベント領域が検出された状態で、入力された映像フレームがイベント領域に対応する領域として検出されると、制御部１３０は予め検出されたイベント領域と当該イベント領域に対応する領域との各画素領域別の画素差に基づいて設定された変数からイベント発生有無を検知することができる。
【０１９４】
具体的に、図１２の（ａ）に示すように、入力された映像フレームに対する映像イメージ１２００に関連して左側上段にはスコアボード１２１０が表示されてよく、スコアボード１２１０の表示される領域は、イベント領域に対応する領域として判別された領域であってよい。この場合、制御部１３０は、イベント領域の各画素領域別に設定された変数とスコアボード１２１０の表示される領域の各画素別に設定された変数とに基づいてイベント発生有無を判断する。もし、両領域の各画素領域別に設定された変数に基づいてイベント領域の画素領域１２１０’のうち、試合時間領域の画素領域１２１０’−１を除く残りの領域の画素領域に対する変数が同様に維持されてよい。
【０１９５】
すなわち、入力された映像フレームに対する映像イメージ１２００上に表示されたスコアボード１２１０にはスコアイメージ１２２０が表示されてよく、スコアイメージ１２２０上に表示された数字は以前の映像イメージのスコアイメージ上に表示された数字と同一であってよい。この場合、図１２の（ｂ）に示すように、イベント領域の画素領域１２１０’のうち、試合時間領域の画素領域１２１０’−１を除く残りの領域の画素領域に対する変数が同一に維持されてよい。このように、試合時間領域の画素領域１２１０’−１を除く残りの領域の画素領域に対する変数が同一に維持されると、制御部１３０はイベントが発生していないと判断する。
【０１９６】
一方、図１３の（ａ）に示すように、入力された映像フレームに対する映像イメージ１３００に関連して左側上段に表示されたスコアボード１３１０上にはスコアイメージ１３２０が表示されてよい。そして、スコアイメージ１３２０上に表示された数字は以前の映像イメージのスコアボード上に表示された数字と異なってよい。
【０１９７】
例えば、図１２で説明した映像イメージ１２００のスコアボード１２１０に含まれたスコアイメージ１２２０上には０：０というスコア関連数字が表示されてよい。すなわち、映像イメージ１２００が入力される前までの映像イメージのスコアボードに含まれたスコアイメージ１２２０上には０：０というスコア関連数字が表示されてよい。一方、映像イメージ１２００が入力された後、図１３で説明した映像イメージ１３００が入力されてよく、入力された映像イメージ１３００のスコアボード１３１０に含まれたスコアイメージ１３２０上には０：１というスコア関連数字が表示されてよい。
【０１９８】
この場合、図１３の（ｂ）に示すように、イベント領域の画素領域１３１０’のうち、試合時間領域の画素領域１３２０’を除く残りの領域の画素領域で一部の画素領域１３１０’−２の変数が１から０に変更されてよい。このように、試合時間領域の画素領域１３１０’−１を除く残りの画素領域のうち、一部の画素領域１３２０’−２の変数が変更されると、制御部１３０は数字認識アルゴリズムを用いて変数の変更された画素領域１３２０’−２に対するスコア領域とスコアボード１３１０上に含まれたスコアイメージ１３２０に対応する画素領域に対するスコア領域から数字を認識する。その後、それぞれのスコア領域から認識された数字が相互異なると、制御部１３０はイベントが発生したと検知することができる。
【０１９９】
これまで、多様な実施形態を通じて本発明に係る放送受信装置１００の動作について詳細に説明してきた。以下では、本発明に係る放送受信装置１００で要約コンテンツサービスを提供する方法について詳細に説明する。
【０２００】
図１４は、本発明の一実施形態に係る放送受信装置で要約コンテンツサービスを提供する方法のフローチャートである。
【０２０１】
図１４に示すように、放送受信装置１００はユーザの要約コンテンツサービス命令に応じて、ユーザの要請したコンテンツに対する映像フレームが入力される。このような複数の映像フレームが入力されると、放送受信装置１００は入力された複数の映像フレームのうち、最初に入力された映像フレームとその後に入力された映像フレームの画素値を比較し、要約コンテンツサービスのためのイベント領域を検出する（Ｓ１４１０）。ここで、要約コンテンツサービス関連コンテンツは、スポーツ試合に対するコンテンツであってよく、イベント領域はスポーツ試合時間をガイドする時間情報、チーム情報、スコア情報を含むスポーツ試合状況をガイドするスコアボード領域であってよい。
【０２０２】
このようなイベント領域が検出されると、放送受信装置１００はイベント領域が検出された後、当該コンテンツに対する映像フレームが入力されると、入力された映像フレームから予め検出されたイベント領域に対応する領域を検出し、イベント領域と当該イベント領域に対応する領域との文字変化を検知し、イベント発生有無を検知する（Ｓ１４２０）。ここで、文字変化を検知することは、例えば、サッカースポーツの場合、ゴールが入った後にスコア関連数字が変化されるか否かを検知するものであってよい。よって、放送受信装置１００はスコア関連数字が変化されるか否かに応じて、イベントが発生したと検知することができる。このようなイベントが発生したと検知されると、放送受信装置１００はイベントの発生した時点の映像フレーム区間に基づいてハイライト映像のような要約コンテンツを生成し、生成された要約コンテンツを保存する（Ｓ１４３０）。このとき、放送受信装置１００は、イベントの発生した時点の映像フレーム区間に基づいて要約コンテンツが生成されると、生成された要約コンテンツを含む複数の映像フレームのうち１つの映像フレームに対する映像イメージを当該要約コンテンツを識別するための代表サムネールイメージとして決定することができる。その後、放送受信装置１００は予め生成された要約コンテンツ及び当該要約コンテンツを識別するために代表サムネールイメージとして決定された映像イメージを相互マッチングさせて保存することができる。
【０２０３】
以下では、放送受信装置１００でイベント領域を検出する方法について詳細に説明する。
【０２０４】
図１５は、本発明の一実施形態に係る放送受信装置でイベント領域を検出する方法のフローチャートである。
【０２０５】
図１５に示すように、放送受信装置１００は複数の映像フレームのうち、最初に入力された第１映像フレーム及び第１映像フレームが入力された後に入力された第２映像フレームの間の相互対応する各画素領域別の画素差を算出する（Ｓ１５１０）。
【０２０６】
各画素領域別の画素差が算出されると、放送受信装置１００は各画素領域別に算出された画素差と予め設定された臨界値とを比較し、予め設定された臨界値未満の画素差を有する画素領域数を算出する（Ｓ１５２０）。予め設定された臨界値未満の画素差を有する画素領域数が算出されると、放送受信装置１００は予め設定された臨界値未満の画素差を有する画素領域数が予め設定された臨界画素数未満か否かを判断する（Ｓ１５３０）。判断の結果、予め設定された臨界画素数以上の場合、放送受信装置１００はステップＳ１５１０ないしＳ１５３０を通じて、第２映像フレーム及び第２映像フレームの後に入力された映像フレームの間の画素値に基づいて予め設定された臨界値未満の画素差を有する画素領域数が予め設定された臨界画素数未満か否かを判断する。
【０２０７】
一方、ステップＳ１５３０において予め設定された臨界値未満の画素差を有する画素領域数が予め設定された臨界画素数未満である場合、放送受信装置１００は予め設定された臨界回数以上連続的に検出されるか否かを判断する（Ｓ１５４０）。判断の結果、予め設定された臨界回数未満で検出されたと判断されると、放送受信装置１００は予め設定された臨界回数以上検出されるまで、上述のステップＳ１５１０ないしＳ１５４０の動作を繰り返し行う。
【０２０８】
このような一連の動作を通じて、予め設定された臨界回数以上連続的に検出されると、放送受信装置１００は予め設定された臨界値未満の画素差を有する画素領域に基づいてイベント領域を検出し、検出されたイベント領域を保存する（Ｓ１５５０）。その後、放送受信装置１００は予め検出されたイベント領域を分析してイベント発生有無を判断するためのソース情報を生成し、生成されたソース情報を保存する（Ｓ１５６０）。ここで、イベント領域は、スポーツ試合関連スコアボード領域であり、ソース情報は試合時間領域、スコア領域及びチーム領域のうち少なくとも１つを含んでよい。
【０２０９】
一実施形態によって、放送受信装置１００は予め検出されたイベント領域内の各画素領域別に設定された変数のうち、画素差発生を示す変数に設定された画素領域に基づいて試合時間領域を含むソース情報を生成し、生成されたソース情報を保存することができる。別の実施形態によって、放送受信装置１００は数字認識アルゴリズムを用いて予め検出されたイベント領域から数字を検出し、検出された数字が少なくとも２つ以上連続的に存在すると、数字の検出された画素領域に基づいて試合時間領域を含むソース情報を生成して保存することができる。更に別の実施形態によって、放送受信装置１００は文字認識アルゴリズムを用いて試合時間領域、スコア領域、チーム領域のうち少なくとも１つを含むソース情報を生成して保存することができる。
【０２１０】
このように、チーム領域、スコア領域及び試合時間領域が決定されると、放送受信装置１００はチーム領域、スコア領域及び試合時間領域を含むソース情報を生成し、生成されたソース情報と予め検出されたイベント領域とを相互マッチングさせて保存することができる。
【０２１１】
これまで、本発明に係る放送受信装置１００で要約コンテンツサービスのためのイベント領域を検出する方法について詳細に説明してきた。以下では、放送受信装置１００で予め検出されたイベント領域に基づいてイベント発生有無を検知する方法について詳細に説明する。
【０２１２】
図１６は、本発明の一実施形態に係る放送受信装置でイベント発生有無を検知する方法を示すフローチャートであり、図１７は、本発明の一実施形態に係る放送受信装置でイベント領域に対応する領域を検出する方法を示すフローチャートである。
【０２１３】
図１６に示すように、放送受信装置１００はイベント領域が検出された後、映像  フレームが入力されると、入力された映像フレームの各画素領域のうちイベント領域に対応する画素領域を分析してイベント領域に対応する領域が存在するか否かを判断する（Ｓ１６１０、Ｓ１６２０）。
【０２１４】
より具体的に、図１７に示すように、放送受信装置１００は予め検出されたイベント領域のうち試合時間領域を除く残りの画素領域と、残りの画素領域に対応する映像フレームの画素領域から画素差を算出する（Ｓ１７１０）。その後、放送受信装置１００は、各画素領域から算出された画素差のうち、予め設定された臨界値未満の画素差を有する映像フレームの画素領域数を獲得する（Ｓ１７２０）。
【０２１５】
その後、放送受信装置１００は、予め検出されたイベント領域のうち試合時間領域を除く残りの画素領域数対比予め設定された臨界値未満の画素差を有する映像フレームの画素領域数の割合値を算出する（Ｓ１７３０）。このように、割合値が算出されると、放送受信装置１００は算出された割合値と予め設定された画素割合値とを比較して予め設定された画素割合値未満か否かを判断する（Ｓ１７４０）。判断の結果、算出された割合値が予め設定された画素割合値未満である場合、放送受信装置１００はイベント領域に対応する領域をイベント領域と同一の領域で検出する（Ｓ１７５０）。
【０２１６】
このように、図１７を介してイベント領域に対応する領域が検出されると、放送受信装置１００は予め検出されたイベント領域に関連して予め保存されたソース情報にスコア領域が含まれているか否かを判断する（Ｓ１６３０）。判断の結果、スコア領域が含まれていない場合、放送受信装置１００はイベント領域に対応する領域の画素領域のうち、ソース情報に含まれた試合時間領域を除く残りの画素領域に対応する画素領域の変数に基づいてスコア領域を決定する（Ｓ１６４０）。
【０２１７】
実施形態によって、イベント領域（以下、第１イベント領域という）に対応する領域（以下、第２イベント領域という）の変数は、第１及び第２イベント領域の画素領域間の画素差に応じて１から０に、または１に維持されてよい。よって、放送受信装置１００は、第２イベント領域のうち試合時間領域を除く残りの領域に対する画素領域のうち変数が１の画素領域を獲得する。その後、放送受信装置１００は、変数が１の画素領域が予め設定された数以上連続的に隣接しているか否かを判断して連続的に隣接している場合、連結領域アルゴリズムを用いて変数が１の画素領域からスコア領域を決定する。その後、放送受信装置１００は予め検出されたスコア領域に基づいて予め検出されたイベント領域からスコア領域を決定する。
【０２１８】
このように、イベント領域及びイベント領域に対応する領域からスコア領域がそれぞれ決定されると、放送受信装置１００は数字認識アルゴリズムを用いてそれぞれのスコア領域から数字を認識して数字変化有無に応じてイベント発生有無を検知する（Ｓ１６５０）。
【０２１９】
一方、ステップＳ１６３０において、ソース情報にスコア領域が含まれていると、放送受信装置１００はスコア領域に基づいてイベント領域に対応する領域でスコア領域を検出する。その後、放送受信装置１００は、上述のステップＳ１６５０のように、数字認識アルゴリズムを用いてそれぞれのスコア領域から数字を認識し、認識された数字を比較して両数字が相互異なると、イベントが発生したと検知することができる。このように、両スコア領域から認識された数字を通じてイベントが発生したと検知されると、放送受信装置１００は予め保存されたイベント領域及びソース情報を当該イベント領域に対応する領域及び当該領域に対するソース情報にアップデートする。
【０２２０】
よって、放送受信装置１００はイベント領域及びソース情報がアップデートされた後に映像フレームが入力されると、アップデートされたイベント領域及びソース情報に基づいて新たなイベント領域を検出し、検出されたイベント領域に基づいてイベント発生有無を検知することができる。
【０２２１】
以下では、上述の放送受信装置１００で受信されたコンテンツに対する要約コンテンツ生成及び当該要約コンテンツに対するサムネールイメージを決定する更に別の実施形態について具体的に説明する。
【０２２２】
上述のデータ処理部１５０は、コンテンツに含まれた映像及びオーディオデータに対するデコードを行うデコード部１５１を含んでよい。よって、デコード部１５１はユーザの要請したチャネルのコンテンツが受信されると、受信されたコンテンツに含まれた映像及びオーディオデータに対するデコードを行う。しかし、本発明はそれに限定されずに、デコード部１５１は保存部１６０に予め保存されたコンテンツのうち、ユーザ命令に対応するコンテンツの映像及びオーディオデータに対するデコードを行うことができる。
【０２２３】
一方、上述の保存部１６０は、ユーザの要請に応じて、視聴中のコンテンツ或いは予約設定されたコンテンツに関連してレコーディングされた録画コンテンツを保存することができる。更に、保存部１６０は視聴中のコンテンツ或いは録画コンテンツに対する要約コンテンツ及び要約コンテンツを識別するための代表サムネールイメージを保存することができる。ここで、要約コンテンツは、リアルタイムでストリーミングされるコンテンツまたはレコーディングされた録画コンテンツに対するハイライト映像であってよく、代表サムネールイメージはＪＰＥＧ（Ｊｏｉｎｔ  Ｐｈｏｔｏｇｒａｐｈｉｃ  Ｅｘｐｅｒｔｓ  Ｇｒｏｕｐ）映像イメージであってよい。しかし、本発明はそれに限定されず、代表サムネールイメージはＢＭＰ（Ｂｉｔｍａｐ）、ＧＩＦ（Ｇｒａｐｈｉｃ  Ｉｎｔｅｒｃｈａｎｇｅ  Ｆｏｒｍａｔ）等の映像イメージであってよい。
【０２２４】
よって、上述の出力部１２０は、制御部１３０の制御命令に応じて、映像出力部１２１及びオーディオ出力部１２３を介してユーザの要請したチャネルのコンテンツ或いは保存部１６０に予め保存された録画コンテンツの映像及びオーディオデータを出力するだけでなく、要約コンテンツに対する映像及びオーディオデータを出力することができる。
【０２２５】
具体的に、要約コンテンツに対する映像及びオーディオデータを出力する場合、映像出力部１２１は、要約コンテンツ及び要約コンテンツを識別する代表サムネールイメージを同時に画面上にディスプレイすることができる。よって、ユーザが代表サムネールイメージを選択すると、映像出力部１２１は制御部１３０の制御命令に応じて、選択された代表サムネールイメージに対応する要約コンテンツから順次にディスプレイすることができる。このような要約コンテンツと代表サムネールイメージをディスプレイする動作は以下で詳細に説明する。
【０２２６】
一方、上述の制御部１３０は、デコードされた映像及びオーディオデータのうち少なくとも１つを分析してイベント発生による要約コンテンツを生成する。なお、制御部１３０は、現在再生されるコンテンツに関連してデコードされた映像データの映像イメージを分析して予め設定された条件に対応する映像イメージを候補サムネールイメージとして決定し、保存部１６０に保存する。すなわち、制御部１３０は、コンテンツが再生される時点と同期化した時点から当該コンテンツの映像データに対する映像イメージを分析して予め設定された条件に対応する映像イメージを候補サムネールイメージとして決定し、決定された候補サムネールイメージを保存部１６０に保存することができる。
【０２２７】
一方、制御部１３０は要約コンテンツが生成されると、要約コンテンツに含まれた時間情報に基づいて保存部１６０に予め保存された少なくとも１つの候補サムネールイメージのうち、当該要約コンテンツに対応する候補サムネールイメージを獲得し、獲得した候補サムネールイメージを当該要約コンテンツの代表サムネールイメージとして決定し、保存部１６０に保存する。ここで、要約コンテンツに含まれた時間情報は要約コンテンツに関連するコンテンツの再生時間と同期化した時間を基準に当該要約コンテンツが再生される時間であってよい。一方、制御部１３０は要約コンテンツの代表サムネールイメージに決定された候補サムネールイメージをＪＰＥＧ映像イメージに変換して保存部１６０に保存することが望ましい。
【０２２８】
一方、制御部１３０は、デコードされた映像データの映像イメージを分析して候補サムネールイメージを決定する前に、デコードされた映像データの映像イメージ及び映像イメージの前後映像イメージを分析して上下左右のうち少なくとも１つの領域にブラックイメージが連続的に検出されるか否かを判断する。
【０２２９】
一般的に、ＳＤ映像フォーマット或いはＨＤ映像フォーマットからなるコンテンツの場合、ディスプレイされる映像データの出力画面の割合が通常映像フォーマットからなる映像データの出力画面の割合と異なってよい。よって、ＳＤ映像フォーマット或いはＨＤ映像フォーマットからなる映像データの場合、上下左右のうち少なくとも１つの領域にブラックイメージを含んでよい。それにより、制御部１３０はコンテンツに対する再生が開始されると、最初に映像出力部１２１を介して出力される映像データから連続する映像データのうち、予め設定された数の映像データを分析して上下左右のうち少なくとも１つの領域にブラックイメージが連続的に検出されるか否かを判断する。判断の結果、少なくとも１つの領域にブラックイメージが連続的に検出されると、制御部１３０はブラックイメージを含む少なくとも１つの映像を除去した後、ブラックイメージを含む領域の除去された分だけ映像イメージをリサイジングする。
【０２３０】
その後、制御部１３０はリサイジングされた映像イメージ或いはオリジナル映像イメージを分析してズームインショット（Ｚｏｏｍ−Ｉｎ  Ｓｈｏｔ）イメージに該当する映像イメージを候補サムネールイメージに決定して保存部１６０に保存することができる。それにより、保存部１６０は、現在再生されているコンテンツに対する少なくとも１つの候補サムネールイメージを保存することができる。
【０２３１】
上述のように、デコードされた映像データの映像イメージを分析してズームインショットイメージを候補サムネールイメージに決定する制御部１３０は、次のような実施形態を通じて映像イメージがズームインショットか否かを判断して候補サムネールイメージを決定することができる。
【０２３２】
一実施形態によって、制御部１３０はデコードされた映像データ別の映像イメージを分析して有効フィールドカラーに対応する色相の画素割合値に基づいてズームインショットイメージと判断される映像データの映像イメージを候補サムネールイメージとして決定することができる。
【０２３３】
具体的に、保存部１６０は、スポーツ種目別に映像イメージを示す色相のうち、代表色相を示す有効フィールドカラーに対する割合及び映像イメージの全色相の画素対比有効フィールドカラーの画素割合を示す基準画素割合値を保存することができる。
【０２３４】
よって、制御部１３０は、デコードされた映像データ別の映像イメージを分析して有効フィールドカラーに対応する色相の画素割合値を算出する。その後、制御部１３０は、予め算出された画素割合値と予め設定されて保存部１６０に保存された当該有効フィールドカラーに対する基準画素割合値を比較し、基準画素割合値未満の画素割合値を有する映像イメージをズームインショットと判断することができる。よって、制御部１３０は、ズームインショットイメージと判断された映像イメージを候補サムネールイメージとして決定して保存部１６０に保存することができる。
【０２３５】
例えば、サッカー、野球、アメリカンフットボール、ゴルフスポーツの有効フィールドカラーはグリーン（Ｇｒｅｅｎ）カラーに設定されてよく、競泳スポーツの有効フィールドカラーはブルー（Ｂｌｕｅ）カラーに設定されてよく、アイスホッケー、スピードスケーティングスポーツの有効フィールドカラーはホワイト（Ｗｈｉｔｅ）カラーに設定されてよい。このように、保存部１６０は、各スポーツ種目別に各スポーツ種目に対する代表色相を示す有効フィールドカラーが設定されてよい。なお、保存部１６０は、スポーツ関連コンテンツの映像データに対する映像イメージを示す全色相の画素対比当該スポーツに対する有効フィールドカラーの画素割合を示す基準画素割合値を保存することができる。
【０２３６】
例えば、再生中のコンテンツがサッカー関連コンテンツである場合、制御部１３０は再生中のコンテンツの映像データ別の映像イメージを分析してサッカースポーツの有効フィールドカラーのグリーンカラーの画素値と全映像イメージを示す色相の画素値からグリーンカラーに対する画素割合値を算出する。その後、制御部１３０は、算出されたグリーンカラーに対する画素割合値と予め設定されて保存されたサッカースポーツ関連基準画素割合値を比較し、基準画素割合値未満の画素割合値を有する映像イメージを読み取り、読み取られた映像イメージを候補サムネールイメージに決定して保存部１６０に臨時保存する。このとき、制御部１３０は、候補サムネールイメージに決定された映像イメージが再生される時点の時間情報を保存部１６０に同時に保存する。よって、保存部１６０は再生中のコンテンツに関連する少なくとも１つの候補サムネールイメージ及び当該候補サムネールイメージに対する時間情報を保存することができる。
【０２３７】
更に別の実施形態によって、制御部１３０はデコードされた映像データ別の映像イメージを分析して映像イメージを示す画素数と予め設定された臨界画素数とを比較する。その後、制御部１３０は、デコードされた映像データ別の映像イメージのうち、予め設定された臨界画素数未満の画素数を含む映像イメージをズームインショットイメージと判断し、ズームインショットと判断された映像イメージを候補サムネールイメージに決定して保存部１６０に保存する。このとき、制御部１３０は、候補サムネールイメージに決定された映像イメージが再生される時点の時間情報を獲得し、当該候補サムネールイメージに決定された映像イメージとともに保存部１６０に保存する。よって、保存部１６０は、再生中のコンテンツに関連する少なくとも１つの候補サムネールイメージ及び当該候補サムネールイメージに対する時間情報を保存することができる。
【０２３８】
例えば、デコードされた映像データ別の映像イメージのうち、第１映像イメージは５の色相に対する画素数を含むことができ、第２映像イメージは１０の色相に対する画素数を含むことができる。そして、予め設定された臨界画素数は７に設定されてよい。この場合、制御部１３０は、第１及び第２映像イメージの画素数のそれぞれと臨界画素数とを比較して、臨界画素数より少ない画素数を含む第１映像イメージを候補サムネールイメージとして決定することができる。候補サムネールイメージが決定されると、制御部１３０は候補サムネールイメージとして決定された第１映像イメージと候補サムネールイメージに決定された第１映像イメージの再生される時点の時間情報を保存部１６０に保存することができる。
【０２３９】
更に別の実施形態によって、制御部１３０はデコードされた映像データ別の映像イメージに含まれたオブジェクトのうち、予め設定された臨界サイズ以上のオブジェクトを含む映像イメージをズームインショットイメージと判断し、ズームインショットと判断された映像イメージを候補サムネールイメージに決定して保存部１６０に保存する。このとき、制御部１３０は、候補サムネールイメージに決定された映像イメージの再生される時点の時間情報を獲得し、当該候補サムネールイメージとして決定された映像イメージとともに保存部１６０に保存する。それにより、保存部１６０は再生中のコンテンツに関連する少なくとも１つの候補サムネールイメージ及び当該候補サムネールイメージに対する時間情報を保存することができる。
【０２４０】
更に別の実施形態によって、制御部１３０はデコードされた映像データ別の映像イメージを相互比較分析する。このとき、制御部１３０は、上述の多様な実施形態のうち１つを通じて、映像データ別の映像イメージを相互比較分析することができる。その後、制御部１３０は、相互比較された映像イメージのうち１つの映像イメージを候補サムネールイメージに決定し、候補サムネールイメージに決定された映像イメージを保存することができる。
【０２４１】
このような多様な実施形態を通じて、再生中のコンテンツに関連する少なくとも１つの候補サムネールイメージが決定されると、制御部１３０は予め決定された少なくとも１つの候補サムネールイメージと以前の映像イメージのヒストグラムに基づいてシーン変化率を決定する。その後、制御部１３０は、予め決定されたシーン変化率と予め設定された基準変化率とを比較し、予め設定された基準変化率未満のシーン変化率を有する候補サムネールイメージを除く残りの候補サムネールイメージを保存部１６０から削除する。それにより、保存部１６０は、予め設定された基準変化率未満のシーン変化率を有する候補サムネールイメージのみを保存することができる。
【０２４２】
具体的に、制御部１３０は予め決定された少なくとも１つの候補サムネールイメージに対する映像イメージと当該映像イメージの以前の映像イメージのそれぞれに対するヒストグラムを生成する。その後、制御部１３０はユークリッド距離（Ｅｕｃｌｉｄｅａｎ  Ｄｉｓｔａｎｃｅ）を用いてそれぞれのヒストグラムの相違値を算出し、算出された相違値の度合いに応じて、候補サムネールイメージに対するシーン変化率を決定することができる。このように、候補サムネールイメージに対するシーン変化率が決定されると、制御部１３０は予め決定された候補サムネールイメージのシーン変化率が予め設定された基準変化率未満のシーン変化率か否かに応じて、当該候補サムネールイメージを保存部１６０から削除するか否かを決定することができる。
【０２４３】
このように、再生中のコンテンツに関連して少なくとも１つの候補サムネールイメージが保存部１６０に保存されると、制御部１３０は予め保存された少なくとも１つの候補サムネールイメージの時間情報と要約コンテンツの再生関連時間情報とに基づいて当該要約コンテンツの再生区間に属する候補サムネールイメージが保存部１６０に保存されているか否かを判断する。判断の結果、予め生成された要約コンテンツの再生区間に属する候補サムネールイメージが保存部１６０に保存されていると、制御部１３０は当該候補サムネールイメージを予め生成された要約コンテンツに対する代表サムネールイメージとして決定することができる。
【０２４４】
一方、予め生成された要約コンテンツの再生区間に属する候補サムネールイメージが保存部１６０に保存されていない場合、制御部１３０は予め生成された要約コンテンツの再生が終了する区間の映像イメージを代表サムネールイメージとして決定することができる。しかし、本発明はそれに限定されずに、制御部１３０は予め設定された要約コンテンツの再生が開始する区間の映像イメージ或いは要約コンテンツを構成する複数の映像イメージのうちズームインショットイメージに関連する映像イメージを代表サムネールイメージとして決定することができる。このように、予め生成された要約コンテンツに対する代表サムネールイメージが決定されると、制御部１３０は予め決定された代表サムネールイメージと当該要約コンテンツとを相互マッチングさせて保存部１６０に保存することができる。
【０２４５】
一方、制御部１３０は、上述の実施形態を通じてデコードされた映像及びオーディオデータのうち少なくとも１つを分析してイベント発生によるイベント区間を検出し、検出されたイベント区間に基づいて要約コンテンツを生成することができる。具体的に、制御部１３０は、検出されたイベント区間に該当する映像区間及び当該映像区間が前後映像区間に基づいて要約コンテンツを生成することができる。ここで、前後映像区間は予め設定された条件に対応する映像区間であってよい。実施形態によって、制御部１３０はイベント区間が検出されると、検出されたイベント区間に該当する映像区間を基準に予め設定された固定時間内に存在する前後映像区間を獲得することができる。このような予め設定された固定時間内に存在する前後映像区間が獲得されると、制御部１３０はイベント区間に該当する映像区間及び予め設定された固定時間内に存在する前後映像区間に基づいて要約コンテンツを生成することができる。
【０２４６】
このとき、制御部１３０は、固定時間内に存在する前後映像区間の映像イメージを分析してシーン場面の変化された映像区間があるか否かに応じて、予め獲得した前後映像区間のうち一部の映像区間と、イベント区間に該当する映像区間に基づいて要約コンテンツを生成することができる。
【０２４７】
図１８は、本発明の一実施形態に係る放送受信装置でブラックイメージを含む映像イメージを加工処理する例示図である。
【０２４８】
図１８の（ａ）は、ＳＤ映像フォーマット或いはＨＤ映像フォーマットからなるコンテンツに含まれた映像イメージ１８１０は、上下左右領域１８２０にブラックイメージを含んでよい。このように、映像イメージ１８１０は、上下左右領域１８２０にブラックイメージが含まれている場合、制御部１３０は、上下左右領域１８２０に含まれたブラックイメージを除去した後、映像イメージ１８１０をリサイジングする。すなわち、制御部１３０は、映像イメージ１８１０の上下左右領域１８２０に含まれたブラックイメージを除去した後、ブラックイメージの除去された領域１９２０分だけ映像イメージ１８１０をリサイジングする。よって、制御部１３０は、図１８の（ｂ）に示すように、ブラックイメージを含む領域１８２０分だけサイズの拡大された映像イメージ１８１０’を生成することができる。
【０２４９】
図１９は、本発明の一実施形態に係る放送受信装置で候補サムネールイメージを決定する例示図である。
【０２５０】
図１９に示すように、制御部１３０は、コンテンツが再生される時点と同期した時点から当該コンテンツに含まれた映像データの映像イメージを分析する。コンテンツが再生される場合、第１映像イメージ１９１０から順次に画面上にディスプレイされてよい。よって、制御部１３０は、第１映像イメージ１９１０から順次に分析することができる。図示のように、第１出力映像イメージ１９１０’は第１映像イメージ１９１０に対応する映像イメージとして、制御部１３０は、第１出力映像イメージ１９１０’の有効フィールドカラーに対応する色相の画素割合値を算出する。例えば、有効フィールドカラーに対応する色相がグリーンであれば、制御部１３０は第１出力映像イメージ１９１０’を示す色相の画素対比有効フィールドカラーに対応するグリーンカラーの画素から画素割合値を算出することができる。このような画素割合値が算出されると、制御部１３０は第１出力映像イメージ１９１０’の有効フィールドカラーに対応するグリーンカラーに対する画素割合値が予め設定された基準画素割合値未満か否かを判断する。判断の結果、第１出力映像イメージ１９１０’の有効フィールドカラーに対応するグリーンカラーに対する画素割合値が予め設定された基準画素割合値以上であれば、制御部１３０は第１映像イメージ１９１０に対応する第１出力映像イメージ１９１０’がズームインショットイメージではないと判断する。
【０２５１】
このような方式を通じて、制御部１３０は第１映像イメージ１９１０から順次に画面上にディスプレイされる映像イメージのうち、第２映像イメージ１９２０及び第３映像イメージ１９３０がズームインショットイメージと判断することができる。ここで、ズームインショットイメージと判断された第２及び第３映像イメージ１９２０、１９３０のそれぞれに対応する第２及び第３出力映像イメージ１９２０’、１９３０’は有効フィールドカラーに対応するグリーンカラーに対する画素割合値が予め設定された基準画素割合値より少ない映像イメージであってよい。よって、制御部１３０は、有効フィールドカラーに関連して予め設定された基準画素割合値より少ない画素割合値を有する第２及び第３映像イメージ１９２０、１９３０をズームインショットイメージと判断し、ズームインショットイメージに該当する第２及び第３映像イメージ１９２０、１９３０を候補サムネールイメージとして決定することができる。
【０２５２】
図２０は、本発明の一実施形態に係る放送受信装置で予め決定された候補サムネールイメージのうち、シーン変化率に基づいて最終候補サムネールイメージを決定する例示図である。
【０２５３】
図２０の（ａ）及び（ｂ）に示す第１及び第２映像イメージ２０１０、２０２０は、予め設定された条件に基づいて候補サムネールイメージに決定された映像イメージであってよい。このような第１及び第２映像イメージ２０１０、２０２０が候補サムネールイメージに決定されると、制御部１３０は候補サムネールイメージに決定された第１映像イメージ２０１０と以前の映像イメージのヒストグラムに基づいてシーン変化率を決定する。なお、制御部１３０は、候補サムネールイメージに決定された第２映像イメージ２０２０と以前の映像イメージのヒストグラムに基づいてシーン変化率を決定する。その後、制御部１３０は、候補サムネールイメージに決定された第１及び第２映像イメージ２０１０、２０２０のシーン変化率と予め設定された基準変化率とを比較し、予め設定された基準変化率未満のシーン変化率を有する候補サムネールイメージを最終の候補サムネールイメージとして決定する。
【０２５４】
図示のように、第１及び第２映像イメージ２０１０、２２０２０のうち第１映像イメージ２０１０はカメラアングルの急激な移動によって、ブラー（Ｂｌｕｒ）現象の発生した映像イメージであってよい。よって、このようなブラー現象の発生した第１映像イメージ２０１０は以前の映像イメージとのシーン変化率が大きいため、予め設定された基準変化率より大きい変化率を有してよい。よって、制御部１３０は、第１及び第２映像イメージ２０１０、２０２０のうち第１映像イメージを候補サムネールイメージから除き、第２映像イメージ２０２０のみを最終の候補サムネールイメージとして決定することができる。
【０２５５】
図２１は、本発明の一実施形態に係る放送受信装置に要約コンテンツを生成する例示図である。
【０２５６】
図２１に示すように、制御部１３０はデコードされた映像及びオーディオデータのうち少なくとも１つを分析して予め設定された条件に対応するイベント区間を検出することができる。上述のように、制御部１３０は、イベント検出部１３１を介してデコードされた映像及びオーディオデータのうち少なくとも１つを分析して予め設定された条件に対応するイベント区間を検出することができる。
【０２５７】
図示のように、第１映像区間２１１１がイベント区間として検出されると、制御部１３０はイベント区間として検出された第１映像区間２１１１を基準に予め設定された固定時間内に存在する前後映像区間を獲得する。よって、第１映像区間２１１１を基準に以前の映像区間２１１３、２１２０のうち第２映像区間２１１３が予め設定された固定時間内に存在してよく、第１映像区間２１１１を基準の以後の映像区間２１１５、２１３０のうち第３映像区間２１１５が予め設定された固定時間内に存在してよい。
【０２５８】
このように、第１映像区間２１１１を基準に予め設定された固定時間内に存在する第２及び第３映像区間２１１３、２１１５が獲得されると、制御部１３０は第１ないし第３映像区間２１１１、２１１３、２１１５に基づいて要約コンテンツ２１１０を生成することができる。
【０２５９】
このとき、制御部１３０は、予め獲得した第２及び第３映像区間２１１３、２１１５内に含まれた映像イメージを分析してシーン変化の発生した映像区間があるか否かを判断し、シーン変化の発生した映像区間があれば、当該映像区間を除く残りの映像区間と予め検出されたイベント区間に該当する第１映像区間２１１１に基づいて、要約コンテンツを生成することができる。
【０２６０】
図２２は、本発明の一実施形態に係る放送受信装置で要約コンテンツを再生する例示図である。
【０２６１】
図２２に示すように、放送受信装置１００は、ユーザの要約コンテンツサービス命令が入力されると、入力された要約コンテンツサービス命令に対応する要約コンテンツ２２１０を画面の上段領域にディスプレイし、当該要約コンテンツに関連して予め生成された第１ないし第３代表サムネールイメージ２２２０〜２２４０を画面の下段領域にディスプレイすることができる。ここで、第１代表サムネールイメージ２２２０は要約コンテンツ２１１０に関連するコンテンツから最初のイベント発生による要約コンテンツを識別するためのイメージであってよく、第３代表サムネールイメージ２２３０は当該コンテンツから最後のイベント発生による要約コンテンツを識別するためのイメージであってよい。
【０２６２】
よって、放送受信装置１００は、ユーザの要約コンテンツサービス命令が入力された後、追加命令が入力されないと、映像出力部１２１を介して第１代表サムネールイメージ２２１０とマッチングされた要約コンテンツ２２１０から順次に出力することができる。
【０２６３】
一方、放送受信装置１００は、ユーザの要約コンテンツサービス命令が入力された後、第２代表サムネールイメージ２２２０に対する選択命令が入力されると、現在再生中の要約コンテンツ２２１０を中断し、映像出力部１２１を介して第２代表サムネールイメージ７２０とマッチングされた要約コンテンツ２２１０から順次に出力することができる。
【０２６４】
これまで、多様な実施形態を通じて、本発明に係る放送受信装置１００の動作について詳細に説明してきた。以下では、本発明に係る放送受信装置１００で要約コンテンツサービスを提供する方法について詳細に説明する。
【０２６５】
図２３は、本発明の一実施形態に係る放送受信装置で要約コンテンツサービスを提供する方法のフローチャートである。
【０２６６】
図２３に示すように、放送受信装置１００はユーザの要請した少なくとも１つのコンテンツの映像及びオーディオデータをデコードする（Ｓ２３１０）。ここで、ユーザの要請したコンテンツは、放送サーバ（図示せず）を介してリアルタイムでストリーミングされたり予め保存された録画コンテンツであってよい。
【０２６７】
このようなコンテンツの映像及びオーディオデータに対するデコードが行われると、放送受信装置１００はデコードされた映像データの映像イメージと当該映像イメージの前後映像イメージとを分析し、上下左右のうち少なくとも１つの領域にブラックイメージが連続的に検出されるか否かを判断する（Ｓ２３２０）。
【０２６８】
一般的に、ＳＤ映像フォーマット或いはＨＤ映像フォーマットからなるコンテンツの場合、ディスプレイされる映像データの出力画面の割合が通常映像フォーマットからなる映像データの出力画面の割合と異なってよい。よって、ＳＤ映像フォーマット或いはＨＤ映像フォーマットからなる映像データの場合、上下左右のうち少なくとも１つの領域にブラックイメージを含んでよい。それにより、放送受信装置１００はコンテンツに対する再生が開始されると、最初にデコードされた映像データから連続する映像データのうち、予め設定された数の映像データを分析して上下左右のうち少なくとも１つの領域にブラックイメージが連続的に検出されるか否かを判断する。
【０２６９】
判断の結果、ブラックイメージを含む領域が検出されると、放送受信装置１００はブラックイメージを含む少なくとも１つの領域を除去した後、ブラックイメージを含む領域が除去された分だけ映像イメージをリサイジングする（Ｓ２３３０）。
【０２７０】
その後、放送受信装置１００はデコードされた映像データの映像イメージを分析して少なくとも１つの候補サムネールイメージを決定して保存する（Ｓ２３４０）。ここで、デコードされた映像データの映像イメージは、ブラックイメージを含まないオリジナル映像イメージか、或いは、リサイジングされた映像イメージであってよい。候補サムネールイメージを決定して保存する実施形態は、以下において図面を参照してより詳細に説明する。
【０２７１】
その後、放送受信装置１００はデコードされた映像及びオーディオデータのうち少なくとも１つを分析してイベント発生による要約コンテンツを生成する（Ｓ２３５０）。その後、放送受信装置１００は、要約コンテンツに含まれた時間情報に基づいて要約コンテンツに対応する候補サムネールイメージを当該要約コンテンツに対する代表サムネールイメージとして決定し、決定された代表サムネールイメージと当該要約コンテンツとを相互マッチングさせて保存する（Ｓ２３６０）。ここで、候補サムネールイメージを決定するステップＳ２３４０と、要約コンテンツを生成するステップＳ２３５０は同時に進められてよい。すなわち、放送受信装置１００は、ユーザの命令に応じて、コンテンツが再生される時点から当該コンテンツの映像及びオーディオデータのうち少なくとも１つを分析して候補サムネールイメージ及び要約コンテンツを生成することができる。
【０２７２】
一方、放送受信装置１００は、上述のステップＳ２３４０において少なくとも１つの映像イメージを候補サムネールイメージとして決定するために、次のような実施形態を通じて映像イメージがズームインショットイメージか否かを判断し、候補サムネールイメージを決定することができる。以下では、図２４ないし図２８を通じて、放送受信装置１００でデコードされた少なくとも一つの映像データの映像イメージを候補サムネールイメージとして決定する方法について詳細に説明する。
【０２７３】
図２４は、本発明の一実施形態に係る放送受信装置で候補サムネールイメージを決定及び保存する方法の第１フローチャートである。
【０２７４】
図２４に示すように、放送受信装置１００は、コンテンツの映像及びオーディオデータに対するデコードが行われると、デコードされた映像データ別の映像イメージを分析してズームインショットイメージと判断される映像イメージを検出する（Ｓ２４１０）。その後、放送受信装置１００は、ズームインショットイメージと判断される映像イメージを候補サムネールイメージとして決定し、候補サムネールイメージとして決定された映像イメージを保存する（Ｓ２４２０）。このとき、放送受信装置１００は、候補サムネールイメージとして決定された映像イメージが再生される時点の時間情報を獲得して当該候補サムネールイメージとして決定された映像イメージとともに保存する。
【０２７５】
このように、ズームインショットイメージと判断された映像イメージが候補サムネールイメージとして決定されて保存されると、放送受信装置１００は上述のステップＳ２３６０を通じて要約コンテンツに含まれた時間情報に基づいて予め保存された候補サムネールイメージのうち要約コンテンツに対応する候補サムネールイメージを当該要約コンテンツに対する代表サムネールイメージとして決定することができる。
【０２７６】
図２５は、本発明の別の実施形態に係る放送受信装置で候補サムネールイメージを決定及び保存する方法の第２フローチャートである。
【０２７７】
図２５に示すように、放送受信装置１００はデコードされた映像データ別の映像イメージを分析して有効フィールドカラーに対応する色相の画素割合値を算出する（Ｓ２５１０）。その後、放送受信装置１００は、各映像データ別に算出された画素割合値と基準画素割合値とを比較し、基準画素割合値未満の画素割合値を有する映像データを候補サムネールイメージとして決定して保存する（Ｓ２５２０）。このとき、放送受信装置１００は、候補サムネールイメージに決定された映像イメージが再生される時点の時間情報を獲得して当該候補サムネールイメージとして決定された映像イメージとともに保存する。
【０２７８】
具体的に、放送受信装置１００は、スポーツ種目別に映像イメージを示す色相のうり、代表色相を示す有効フィールドカラーに対する割合及び映像イメージの全色相の画素対比有効フィールドカラーの画素割合を示す基準画素割合値を保存することができる。よって、放送受信装置１００は、デコードされた映像データ別の映像イメージを分析して有効フィールドカラーに対応する色相の画素割合値を算出する。その後、放送受信装置１００は、予め算出された画素割合値と予め設定されて保存された当該有効フィールドカラーに対する基準画素割合値とを比較し、基準画素割合値未満の画素割合値を有する映像イメージを候補サムネールイメージとして決定して保存することができる。このとき、放送受信装置１００は、候補サムネールイメージに決定された映像イメージが再生される時点の時間情報を獲得して当該候補サムネールイメージに決定された映像イメージとともに保存する。
【０２７９】
その後、放送受信装置１００は、上述のステップＳ２３６０を通じて要約コンテンツに含まれた時間情報に基づいて予め保存された候補サムネールイメージのうち、要約コンテンツに対応する候補サムネールイメージを当該要約コンテンツに対する代表サムネールイメージとして決定することができる。
【０２８０】
図２６は、本発明の更に別の実施形態に係る放送受信装置で候補サムネールイメージを決定及び保存する方法の第３フローチャートである。
【０２８１】
図２６に示すように、放送受信装置１００はデコードされた映像データ別の映像イメージを分析して映像イメージを示す画素数と予め設定された臨界画素数とを比較する（Ｓ２６１０）。その後、放送受信装置１００は、デコードされた映像データ別の映像イメージのうち、予め設定された臨界画素数未満の画素数を含む映像イメージを候補サムネールイメージとして決定して保存する（Ｓ２６２０）。このとき、放送受信装置１００は、候補サムネールイメージとして決定された映像イメージが再生される時点の時間情報を獲得して当該候補サムネールイメージとして決定された映像イメージとともに保存する。
【０２８２】
その後、放送受信装置１００は、上述のステップＳ２３６０を通じて要約コンテンツに含まれた時間情報に基づいて予め保存された候補サムネールイメージのうち、要約コンテンツに対応する候補サムネールイメージを当該要約コンテンツに対する代表サムネールイメージとして決定することができる。
【０２８３】
図２７は、本発明の更に別の実施形態に係る放送受信装置で候補サムネールイメージを決定及び保存する方法の第４フローチャートである。
【０２８４】
図２７に示すように、放送受信装置１００はデコードされた映像データ別の映像イメージに含まれたオブジェクトと予め設定された臨界サイズとを比較する（Ｓ２７１０）。その後、放送受信装置１００は、臨界サイズ以上の大きさのオブジェクトを含む映像イメージを候補サムネールイメージとして決定して保存する（Ｓ２７２０）。このとき、放送受信装置１００は、候補サムネールイメージとして決定された映像イメージが再生される時点の時間情報を獲得して当該候補サムネールイメージとして決定された映像イメージとともに保存する。
【０２８５】
その後、放送受信装置１００は、上述のステップＳ２３６０を通じて要約コンテンツに含まれた時間情報に基づいて予め保存された候補サムネールイメージのうち、要約コンテンツに対応する候補サムネールイメージを当該要約コンテンツに対する代表サムネールイメージとして決定することができる。
【０２８６】
図２８は、本発明の更に別の実施形態に係る放送受信装置で候補サムネールイメージを決定及び保存する方法の第５フローチャートである。
【０２８７】
図２８に示すように、放送受信装置１００はデコードされた映像データ別の映像イメージを相互比較分析する（Ｓ２８１０）。このとき、放送受信装置１００は、図２４ないし図２７のうち少なくとも１つの実施形態を通じて映像データ別の映像イメージを相互比較分析することができる。その後、放送受信装置１００は、相互比較された映像イメージのうちの１つの映像イメージを候補サムネールイメージとして決定し、候補サムネールイメージとして決定された映像イメージを保存する（Ｓ２８２０）。
【０２８８】
その後、放送受信装置１００は、上述のステップＳ２３６０を通じて要約コンテンツに含まれた時間情報に基づいて予め保存された候補サムネールイメージのうち、要約コンテンツに対応する候補サムネールイメージを当該要約コンテンツに対する代表サムネールイメージとして決定することができる。
【０２８９】
このような多様な実施形態を通じて再生中のコンテンツに関連する少なくとも１つの候補サムネールイメージが決定されると、放送受信装置１００は予め決定された少なくとも１つの候補サムネールイメージと以前の映像イメージのヒストグラムに基づいてシーン変化率を決定する。その後、放送受信装置１００は、予め決定されたシーン変化率と予め設定された基準変化率とを比較し、予め設定された基準変化率未満のシーン変化率を有する候補サムネールイメージを除く残りの予め保存された候補サムネールイメージを削除する。それにより、放送受信装置１００は、予め設定された基準変化率未満のシーン変化率を有する候補サムネールイメージのみを保存することができる。
【０２９０】
以下では、上述のステップＳ２３６０を通じて保存受信装置１００で予め保存された候補サムネールイメージのうち、１つの候補サムネールイメージを予め生成された要約コンテンツの代表サムネールイメージとして決定する方法について詳細に説明する。
【０２９１】
図２９は、本発明の一実施形態に係る放送受信装置で代表サムネールイメージを決定する方法のフローチャートである。
【０２９２】
図２９に示すように、放送受信装置１００はコンテンツの映像及びオーディオデータのうち少なくとも１つを分析してイベント発生による要約コンテンツが生成されると、予め保存された少なくとも１つの候補サムネールイメージの時間情報と当該要約コンテンツの再生関連時間情報に基づいて当該要約コンテンツの再生区間に属する候補サムネールイメージが保存されているか否かを判断する（Ｓ２９１０）。判断の結果、予め生成された要約コンテンツの再生区間に属する候補サムネールイメージが保存されていると、放送受信装置１００は当該候補サムネールイメージを予め生成された要約コンテンツに対する代表サムネールイメージとして決定する（Ｓ２９２０）。
【０２９３】
一方、判断の結果、予め生成された要約コンテンツの再生区間に属する候補サムネールイメージが保存されていない場合、放送受信装置１００は要約コンテンツを構成する映像イメージのうち１つの映像イメージを代表サムネールイメージとして決定する（Ｓ２９３０）。実施形態によって、放送受信装置１００は予め生成された要約コンテンツの再生区間に属する候補サムネールイメージが保存されていないと、要約コンテンツの再生が終了する区間の映像イメージを代表サムネールイメージとして決定することができる。このように、予め決定された要約コンテンツに対する代表サムネールイメージが決定されると、放送受信装置１００は代表サムネールイメージとして決定された映像イメージをＪＰＥＧ映像イメージに変換し、ＪＰＥＧ映像イメージに変換された代表サムネールイメージと当該要約コンテンツとを相互マッチングさせて保存する（Ｓ２９４０、Ｓ２９５０）。
【０２９４】
以下では、放送受信装置１００でデコードされたコンテンツと要約コンテンツとを同時に出力する動作及び方法について詳細に説明する。
【０２９５】
上述のように、放送サーバ（図示せず）から選局されたチャネルを通じてコンテンツを受信する受信部１１０は、チューナ部１１３とデマルチプレキシング部１１１を含んでよい。チューナ部１１３は、放送サーバ（図示せず）から提供される複数のチャネル別のコンテンツを受信し、デマルチプレキシング部１１１はチューナ部１１３を介して受信された複数のチャネル別のコンテンツのうち、ユーザの要請したチャネルのコンテンツを抽出する。このように、ユーザの要請したチャネルのコンテンツが抽出されると、データ処理部１５０はデコード部１５１を介して当該コンテンツに含まれた映像及びオーディオデータに対するデコードを行い、デコードされた映像及びオーディオデータを出力可能な形態で信号処理する。それにより、出力部１２０は、信号処理された映像及びオーディオデータを映像出力部１２１及びオーディオ出力部１２３を介して出力することができる。
【０２９６】
一方、制御部１３０は、上述のように、イベント検出部１３１を介して検出されたイベント区間に基づいてコンテンツに対する要約コンテンツを生成して保存部１６０に保存する。なお、制御部１３０はユーザ命令に応じて、ユーザの要請したチャネルのコンテンツと保存部１６０に予め保存された要約コンテンツとを同時に出力するように出力部１２０を制御することができる。ここで、要約コンテンツはリアルタイムでストリーミングされるコンテンツまたはレコーディングされた録画コンテンツに対するハイライト映像であってよい。
【０２９７】
実施形態によって、制御部１３０はユーザ命令が第１ユーザ命令である場合、視聴中のコンテンツ及び当該コンテンツに対する要約コンテンツを同時に出力するように出力部１２０を制御することができる。一方、ユーザ命令が第２ユーザ命令である場合、制御部１３０は視聴中のコンテンツ及び当該コンテンツと異なる他チャネルのコンテンツに対する要約コンテンツを同時に出力するように出力部１２０を制御することができる。
【０２９８】
ここで、第１ユーザ命令は視聴中のコンテンツに対する要約コンテンツサービス要請命令であってよく、第２ユーザ命令は視聴中のコンテンツと異なる他チャネルの要約コンテンツサービス要請命令であってよい。よって、制御部１３０は、第１ユーザ命令が入力されると、視聴中のコンテンツに対する要約コンテンツを生成して保存部１６０に保存する。その後、制御部１３０は、視聴中のコンテンツ及び予め保存された当該コンテンツに対する要約コンテンツを同時に出力することができる。一方、第２ユーザ命令が入力されると、制御部１３０は、入力された第２ユーザ命令に対応するチャネルのコンテンツに対する要約コンテンツを生成して保存部１６０に保存する。その後、制御部１３０は、視聴中のコンテンツ及び予め保存された第２ユーザ命令に対応するコンテンツに対する要約コンテンツを同時に出力することができる。
【０２９９】
一方、保存部１６０は、ユーザの要請に応じて、視聴中のコンテンツに関連して録画されたコンテンツ及び視聴中のコンテンツに対する要約コンテンツを保存する。なお、保存部１６０は、コンテンツから少なくとも１つのイベント区間を検出し、検出されたイベント区間に基づいて要約コンテンツを生成するための多様な設定情報を保存することができる。
【０３００】
このような保存部１６０は、上述のように、スポーツ関連コンテンツの映像及びオーディオデータからイベント区間を検出するために予め設定された試合状況条件及び臨界レベル値を保存するか、或いは、スポーツ関連コンテンツの付加データからイベント区間を検出するために予め設定された単語情報を保存することができる。なお、保存部１６０は、予め検出されたイベント区間の映像区間が有効か否かを判断するためのフィールドカラー及びフィールドカラーの割合を決定するための臨界値を保存することができる。
【０３０１】
一方、制御部１３０は、ユーザの要請したコンテンツの映像及びオーディオデータのうち少なくとも１つを分析して予め設定された条件に対応する少なくとも１つのイベント区間を検出するようにイベント検出部１３１を制御する。このような制御命令に応じて、イベント検出部１３１は、保存部１６０に予め保存された条件に基づいて、ユーザの要請したコンテンツの映像及びオーディオデータのうち少なくとも１つを分析して予め設定された条件に対応する少なくとも１つのイベント区間を検出する。
【０３０２】
コンテンツに含まれた映像及びオーディオデータを分析してイベント区間を検出する方法は、上記において詳細に説明しているため、以下では詳細な説明を省略する。
【０３０３】
イベント区間が検出されると、イベント検出部１３１は検出された少なくとも１つのイベント区間に対する時間情報を制御部１３０に伝達する。それにより、制御部１３０は、保存部１６０に予め保存された録画コンテンツまたは予め設定された時間単位で予め保存されたリアルタイムコンテンツに対する映像区間のうち、当該イベント区間の検出された時間情報に基づいて、イベント区間に対する映像区間を獲得することができる。ここで、イベント区間の検出された時間情報は、当該イベント区間に対する映像区間が出力部１２０を介して出力される時間或いはイベント区間に対する映像区間が再生される総再生時間であってよい。
【０３０４】
一実施形態によって、保存部１６０は要約コンテンツに関連するコンテンツに対する録画コンテンツを保存することができる。この場合、イベント検出部１３１は、出力部１２０を介して出力されるコンテンツのうち、予め設定された条件に対応するイベントの発生したイベント区間の時間情報を制御部１３０に伝達することができる。それにより、制御部１３０は、保存部１６０に予め保存された録画コンテンツの映像区間のうち、イベント検出部１３１によってイベント区間の検出された時間情報に対応する時間の映像区間を獲得することができる。
【０３０５】
例えば、イベント検出部１３１は、出力部１２０を介して出力されるコンテンツに対する映像区間のうち、当該コンテンツの出力された時点を基準に３０分１５秒から２０秒の間の映像区間を、予め設定された条件に対応するイベントの発生したイベント区間として検出することができる。そして、保存部１６０は、出力部１２０を介して出力される時点と同期化した時点にコンテンツを録画保存したり録画されたコンテンツを保存することができる。この場合、制御部１３０は、イベント区間として検出された時間情報に基づいて保存部１６０に予め保存されたコンテンツの映像区間のうち、３０分１５秒から２０秒の間の映像区間を獲得することができる。
【０３０６】
別の実施形態によって、保存部１６０は、要約コンテンツに関連するリアルタイムコンテンツの映像区間を予め設定された時間単位で臨時保存することができる。この場合、イベント検出部１３１は、出力部１２０を介して出力されるコンテンツのうち、予め設定された条件に対応するイベントの発生したイベント区間が維持される時間情報を制御部１３０に伝達することができる。ここで、イベント区間の維持される時間情報は、上述のように、イベント区間に対する映像区間が再生される総再生時間であってよい。それにより、制御部１３０は、イベント検出部１３１によって検出されたイベント区間が維持される時間情報に基づいて、保存部１６０に臨時保存された映像区間のうち、イベント区間の維持される時間に対応する時間に臨時保存された映像区間を獲得することができる。
【０３０７】
例えば、保存部１６０は、１分単位でコンテンツに対する映像区間を臨時保存することができる。一方、イベント検出部１３１を介して検出されたイベント区間の維持される時間は５秒であってよい。この場合、制御部１３０は、イベント区間の維持される時間に保存部１６０に臨時保存された映像区間のうち、最も先に臨時保存された映像区間から５秒以内に臨時保存された映像区間までを獲得し、獲得した映像区間をイベント区間に対する映像区間として決定することができる。
【０３０８】
このように、イベント区間の検出された時点に基づいて、当該イベント区間に対する映像区間が獲得されると、制御部１３０は上述の実施形態に通じて獲得した映像区間を分析して当該映像区間に対するコンテンツがスポーツ関連コンテンツか否かを判断する。
【０３０９】
判断の結果、予め検出された少なくとも１つのイベント区間に対する映像区間がスポーツ関連コンテンツと判断されると、制御部１３０は、上述のように、予め検出されたイベント区間に対する映像区間を基準に予め設定された固定時間に存在する前後映像区間を獲得する。その後、制御部１３０は、獲得した前後映像区間のうち、シーン場面の変化された区間があるか否かを判断する。判断の結果、シーン場面の変化された区間がない場合、制御部１３０は少なくとも１つのイベント区間の検出された時間の映像区間と予め設定された固定時間内に属する前後映像区間をコンテンツ要約区間として決定することができる。
【０３１０】
一方、判断の結果、シーン場面の変化された区間があれば、制御部１３０は予め設定された固定時間を可変して予め検出されたイベント区間に対する映像区間に関連する前後映像区間を獲得する。その後、制御部１３０は、予め検出されたイベント区間に対する映像区間及び可変された固定時間内に属する前後映像区間をコンテンツ要約区間として決定することができる。
【０３１１】
一方、固定時間は、上述のように、絶対固定時間を含むことができ、このような絶対固定時間は可変されてよい。よって、制御部１３０は、固定時間内に存在する前後映像区間のうち、絶対固定時間内に存在する前後映像区間を除く残りの前後映像区間のうち、シーン場面の変化された区間があるか否かを判断する。判断の結果、シーン場面の変化された区間があれば、制御部１３０は、絶対固定時間を除く残りの固定時間内で固定時間を可変して予め検出されたイベント区間に対する映像区間に関連する前後映像区間を獲得することができる。
【０３１２】
その後、制御部１３０は、予め獲得したイベント区間に対する映像区間及び当該映像区間を基準に予め設定された固定時間に存在する前後映像区間を含むコンテンツ要約区間を決定し、決定されたコンテンツ要約区間に基づいて要約コンテンツを生成して保存部１６０に保存する。このとき、制御部１３０は、予め生成された要約コンテンツを構成する映像区間のうち、予め設定された条件に対応する１つの映像区間の映像イメージをサムネールイメージとして決定し、決定されたサムネールイメージと予め生成された要約コンテンツとをマッチングさせて保存部１６０に保存する。
【０３１３】
要約コンテンツを構成する映像区間からサムネールイメージを決定し、決定されたサムネールイメージと当該要約コンテンツとをマッチングさせて保存する方法は、上記において詳細に説明しているため、以下では詳細な説明を省略する。
【０３１４】
以下では、上述の制御部１３０で予め検出されたイベント区間からコンテンツ要約区間を決定する動作について詳細に説明する。
【０３１５】
図３０は、本発明の一実施形態に係る放送受信装置で検出されたイベント区間に基づいて要約コンテンツ生成のための有効性有無を判断するための例示図であり、図３１は、本発明の一実施形態に係る放送受信装置でイベント区間に対する映像区間に基づいて要約コンテンツを生成するための例示図である。
【０３１６】
図３０に示すように、放送受信装置１００はサッカー関連スポーツコンテンツをディスプレイすることができ、現在ディスプレイされる映像イメージはイベント検出部１３１を介して予め設定された条件に対応するイベント区間として検出された時間に基づいて獲得した映像区間であってよい。このようなイベント区間に対する映像区間が獲得されると、制御部１３０はイベント区間に対する映像区間に適用された色相のうち、予め定義されたフィールドカラーに対応するグリーンカラーが含まれているか否かを判断する。図示のように、映像区間を示す色相のうち、グリーンカラー３０１０が全映像のほとんどを示すことが分かる。このように、当該映像区間を示す色相のうち、予め定義されたフィールドカラーであるグリーンカラーである場合、制御部１３０は当該映像区間のグリーンカラー割合値を算出し、算出された割合値が予め設定された臨界値以上か否かを判断する。判断の結果、予め設定された臨界値以上であると、イベント検出部１３１は現在ディスプレイ中のコンテンツがサッカー関連スポーツコンテンツであると判断することができる。
【０３１７】
なお、制御部１３０は、イベント区間として検出された映像区間に対する映像イメージから試合進行状況をガイドするガイド領域３０３０を抽出することができる。このようなガイド領域３０３０が抽出されると、制御部１３０は抽出されたガイド領域３０３０に表示された試合スコア或いは試合進行時間を分析して現在ディスプレイ中のコンテンツがサッカー関連スポーツコンテンツであると判断することができる。
【０３１８】
このように、ディスプレイ中の映像区間に関連して検出されたイベント区間から視聴中のコンテンツがスポーツ関連コンテンツと判断されると、制御部１３０は、当該イベント区間に対する映像区間を基準に予め設定された固定時間に存在する前後映像区間を獲得することができる。
【０３１９】
具体的に、図３１に示すように、イベント区間Ｂ３１１０に対する映像区間３１１０−１がスポーツ関連コンテンツと判断されると、制御部１３０は映像区間３１１０−１を中心に予め設定された第１固定時間３１２０に属する第１ないし第３映像区間３１２０−１〜３１２０−３と、予め設定された第２固定時間３１３０に属する第４ないし第６映像区間３１３０−１〜３１３０−３を獲得する。
【０３２０】
その後、制御部１３０は、第１及び第２固定時間３１２０、３１３０に属する映像区間のうち、シーン変化の発生した区間を除く残りの映像区間に基づいて第１及び第２固定時間３１２０、３１３０を可変する。すなわち、制御部１３０は、シーン変化の発生した第３及び第６映像区間３１２０−３、３１３０−３を除く残りの映像区間に対応する固定時間に第１及び第２固定時間３１２０、３１３０を可変する。よって、第１固定時間３１２０は固定時間ａ３１２０’に可変され、第２固定時間３１３０は固定時間ｂ３１３０’に可変されてよい。
【０３２１】
このように、予め設定された第１及び第２固定時間３１２０、３１３０が可変されると、制御部１３０はイベント区間Ｂ３１１０に対する映像区間３１１０−１、可変された固定時間ａ３１２０’に対する第１及び第２映像区間３１２０−１、３１２０−２と、可変された固定時間ｂ３１３０’に対する第４及び第５映像区間３１３０−１、３１３０−２を含むコンテンツ要約区間を決定し、決定されたコンテンツ要約区間に基づいて要約コンテンツを生成することができる。
【０３２２】
しかし、本発明はそれに限定されず、第１及び第２固定時間３１２０、３１３０は斜線領域のように絶対固定時間３１２０”、３１３０”を含むことができ、それぞれの絶対固定時間３１２０”、３１３０”内に存在する映像区間はシーン変化によらず、イベント区間Ｂ３１１０に対する映像区間とともにコンテンツ要約区間に含まれてよい。
【０３２３】
一方、制御部１３０は、上述のように、第１または第２ユーザ命令に応じて、ユーザの要請したコンテンツ及び当該コンテンツに関連して予め生成された要約コンテンツを同時に出力するか、或いは、ユーザの要請したコンテンツ及び他コンテンツに関連して予め生成された要約コンテンツを同時に出力するように出力部１２０を制御する。ここで、第１ユーザ命令は、視聴中のコンテンツに関連する要約コンテンツサービスに対する要請命令であってよく、第２ユーザ命令は、視聴中のコンテンツと異なる他コンテンツに関連する要約コンテンツサービスに対する要請命令であってよい。
【０３２４】
それにより、出力部１２０は、映像出力部１２１を介してユーザの要請したコンテンツの映像データを第１画面サイズに適するように調整し、要約コンテンツの映像データを第２画面サイズに適するように調整し、当該要約コンテンツに対するサムネールイメージを第３画面サイズに適するように調整する。なお、出力部１２０は、オーディオ出力部１２３を介してユーザの要請したコンテンツのオーディオデータまたは要約コンテンツに対するオーディオデータをスピーカで出力する。実施形態によって、第１または第２ユーザ命令が入力されると、制御部１３０はユーザの要請したコンテンツのオーディオデータに対する出力を中断し、要約コンテンツに対するオーディオデータが出力されるように出力部１２０を制御することができる。それにより、出力部１２０は、オーディオ出力部１２３を介して出力される要約コンテンツに対するオーディオデータを出力することができる。よって、スピーカは、コンテンツに対するオーディオ信号の出力を中断し、オーディオ出力部１２３を介して出力される要約コンテンツに対するオーディオ信号を出力することができる。
【０３２５】
一方、制御部１３０は、ユーザ命令に応じて、コンテンツに関連して順次に生成された複数の要約コンテンツのうち少なくとも１つを選択的に出力するように出力部１２０を制御することができる。具体的に、上述のように、第１または第２ユーザ命令に応じて、放送受信装置１００の第１ないし第３画面領域には映像出力部１２１を介して出力されたコンテンツ、要約コンテンツ及びサムネールイメージが出力されてよい。一方、ユーザは第３画面領域にディスプレイされた複数のサムネールイメージのうち１つのサムネールイメージを選択することができる。このような選択命令が入力されたり受信されると、制御部１３０は当該選択命令に対応するサムネールイメージを決定し、決定されたサムネールイメージとマッチングされた要約コンテンツから順次に出力するように出力部１２０を制御することができる。それにより、出力部１２０は、映像及びオーディオ出力部１２１、１２３を介して複数のサムネールイメージ別にマッチングされた要約コンテンツのうち、ユーザの選択命令に対応するサムネールイメージとマッチングされた要約コンテンツから順次に出力することができる。
【０３２６】
図３２は、本発明の一実施形態に係る放送受信装置でコンテンツに対する要約コンテンツサービスを提供する例示図である。
【０３２７】
図３２に示すように、放送受信装置１００は、ユーザの要請したコンテンツを全画面上にディスプレイすることができる。このようなコンテンツがディスプレイされている状態で同一のコンテンツに対する要約コンテンツサービス要請命令（第１ユーザ命令）が入力されると、放送受信装置１００は画面の第１領域３２１０上にユーザの要請したコンテンツをディスプレイし、第１領域３２１０にディスプレイされるコンテンツに関連して予め生成された要約コンテンツを画面の第２領域３２２０に順次にディスプレイすることができる。更に、放送受信装置１００は、画面の第３領域３２３０に順次に生成された要約コンテンツに対するサムネールイメージをディスプレイすることができる。よって、第３領域３２３０にディスプレイされたサムネールイメージのうち、第１サムネールイメージ３２３１に対する選択命令が入力されると、放送受信装置１００は第１サムネールイメージ３２３１とマッチングされた要約コンテンツから順次に第２領域３２２０にディスプレイすることができる。
【０３２８】
図３３は、本発明の一実施形態に係る放送受信装置でコンテンツと異なる他コンテンツに対する要約コンテンツサービスを提供する例示図である。
【０３２９】
図３３に示すように、放送受信装置１００は、ユーザの要請したコンテンツを全画面上にディスプレイすることができる。このようなコンテンツがディスプレイされている状態で現在ディスプレイされるコンテンツと異なる他コンテンツに対する要約コンテンツサービス要請命令（第２ユーザ命令）が入力されると、放送受信装置１００は画面の第１領域３３１０上にユーザの要請したコンテンツをディスプレイし、第１領域３３１０にディスプレイされるコンテンツと異なる他コンテンツに関連して予め生成された要約コンテンツを画面の第２領域３３２０に順次にディスプレイすることができる。更に、放送受信装置１００は、画面の第３領域３３３０に順次に生成された要約コンテンツに対するサムネールイメージをディスプレイすることができる。よって、第３領域３３３０にディスプレイされたサムネールイメージのうち、第１サムネールイメージ３３３１に対する選択命令が入力されると、放送受信装置１００は第１サムネールイメージ３３３１とマッチングされた要約コンテンツから順次に第２領域３３２０にディスプレイすることができる。
【０３３０】
これまで、本発明に係る放送受信装置１００の各構成について詳細に説明してきた。以下では、多様な実施形態に通じて要約コンテンツサービスを提供する放送受信装置１００に対する構成についてより具体的に説明する。ただ、要約コンテンツサービスに関連して各構成に対する動作説明は上記において詳細に説明しているため、以下では、このような要約コンテンツサービスを提供する放送受信装置１００の構成方式について詳細に説明する。
【０３３１】
図３４は、本発明の一実施形態に係るコンテンツに対する要約コンテンツを生成する放送受信装置の第１ブロック図である。
【０３３２】
具体的に、図３４に示すように、放送受信装置１００は最低限の構成のみで視聴中のコンテンツに対する要約コンテンツを生成し、生成された要約コンテンツを再生することができる。そのために、放送受信装置１００は、上述のように、デマルチプレキシング部１１１、デコード部１５１、出力部１２０、イベント検出部１３１、制御部１３０及び保存部１６０を含むことができ、このようなそれぞれの構成は単一構成からなってよい。
【０３３３】
この場合、デマルチプレキシング部１１１は、複数のチャネル別のコンテンツのうちユーザ命令に対応するチャネルのコンテンツを抽出し、デコード部１５１及び制御部１３０に出力する。デコード部１５１は、デマルチプレキシング部１１１から出力されたコンテンツに含まれた映像及びオーディオデータに対するデコードを行い、それにより、制御部１３０はデコードされたコンテンツを出力部１２０を介して出力する。それと同時に、制御部１３０は、デマルチプレキシング部１１１から出力されたコンテンツを保存部１６０に保存する。しかし、本発明はそれに限定されるわけではなく、制御部１３０はデコード部１５１からデコードされたコンテンツを保存部１６０に保存することができる。
【０３３４】
一方、イベント検出部１３１は、デコード部１５１から出力されたコンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０３３５】
それにより、制御部１３０は、保存部１６０に予め保存された録画コンテンツまたは予め設定された時間単位で臨時保存されたコンテンツに対する映像区間のうち、予め検出されたイベント区間に対する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３３６】
その後、要約コンテンツ再生に対するユーザ命令が入力されると、制御部１３０は、予め保存された要約コンテンツの映像及びオーディオデータに対するデコードを行うようにデコード部１５１を制御し、出力部１２０はデコード部１５１からデコードされた映像及びオーディオデータを出力する。このとき、出力部１２０は、制御部１３０の制御命令に応じて、デコード部１５１からデコードされた映像及びオーディオデータとともに、要約コンテンツ別にマッチングされたサムネールイメージを画面上にディスプレイすることができる。一方、画面上にディスプレイされたサムネールイメージのうち１つが選択されると、制御部１３０は選択されたサムネールイメージとマッチングされた要約コンテンツからデコード部１５１を介してデコードして順次に再生することができる。
【０３３７】
このように、本発明に係る放送受信装置１００は、上述のそれぞれの構成に対して最低限の構成のみでコンテンツに対する要約コンテンツを生成し、生成された要約コンテンツを再生することができる。
【０３３８】
図３５は、本発明の一実施形態に係るコンテンツ及び同一のコンテンツに対する要約コンテンツを同時に再生する放送受信装置の第１ブロック図でる。
【０３３９】
図３５に示すように、放送受信装置１００は、最低限の構成のみで視聴中のコンテンツ及び同一のコンテンツに関連する要約コンテンツを同時に再生することができる。そのために、放送受信装置１００は、デマルチプレキシング部１１１、第１及び第２デコード部１５１−１、１５１−２、出力部１２０、イベント検出部１３１、制御部１３０及び保存部１６０を含むことができる。
【０３４０】
この場合、デマルチプレキシング部１１１は、複数のチャネル別のコンテンツのうちユーザ命令に対応するチャネルのコンテンツを抽出し、第１デコード部１５１−１及び制御部１３０に出力する。第１デコード部１５１−１は、デマルチプレキシング部１１１から出力されたコンテンツに含まれた映像及びオーディオデータに対するデコードを行い、制御部１３０はデコードされたコンテンツを出力部１２０を介して再生することができる。
【０３４１】
一方、制御部１３０は、デマルチプレキシング部１１１を介して出力されたコンテンツを保存部１６０に保存する。しかし、本発明はそれに限定されずに、制御部１３０は第１デコード部１５１−１からデコードされたコンテンツを保存部１６０に保存することができる。一方、第１デコード部１５１−１は、デコードされたコンテンツをイベント検出部１３１に出力し、イベント検出部１３１は第１デコード部１５１−１を介してデコードされたコンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に関する時間情報を制御部１３０に伝達する。
【０３４２】
それにより、制御部１３０は、保存部１６０に予め保存されたコンテンツに対する映像区間のうち、予め検出されたイベント区間に対する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３４３】
一方、要約コンテンツサービス命令が入力されると、制御部１３０は、現在再生中のコンテンツに対する映像データが画面の第１領域に出力されるように出力部１２０を制御する。それと同時に、制御部１３０は、保存部１６０に予め保存された要約コンテンツに対する映像及びオーディオデータを第２デコード部１５１−３を介してデコードし、デコードされた要約コンテンツの映像データが順次に画面の第２領域に出力されるように出力部１２０を制御する。なお、制御部１３０は、画面の第３領域に予め保存された要約コンテンツ別にマッチングされたサムネールイメージが表示されるように出力部１２０を制御する。それにより、放送受信装置１００の第１領域にはユーザの要請したチャネルのコンテンツが再生され、第２領域には当該チャネルのコンテンツに関連する要約コンテンツが再生され、第３領域には要約コンテンツに対するサムネールイメージがディスプレイされてよい。
【０３４４】
一方、第３領域にディスプレイされたサムネールイメージのうち１つが選択されると、制御部１３０は、選択されたサムネールイメージとマッチングされた要約コンテンツに対する映像データから順次に画面の第２領域に出力されるように出力部１２０を制御する。それにより、放送受信装置１００の第２領域にはユーザの選択したサムネールイメージとマッチングされた要約コンテンツから順次に再生されてよい。
【０３４５】
このように、本発明に係る放送受信装置１００は、上述のそれぞれの構成に対して最低限の構成のみでコンテンツ及び同一のコンテンツに関連する要約コンテンツを同時に再生することができる。
【０３４６】
図３６は、本発明の別の実施形態に係るコンテンツに対する要約コンテンツを生成する放送受信装置の第２ブロック図である。
【０３４７】
具体的に、図３６に示すように、放送受信装置１００は第１及び第２デマルチプレキシング部１１１−１、１１１−３、デコード部１５１、出力部１２０、イベント検出部１３１、制御部１３０及び保存部１６０を含むことができる。
【０３４８】
この場合、第１デマルチプレキシング部１１１−１は、複数のチャネル別のコンテンツのうちユーザ命令に対応するチャネルのコンテンツを抽出し、デコード部１５１に出力し、第２デマルチプレキシング部１１１−３は、第１デマルチプレキシング部１１１−１と同一のチャネルのコンテンツを抽出して制御部１３０に出力する。第１デマルチプレキシング部１１１−１から出力されたコンテンツを受信したデコード部１５１は受信されたコンテンツに含まれた映像及びオーディオデータに対するデコードを行い、制御部１３０は、デコードされたコンテンツを出力部１２０を介して出力することができる。それと同時に、制御部１３０は、第２デマルチプレキシング部１１１−３から出力されたコンテンツを保存部１６０に保存する。しかし、本発明はそれに限定されるわけではなく、制御部１３０は第２デマルチプレキシング部１１１−３から出力されたコンテンツをデコード部１５１を介してデコードして保存部１６０に保存することができる。
【０３４９】
一方、デコード部１５１は、デコードされたコンテンツをイベント検出部１３１に出力し、イベント検出部１３１はデコード部１５１を介してデコードされたコンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０３５０】
それにより、制御部１３０は、保存部１６０に予め保存された録画コンテンツまたは予め設定された時間単位で臨時保存されたコンテンツに対する映像区間のうち、予め検出されたイベント区間に対する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３５１】
その後、要約コンテンツ再生に対するユーザ命令が入力されると、制御部１３０は、デコード部１５１を介して予め保存された要約コンテンツの映像及びオーディオデータに対するデコードを行って再生し、要約コンテンツ別にマッチングされたサムネールイメージを画面上にディスプレイすることができる。一方、画面上にディスプレイされたサムネールイメージのうち１つが選択されると、制御部１３０は選択されたサムネールイメージとマッチングされた要約コンテンツからデコード部１５１を介してデコードして順次に再生することができる。
【０３５２】
このように、本発明に係る放送受信装置１００は、第１及び第２デマルチプレキシング部１１１−１、１１１−３を介してユーザの要請したコンテンツに対する抽出を行うことで、最低限の構成からなる放送受信装置１００に比べてより効率的にユーザの要請したコンテンツに対する再生及び当該コンテンツに関連する要約コンテンツを生成することができる。
【０３５３】
図３７は、本発明の別の実施形態に係るコンテンツ及び同一のコンテンツに対する要約コンテンツを同時に再生する放送受信装置の第２ブロック図である。
【０３５４】
図３７に示すように、放送受信装置１００は第１及び第２デマルチプレキシング部１１１−１、１１１−３、第１及び第２デコード部１５１−１、１５１−３、出力部１２０、イベント検出部１３１、制御部１３０及び保存部１６０を含むことができる。
【０３５５】
この場合、第１デマルチプレキシング部１１１−１は、複数のチャネル別のコンテンツのうちユーザ命令に対応するチャネルのコンテンツを抽出し、第１デコード部１５１−１に出力し、第２デマルチプレキシング部１１１−３は、第１デマルチプレキシング部１１１−１と同一のチャネルのコンテンツを抽出して制御部１３０に出力する。
【０３５６】
第１デコード部１５１−１は、第１デマルチプレキシング部１１１−１から出力されたコンテンツに含まれた映像及びオーディオデータに対するデコードを行い、制御部１３０はデコードされたコンテンツを出力部１２０を介して再生することができる。一方、制御部１３０は、第２デマルチプレキシング部１１１−３を介して出力されたコンテンツを保存部１６０に保存する。しかし、本発明はそれに限定されるわけではなく、制御部１３０は第１デコード部１５１−１からデコードされたコンテンツを保存部１６０に保存することができる。
【０３５７】
一方、第１デコード部１５１−１は、デコードされたコンテンツをイベント検出部１３１に出力し、イベント検出部１３１は第１デコード部１５１−１を介してデコードされたコンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０３５８】
それにより、制御部１３０は、保存部１６０に予め保存されたコンテンツに対する映像区間のうち、予め検出されたイベント区間に関する時間情報に基づいてイベント区間に対する映像区間を獲得する。制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むイベント要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３５９】
一方、要約コンテンツサービス命令が入力されると、制御部１３０は、現在再生中のコンテンツに対する映像データが画面の第１領域に出力されるように出力部１２０を制御する。それと同時に、制御部１３０は、保存部１６０に予め保存された要約コンテンツに対する映像及びオーディオデータを第２デコード部１５１−３を介してデコードし、第２デコード部１５１−３からデコードされた要約コンテンツの映像データが順次に画面の第２領域に出力されるように出力部１２０を制御する。なお、制御部１３０は、画面の第３領域に予め保存された要約コンテンツ別にマッチングされたサムネールイメージが表示されるように出力部１２０を制御する。それにより、放送受信装置１００の第１領域にはユーザの要請したチャネルのコンテンツが再生され、第２領域には当該チャネルのコンテンツに関連する要約コンテンツが再生され、第３領域には要約コンテンツに対するサムネールイメージがディスプレイされてよい。
【０３６０】
一方、第３領域にディスプレイされたサムネールイメージのうち１つが選択されると、制御部１３０は、選択されたサムネールイメージとマッチングされた要約コンテンツに対する映像データから順次に画面の第２領域に出力されるように出力部１２０を制御する。それにより、放送受信装置１００の第２領域にはユーザの選択したサムネールイメージとマッチングされた要約コンテンツから順次に再生されてよい。
【０３６１】
このように、本発明に係る放送受信装置１００は、第１及び第２デマルチプレキシング部１１１−１、１１１−３と、第１及び第２デコード部１５１−１、１５１−３の構成を含むことで、最低限の構成からなる放送受信装置１００に比べてより効率的にユーザの要請したコンテンツ及び同一のコンテンツに関連する要約コンテンツを同時に再生することができる。
【０３６２】
図３８は、本発明の別の実施形態に係るコンテンツに対する要約コンテンツを生成する放送受信装置の第３ブロック図である。
【０３６３】
具体的に、図３８に示すように、放送受信装置１００は第１ないし第３デマルチプレキシング部１１１−１〜１１１−５、第１及び第２デコード部１５１−１、１５１−３、出力部１２０、イベント検出部１３１、制御部１３０及び保存部１６０を含むことができる。
【０３６４】
この場合、第１デマルチプレキシング部１１１−１は、複数のチャネル別のコンテンツのうち、ユーザ命令に対応するチャネルのコンテンツを抽出して第１デコード部１５１−１に出力し、第２デマルチプレキシング部１１１−３は、第１デマルチプレキシング部１１１−１と同一のチャネルのコンテンツを抽出して第２デコード部１５１−３に出力する。そして、第３デマルチプレキシング部１１１−５は、第１及び第２デマルチプレキシング部１１１−１、１１１−３と同一のチャネルのコンテンツを抽出して制御部１３０に出力する。
【０３６５】
第１デマルチプレキシング部１１１−１から出力されたコンテンツを受信した第１デコード部１５１−１は受信されたコンテンツに含まれた映像及びオーディオデータに対するデコードを行い、制御部１３０は、デコードされたコンテンツを出力部１２０を介して出力することができる。それと同時に、制御部１３０は、第３デマルチプレキシング部１１１−５から出力されたコンテンツを保存部１６０に保存する。しかし、本発明はそれに限定されるわけではなく、制御部１３０は第３デマルチプレキシング部１１１−５から出力されたコンテンツを第１デコード部１５１−１を介してデコードして保存部１６０に保存することができる。
【０３６６】
一方、第２デコード部１５１−３は、第２デマルチプレキシング部１１１−３から出力されたコンテンツをデコードし、デコードされたコンテンツをイベント検出部１３１に出力する。それにより、イベント検出部１３１は第２デコード部１５１−３を介してデコードされたコンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０３６７】
それにより、制御部１３０は、保存部１６０に予め保存された録画コンテンツまたは予め設定された時間単位で臨時保存されたコンテンツに対する映像区間のうち、予め検出されたイベント区間に対する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むイベント要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３６８】
その後、要約コンテンツ再生に対するユーザ命令が入力されると、制御部１３０は、第１または第２デコード部１５１−１、１５１−３を介して予め保存された要約コンテンツの映像及びオーディオデータに対するデコードを行って再生し、要約コンテンツ別にマッチングされたサムネールイメージを画面上にディスプレイすることができる。一方、画面上にディスプレイされたサムネールイメージのうち１つが選択されると、制御部１３０は選択されたサムネールイメージとマッチングされた要約コンテンツから第１デコード部１５１−１を介してデコードして順次に再生することができる。
【０３６９】
このように、本発明に係る放送受信装置１００は、第１ないし第３デマルチプレキシング部１１１−１〜１１１−５と第及び第２デコード部１５１−１、１５１−３の構成を含むことで、図３４または図３６を参照して説明した放送受信装置１００に比べて最も安定的且つ効率的にユーザの要請したコンテンツに対する再生及び当該コンテンツに関連する要約コンテンツを生成することができる。
【０３７０】
図３９は、本発明の別の実施形態に係るコンテンツ及び同一のコンテンツに対する要約コンテンツを同時に再生する放送受信装置の第３ブロック図である。
【０３７１】
図３９に示すように、放送受信装置１００は第１ないし第３デマルチプレキシング部１１１−１〜１１１−５、第１ないし第３デコード部１５１−１〜１５１−５、出力部１２０、イベント検出部１３１、制御部１３０及び保存部１６０を含むことができる。
【０３７２】
この場合、第１デマルチプレキシング部１１１−１は、複数のチャネル別のコンテンツのうちユーザ命令に対応するチャネルのコンテンツを抽出し、第１デコード部１５１−１に出力し、第２デマルチプレキシング部１１１−３は、第１デマルチプレキシング部１１１−１と同一のチャネルのコンテンツを抽出して第２デコード部１５１−３に出力する。そして、第３デマルチプレキシング部１１１−５は、第１及び第２デマルチプレキシング部１１１−１、１１１−３と同一のチャネルのコンテンツを抽出して制御部１３０に出力する。
【０３７３】
第１デコード部１５１−１は、第１デマルチプレキシング部１１１−１から出力されたコンテンツに含まれた映像及びオーディオデータに対するデコードを行い、制御部１３０は第１デコード部１５１−１でデコードされたコンテンツを出力部１２０を介して再生することができる。一方、制御部１３０は、第３デマルチプレキシング部１１１−５を介して出力されたコンテンツを保存部１６０に保存する。しかし、本発明はそれに限定されるわけではなく、制御部１３０は第１ないし第３デコード部１５１−１〜１５１−５のうちの１つからデコードされたコンテンツを保存部１６０に保存することができる。
【０３７４】
一方、第２デコード部１５１−３は、デコードされたコンテンツをイベント検出部１３１に出力し、イベント検出部１３１は第２デコード部１５１−３を介してデコードされたコンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０３７５】
それにより、制御部１３０は、保存部１６０に予め保存されたコンテンツに対する映像区間のうち、予め検出されたイベント区間に関する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むイベント要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３７６】
一方、要約コンテンツサービス命令が入力されると、制御部１３０は、現在再生中のコンテンツに対する映像データが画面の第１領域に出力されるように出力部１２０を制御する。それと同時に、制御部１３０は、保存部１６０に予め保存された要約コンテンツに対する映像及びオーディオデータを第３デコード部１５１−５を介してデコードし、第３デコード部１５１−５からデコードされた要約コンテンツの映像データが順次に画面の第２領域に出力されるように出力部１２０を制御する。なお、制御部１３０は、画面の第３領域に予め保存された要約コンテンツ別にマッチングされたサムネールイメージが表示されるように出力部１２０を制御する。それにより、放送受信装置１００の第１領域にはユーザの要請したチャネルのコンテンツが再生され、第２領域には当該チャネルのコンテンツに関連する要約コンテンツが再生され、第３領域には要約コンテンツに対するサムネールイメージがディスプレイされてよい。
【０３７７】
一方、第３領域にディスプレイされたサムネールイメージのうち１つが選択されると、制御部１３０は、選択されたサムネールイメージとマッチングされた要約コンテンツに対する映像データから順次に画面の第２領域に出力されるように出力部１２０を制御する。それにより、放送受信装置１００の第２領域にはユーザの選択したサムネールイメージとマッチングされた要約コンテンツから順次に再生されてよい。
【０３７８】
このように、本発明に係る放送受信装置１００は、第１ないし第３デマルチプレキシング部１１１−１〜１１１−５と、第１ないし第３デコード部１５１−１〜１５１−５の構成を含むことで、図３５または図３７を参照して説明した放送受信装置１００にに比べてより安定的且つ効率的にユーザの要請したコンテンツ及び同一のコンテンツに関連する要約コンテンツを同時に再生することができる。
【０３７９】
図４０は、本発明の別の実施形態に係るコンテンツに対する要約コンテンツを生成する放送受信装置の第４ブロック図である。
【０３８０】
具体的に、図４０に示すように、放送受信装置１００はデマルチプレキシング部１１１、第１及び第２デコード部１５１−１、１５１−３、出力部１２０、イベント検出部１３１、制御部１３０及び保存部１６０を含むことができる。
【０３８１】
この場合、デマルチプレキシング部１１１は、複数のチャネル別のコンテンツのうちユーザ命令に対応するチャネルのコンテンツを抽出し、第１及び第２デコード部１５１−１、１５１−３と制御部１３０とに出力する。
【０３８２】
デマルチプレキシング部１１１から出力されたコンテンツを受信した第１デコード部１５１−１は受信されたコンテンツに含まれた映像及びオーディオデータに対するデコードを行い、制御部１３０は、デコードされたコンテンツを出力部１２０を介して出力することができる。
【０３８３】
それと同時に、制御部１３０は、デマルチプレキシング部１１１から出力されたコンテンツを保存部１６０に保存する。しかし、本発明はそれに限定されるわけではなく、制御部１３０はデマルチプレキシング部１１１から出力されたコンテンツを第１デコード部１５１−１を介してデコードして保存部１６０に保存することができる。
【０３８４】
一方、第２デコード部１５１−３は、デマルチプレキシング部１１１から出力されたコンテンツをデコードし、デコードされたコンテンツをイベント検出部１３１に出力する。それにより、イベント検出部１３１は、第２デコード部１５１−３を介してデコードされたコンテンツの映像及びオーディオデータのうち少なくとも１つを分析し、予め設定された条件に対応する少なくとも１つのイベント区間を検出し、検出されたイベント区間に対する時間情報を制御部１３０に伝達する。
【０３８５】
それにより、制御部１３０は、保存部１６０に予め保存された録画コンテンツまたは予め設定された時間単位で臨時保存されたコンテンツに対する映像区間のうち、予め検出されたイベント区間に対する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３８６】
その後、要約コンテンツ再生に対するユーザ命令が入力されると、制御部１３０は、第１デコード部１５１−１を介して予め保存された要約コンテンツの映像及びオーディオデータに対するデコードを行って再生し、要約コンテンツ別にマッチングされたサムネールイメージを画面上にディスプレイすることができる。一方、画面上にディスプレイされたサムネールイメージのうち１つが選択されると、制御部１３０は選択されたサムネールイメージとマッチングされた要約コンテンツから第１デコード部１５１−１を介してデコードして順次に再生することができる。
【０３８７】
このように、本発明に係る放送受信装置１００は、第１及び第２デコード部１５１−１、１５１−３の構成を含み、第１及び第２デコード部１５１−１、１５１−３を介してユーザの要請したコンテンツに対するデコードを行うことで、最低限の構成からなる放送受信装置１００に比べてより安定的且つ効率的にユーザの要請したコンテンツに対する再生及び当該コンテンツに関連する要約コンテンツを生成することができる。
【０３８８】
図４１は、本発明の一実施形態に係る視聴中のコンテンツと異なる他コンテンツに対する要約コンテンツを生成する放送受信装置の第１ブロック図である。
【０３８９】
図４１に示すように、放送受信装置１００は、第１及び第２デマルチプレキシング部１１１−１、１１１−３、第１及び第２デコード部１５１−１、１５１−３、出力部１２０、イベント検出部１３１、制御部１３０及び保存部１６０を含むことができる。
【０３９０】
この場合、第１デマルチプレキシング部１１１−１は、複数のチャネル別のコンテンツのうちユーザ命令に対応する第１チャネルの第１コンテンツを抽出し、第１デコード部１５１−１に出力する。そして、第２デマルチプレキシング部１１１−３は、複数のチャネル別のコンテンツのうち第２チャネルの第２コンテンツを抽出して第２デコード部１５１−３及び制御部１３０に出力する。
【０３９１】
第１デコード部１５１−１は、第１デマルチプレキシング部１１１−１から出力された第１コンテンツに含まれた映像及びオーディオデータに対するデコードを行い、制御部１３０は第１デコード部１５１−１でデコードされた第１コンテンツを出力部１２０を介して出力することができる。それと同時に、制御部１３０は、第２デマルチプレキシング部１１１−３から出力された第２コンテンツを保存部１６０に保存する。
【０３９２】
一方、第２デコード部１５１−３は、第２デマルチプレキシング部１１１−３から出力された第２コンテンツをデコードし、デコードされた第２コンテンツをイベント検出部１３１に出力する。それにより、イベント検出部１３１は、第２デコード部１５１−３を介してデコードされた第２コンテンツの映像及びオーディオデータのうち少なくとも１つを分析し、予め設定された条件に対応する少なくとも１つのイベント区間を検出し、検出されたイベント区間に対する時間情報を制御部１３０に伝達する。
【０３９３】
それにより、制御部１３０は、保存部１６０に予め保存された第２コンテンツに対する録画コンテンツまたは予め設定された時間単位で臨時保存された第２コンテンツに対する映像区間のうち、予め検出されたイベント区間に関する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むイベント要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０３９４】
その後、要約コンテンツ再生に対するユーザ命令が入力されると、制御部１３０は、第１デコード部１５１−１を介して予め保存された要約コンテンツの映像及びオーディオデータに対するデコードを行って再生し、要約コンテンツ別にマッチングされたサムネールイメージを画面上にディスプレイすることができる。一方、画面上にディスプレイされたサムネールイメージのうち１つが選択されると、制御部１３０は選択されたサムネールイメージとマッチングされた要約コンテンツから第１デコード部１５１−１を介してデコードして順次に再生することができる。
【０３９５】
このように、本発明に係る放送受信装置１００は最低限の構成のみでユーザの要請した第１コンテンツに対する再生及び第２コンテンツに関連する要約コンテンツを生成することができる。
【０３９６】
図４２は、本発明の一実施形態に係る視聴中のコンテンツと異なる他コンテンツに対する要約コンテンツを同時に再生する放送受信装置の第１ブロック図である。
【０３９７】
図４２に示すように、放送受信装置１００は、第１及び第２デマルチプレキシング部１１１−１、１１１−３、第１ないし第３デコード部１５１−１〜１５１−５、出力部１２０、イベント検出部１３１、制御部１３０及び保存部１６０を含むことができる。
【０３９８】
この場合、第１デマルチプレキシング部１１１−１は、複数のチャネル別のコンテンツのうちユーザ命令に対応する第１チャネルの第１コンテンツを抽出し、第１デコード部１５１−１に出力し、第２デマルチプレキシング部１１１−３は、ユーザ命令に対応する第２チャネルの第２コンテンツを抽出して第２デコード部１５１−３及び制御部１３０に出力する。
【０３９９】
第１デコード部１５１−１は、第１デマルチプレキシング部１１１−１から出力された第１コンテンツに含まれた映像及びオーディオデータに対するデコードを行い、制御部１３０は第１デコード部１５１−１でデコードされた第１コンテンツを出力部１２０を介して再生することができる。一方、制御部１３０は、第２デマルチプレキシング部１１１−３を介して出力された第２コンテンツを保存部１６０に保存する。しかし、本発明はそれに限定されるわけではなく、制御部１３０は、第２または第３デコード部１５１−３、１５１−５からデコードされた第２コンテンツを保存部１６０に保存することができる。
【０４００】
一方、第２デコード部１５１−３は、デコードされた第２コンテンツをイベント検出部１３１に出力し、イベント検出部１３１は第２デコード部１５１−３を介してデコードされた第２コンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０４０１】
それにより、制御部１３０は、保存部１６０に予め保存された第２コンテンツに対する映像区間のうち、予め検出されたイベント区間に関する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０４０２】
一方、要約コンテンツサービス命令が入力されると、制御部１３０は、現在再生中の第１コンテンツに対する映像データが画面の第１領域に出力されるように出力部１２０を制御する。それと同時に、制御部１３０は、保存部１６０に予め保存された第２コンテンツに関連する要約コンテンツに対する映像及びオーディオデータを第３デコード部１５１−５を介してデコードし、第３デコード部１５１−５からデコードされた要約コンテンツの映像データが順次に画面の第２領域に出力するように出力部１２０を制御する。なお、制御部１３０は、画面の第３領域に予め保存された要約コンテンツ別にマッチングされたサムネールイメージが表示されるように出力部１２０を制御する。それにより、放送受信装置１００の第１領域にはユーザの要請した第１チャネルの第１コンテンツが再生され、第２領域には第２チャネルの第２コンテンツに関連する要約コンテンツが再生され、第３領域には要約コンテンツに対するサムネールイメージがディスプレイされてよい。
【０４０３】
一方、第３領域にディスプレイされたサムネールイメージのうち１つが選択されると、制御部１３０は選択されたサムネールイメージとマッチングされた要約コンテンツに対する映像データから順次に画面の第２領域に出力されるように出力部１２０を制御する。それにより、放送受信装置１００の第２領域にはユーザの選択したサムネールイメージとマッチングされた要約コンテンツから順次に再生されてよい。
【０４０４】
このように、本発明に係る放送受信装置１００は、最低限の構成のみでユーザの要請した第１コンテンツ及び第２コンテンツに関連する要約コンテンツ同時に再生することができる。
【０４０５】
図４３は、本発明の別の実施形態に係る視聴中のコンテンツと異なる他コンテンツに対する要約コンテンツを生成する放送受信装置の第２ブロック部である。
【０４０６】
図４３に示すように、放送受信装置１００は、第１ないし第３デマルチプレキシング部１１１−１〜１１１−５、第１及び第２デコード部１５１−１、１５１−３、出力部１２０、イベント検出部１３１、制御部１３０及び保存部１６０を含むことができる。
【０４０７】
この場合、第１デマルチプレキシング部１１１−１は、複数のチャネル別のコンテンツのうちユーザ命令に対応する第１チャネルの第１コンテンツを抽出し、第１デコード部１５１−１に出力する。そして、第２デマルチプレキシング部１１１−３は、複数のチャネル別のコンテンツのうち第２チャネルの第２コンテンツを抽出して第２デコード部１５１−３に出力し、第３デマルチプレキシング部１１１−５は、第２デマルチプレキシング部１１１−３と同一の第２チャネルの第２コンテンツを抽出して制御部１３０に出力する。
【０４０８】
第１デコード部１５１−１は、第１デマルチプレキシング部１１１−１から出力された第１コンテンツに含まれた映像及びオーディオデータに対するデコードを行い、制御部１３０は第１デコード部１５１−１でデコードされた第１コンテンツを出力部１２０を介して出力することができる。それと同時に、制御部１３０は、第３デマルチプレキシング部１１１−５から出力された第２コンテンツを保存部１６０に保存する。
【０４０９】
一方、第２デコード部１５１−３は、第２デマルチプレキシング部１１１−３から出力された第２コンテンツをデコードし、デコードされた第２コンテンツをイベント検出部１３１に出力する。それにより、イベント検出部１３１は、第２デコード部１５１−３を介してデコードされた第２コンテンツの映像及びオーディオデータのうち少なくとも１つを分析し、予め設定された条件に対応する少なくとも１つのイベント区間を検出し、検出されたイベント区間に対する時間情報を制御部１３０に伝達する。
【０４１０】
それにより、制御部１３０は、保存部１６０に予め保存された第２コンテンツに対する録画コンテンツまたは予め設定された時間単位で臨時保存された第２コンテンツに対する映像区間のうち、予め検出されたイベント区間に関する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０４１１】
その後、要約コンテンツ再生に対するユーザ命令が入力されると、制御部１３０は、第１デコード部１５１−１を介して予め保存された要約コンテンツの映像及びオーディオデータに対するデコードを行って再生し、要約コンテンツ別にマッチングされたサムネールイメージを画面上にディスプレイすることができる。一方、画面上にディスプレイされたサムネールイメージのうち１つが選択されると、制御部１３０は選択されたサムネールイメージとマッチングされた要約コンテンツから第１デコード部１５１−１を介してデコードして順次に再生することができる。
【０４１２】
このように、本発明に係る放送受信装置１００は、第１ないし第３デマルチプレキシング部１１１−１〜１１１−５と、第１及び第２デコード部１５１−１、１５１−３との構成を含むことで、より安定的かつ効率的にユーザの要請した第１コンテンツに対する再生及び第２コンテンツに対する要約コンテンツを生成することができる。
【０４１３】
図４４は、本発明の別の実施形態に係る視聴中のコンテンツと異なる他コンテンツに対する要約コンテンツを再生する放送受信装置の第２ブロック図である。
【０４１４】
図４４に示すように、放送受信装置１００は、第１ないし第３デマルチプレキシング部１１１−１〜１１１−５、第１ないし第３デコード部１５１−１〜１５１−５、出力部１２０、イベント検出部１３１、制御部１３０及び保存部１６０を含むことができる。
【０４１５】
この場合、第１デマルチプレキシング部１１１−１は、複数のチャネル別のコンテンツのうちユーザ命令に対応する第１チャネルの第１コンテンツを抽出し、第１デコード部１５１−１に出力する。そして、第２デマルチプレキシング部１１１−３は、ユーザ命令に対応する第２チャネルの第２コンテンツを抽出して第２デコード部１５１−３に出力し、第３デマルチプレキシング１１１−５は、第２デマルチプレキシング部１１１−３と同様に第２チャネルの第２コンテンツを抽出して制御部１３０に出力する。
【０４１６】
第１デコード部１５１−１は、第１デマルチプレキシング部１１１−１から出力された第１コンテンツに含まれた映像及びオーディオデータに対するデコードを行い、制御部１３０は第１デコード部１５１−１でデコードされた第１コンテンツを出力部１２０を介して再生することができる。一方、制御部１３０は、第３デマルチプレキシング部１１１−５を介して出力された第２コンテンツを保存部１６０に保存する。しかし、本発明はそれに限定されるわけではなく、制御部１３０は、第３デコード部１５１−５からデコードされた第２コンテンツを保存部１６０に保存することができる。
【０４１７】
一方、第２デコード部１５１−３は、デコードされた第２コンテンツをイベント検出部１３１に出力し、イベント検出部１３１は第２デコード部１５１−３を介してデコードされた第２コンテンツの映像及びオーディオデータのうち少なくとも１つを分析し、予め設定された条件に対応する少なくとも１つのイベント区間を検出する。このように、デコードされたコンテンツの映像及びオーディオデータのうち少なくとも１つを分析し、予め設定された条件に対応する少なくとも１つのイベント区間が検出されると、イベント検出部１３１は検出された少なくとも１つのイベント区間に対する時間情報を制御部１３０に伝達する。
【０４１８】
それにより、制御部１３０は、保存部１６０に予め保存された第２コンテンツに対する映像区間のうち、予め検出されたイベント区間に関する時間情報に基づいてイベント区間に対する映像区間を獲得する。その後、制御部１３０は、獲得した映像区間がスポーツ関連コンテンツなら、当該映像区間を基準に予め設定された固定時間に存在する前後映像区間を獲得し、獲得したイベント区間に対する映像区間及び前後映像区間を含むコンテンツ要約区間に基づいて要約コンテンツを生成することができる。このような要約コンテンツが生成されると、制御部１３０は生成された要約コンテンツを構成する映像区間のうち、予め設定された条件に対応する１つの映像区間をサムネールイメージに決定し、予め生成された要約コンテンツとサムネールイメージとを相互マッチングさせて保存部１６０に保存する。
【０４１９】
一方、要約コンテンツサービス命令が入力されると、制御部１３０は、現在再生中の第１コンテンツに対する映像データが画面の第１領域に出力されるように出力部１２０を制御する。それと同時に、制御部１３０は、保存部１６０に予め保存された第２コンテンツに関連する要約コンテンツに対する映像及びオーディオデータを第３デコード部１５１−５を介してデコードし、第３デコード部１５１−５からデコードされた要約コンテンツの映像データが順次に画面の第２領域に出力されるように出力部１２０を制御する。なお、制御部１３０は、画面の第３領域に予め保存された要約コンテンツ別にマッチングされたサムネールイメージが表示されるように出力部１２０を制御する。それにより、放送受信装置１００の第１領域にはユーザの要請した第１チャネルの第１コンテンツが再生され、第２領域には第２チャネルの第２コンテンツに関連する要約コンテンツが再生され、第３領域には要約コンテンツに対するサムネールイメージがディスプレイされてよい。
【０４２０】
一方、第３領域にディスプレイされたサムネールイメージのうち１つが選択されると、制御部１３０は選択されたサムネールイメージとマッチングされた要約コンテンツに対する映像データから順次に画面の第２領域に出力されるように出力部１２０を制御する。それにより、放送受信装置１００の第２領域にはユーザの選択したサムネールイメージとマッチングされた要約コンテンツから順次に再生されてよい。
【０４２１】
このように、本発明に係る放送受信装置１００は、第１ないし第３デマルチプレキシング部１１１−１〜１１１−５及び第１ないし第３デコード部１５１−１〜１５１−５を含むことで、より安定的かつ効率的にユーザの要請した第１コンテンツ及び第２ココンテンツに関連する要約コンテンツを同時に再生することができる。
【０４２２】
これまで、本発明に係る放送受信装置でコンテンツに対する要約コンテンツサービスを提供する動作について詳細に説明してきた。以下では、本発明に係る放送受信装置で要約コンテンツサービスを提供する方法について詳細に説明する。
【０４２３】
図４５は、本発明の一実施形態に係る放送受信装置で要約コンテンツサービスを提供する方法のフローチャートである。
【０４２４】
図４５に示すように、放送受信装置１００はデマルチプレキシング部を介して  複数のチャネルのうち、ユーザ命令に対応するチャネルのコンテンツを抽出する（Ｓ４５１０）。このようなコンテンツが抽出されると、放送受信装置１００は抽出されたコンテンツに含まれた映像及びオーディオデータをデコードする（Ｓ４５２０）。その後、放送受信装置１００は、デコードされたコンテンツの映像及びオーディオデータのうち少なくとも１つを分析し、予め設定された条件に対応する少なくとも１つのイベント区間を検出する（Ｓ４５３０）。
【０４２５】
イベント区間を検出する方法は、上記において説明しているため、以下では詳細な説明は省略する。
【０４２６】
予め設定された条件に基づいて少なくとも１つのイベント区間が検出されると、放送受信装置１００は検出されたイベント区間に基づいてコンテンツ要約区間を決定し、決定されたコンテンツ要約区間に基づいて要約コンテンツを生成する（Ｓ４５４０、Ｓ４５５０）。具体的に、放送受信装置１００はイベント区間が検出されると、イベント区間の検出された時間情報に基づいて予め保存された録画コンテンツまたは予め設定された時間単位で予め保存されたリアルタイムコンテンツに対する映像区間のうち、イベント区間に対する映像区間を獲得する。その後、放送受信装置１００は、獲得した映像区間を分析して当該映像区間に対するコンテンツがスポーツ関連コンテンツか否かを判断する。判断の結果、スポーツ関連コンテンツであれば、放送受信装置１００は予め検出されたイベント区間に対する映像区間を基準に予め設定された固定時間に存在する前後映像区間を獲得する。
【０４２７】
その後、放送受信装置１００は、獲得した前後映像区間のうちシーン場面の変化された区間があるか否かを判断し、シーン場面の変化された区間がない場合、予め検出されたイベント区間に対する映像区間及び当該映像区間を基準に固定時間に存在する前後映像区間をコンテンツ要約区間として決定する。
【０４２８】
一方、獲得した前後映像区間のうち少なくとも１つの映像区間でシーン場面が変化されたと判断されると、放送受信装置１００は予め設定された固定時間を可変し、予め検出されたイベント区間に対する映像区間に関連する前後映像区間を獲得する。その後、放送受信装置１００は、検出されたイベント区間に対する映像区間及び可変された固定時間内に存在する前後映像区間をコンテンツ要約区間として決定することができる。
【０４２９】
一方、本発明に係る固定時間は絶対固定時間を含むことができ、このような絶対固定時間は可変されない。よって、放送受信装置１００は、固定時間内に存在する前後映像区間のうち、絶対固定時間内に存在する前後映像区間を除く残りの前後映像区間のうち、シーン場面の変化された区間があるか否かを判断する。判断の結果、シーン場面の変化された区間がある場合、放送受信装置１００は絶対固定時間を除く残りの固定時間内に固定時間を可変して予め検出されたイベント区間に対する映像区間に関連する前後映像区間を獲得することができる。
【０４３０】
その後、放送受信装置１００は、イベント区間に対する映像区間及び当該映像区間を基準に予め設定された固定時間或いは可変された固定時間に存在する前後映像区間を含むコンテンツ要約区間を決定し、決定されたコンテンツ要約区間に基づいて要約コンテンツを生成する。このような要約コンテンツが生成されると、放送受信装置１００は当該要約コンテンツを構成する放送区間のうち予め設定された条件に対応する１つの映像区間の映像イメージをサムネールイメージに決定し、決定されたサムネールイメージと要約コンテンツとをマッチングさせて保存する。
【０４３１】
その後、放送受信装置１００は、ユーザ命令に応じて、ユーザの要請したコンテンツ及び予め保存された要約コンテンツを同時に再生する（Ｓ４５６０）。ここで、要約コンテンツは、現在視聴中のコンテンツに関連するコンテンツか、或いは、現在視聴中のコンテンツと異なる他コンテンツに関連するコンテンツであってよい。すなわち、放送受信装置１００は、ユーザ命令が視聴中のコンテンツと同一のコンテンツに対する要約コンテンツサービス命令であれば、視聴中のコンテンツと当該コンテンツに関連する要約コンテンツとを同時に再生する。一方、放送受信装置１００は、ユーザ命令が視聴中のコンテンツと異なるコンテンツにたいする要約コンテンツサービス命令なら、視聴中のコンテンツと他コンテンツに関連する要約コンテンツとを同時に再生する。
【０４３２】
図４６は、本発明の一実施形態に係る放送受信装置で要約コンテンツに対する生成及び再生する方法に対するフローチャートである。
【０４３３】
図４６に示すように、放送受信装置１００は、ユーザ命令が入力されると、入力されたユーザ命令が同一のチャネルに対する要約コンテンツサービス要請か否かを判断する。判断の結果、同一のチャネルに対する要約コンテンツサービス要請の場合、放送受信装置１００は現在再生中のコンテンツから要約コンテンツを生成する（Ｓ４６１０）。上述のように、放送受信装置１００は現在再生中のコンテンツから予め設定された条件に対応するイベント区間を検出し、イベント区間の検出された時間情報に基づいてイベント区間に対する映像区間を獲得する。その後、放送受信装置１００は、獲得した映像区間を基準に予め設定された固定時間に存在する前後映像区間を獲得し、獲得したイベント区間に対する映像区間及び前後映像区間に基づいて現在再生中のコンテンツに対する要約コンテンツを生成する（Ｓ４６２０）。その後、放送受信装置１００は、ユーザの要請したコンテンツ及び当該コンテンツに関連する要約コンテンツを同時に出力する（Ｓ４６３０）。すなわち、放送受信装置１００は現在再生中のコンテンツを第１領域にディスプレイし、当該コンテンツに関連する要約コンテンツを第２領域にディスプレイする。
【０４３４】
一方、放送受信装置１００は、当該コンテンツに関連して生成された要約コンテンツに対するサムネールイメージを第３領域にディスプレイすることができる。このようなサムネールイメージのうち１つが選択されると、放送受信装置１００は選択されたサムネールイメージとマッチングされた要約コンテンツから順次に第２領域にディスプレイすることができる。
【０４３５】
一方、ステップＳ４６１０で現在再生中のコンテンツ（以下、第１コンテンツという）と異なる他コンテンツ（以下、第２コンテンツという）に対する要約コンテンツサービス要請であれば、放送受信装置１００は第２コンテンツに関連する要約コンテンツを生成する（Ｓ４６４０）。その後、放送受信装置１００は第１コンテンツと第２コンテンツに関連する要約コンテンツとを同時に出力する（Ｓ４６５０）。
【０４３６】
具体的に、放送受信装置１００は、第１デマルチプレキシング部を介して第１コンテンツを抽出し、第１デコード部を介して第１コンテンツにデコードを行って第１領域にディスプレイする。そして、放送受信装置１００は、第２デマルチプレキシング部を介して第２コンテンツを抽出し、抽出された第２コンテンツから予め設定された条件に対応するイベント区間を検出する。その後、放送受信装置１００は、第２コンテンツから検出されたイベント区間の時間情報に基づいてイベント区間に対する映像区間を獲得する。その後、放送受信装置１００は、獲得した映像区間を基準に予め設定された固定時間に存在する前後映像区間を獲得し、獲得したイベント区間に対する映像区間及び前後映像区間に基づいて第２コンテンツに対する要約コンテンツを生成する。
【０４３７】
それにより、放送受信装置１００は第１領域に第１コンテンツを再生し、同時に第２領域に第２コンテンツに関連する要約コンテンツを再生することができる。一方、放送受信装置１００は、第２コンテンツに関連して生成された要約コンテンツに対するサムネールイメージを第３領域にディスプレイすることができる。このようなサムネールイメージのうち１つが選択されると、放送受信装置１００は選択されたサムネールイメージとマッチングされた要約コンテンツから順次に第２領域にディスプレイすることができる。
【０４３８】
以下では、上述の放送受信装置１００でイベント区間に関連する映像区間を選択的に出力するためのブックマーキング情報を生成する動作及び方法について詳細に説明する。
【０４３９】
上述のように、データ処理部１５０は受信されたコンテンツ或いは予め保存された録画コンテンツの映像及びオーディオデータを出力可能な形態で信号処理する。そのために、データ処理部１５０は、デコード部１５１と、スケーラ１５３及びデインターレーシング部１５５のうち少なくとも１つを含むことができる。上述のように、デコード部１５１は、受信されたコンテンツ或いは予め保存された録画コンテンツの映像及びオーディオデータをデコードする。スケーラ１５３は、デコードされた映像データに対するスケーリングを行い、デインターレーシング部１５５は、デコードされた映像データを順次走査映像に変換するデインターレーシングを行う。このようなデータ処理部１５０を構成するデコード部１５１、スケーラ１５３及びデインターレーシング部１５５は映像処理を行うための公知となった構成として、本発明では詳細な説明を省略する。
【０４４０】
一方、上述の制御部１３０は、入力部１７０を介して入力された録画命令に応じて、受信部１１０または通信部１４０を介して受信されたコンテンツに対するレコーディングを行って当該コンテンツに対する録画コンテンツを保存部１６０に保存する。
【０４４１】
更に、制御部１３０は、入力部１７０を介して入力された要約コンテンツ再生命令に応じて、ユーザの要請したコンテンツに対する要約コンテンツサービス提供のための動作を行う。具体的に、制御部１３０は、データ処理部１５０を介して信号処理されたコンテンツの映像及びオーディオデータのうち少なくとも１つを分析し、予め設定された条件に対応するイベント区間を検出する。その後、制御部１３０は、当該コンテンツに関連する録画コンテンツで予め検出されたイベント区間に関連する映像区間のみを選択的に出力するためのブックマーキング情報を生成して保存部１６０に保存する。
【０４４２】
ここで、イベント区間に関連する映像区間は、録画コンテンツでハイライト映像上で選別された映像区間であってよい。そして、イベント区間に関連する映像区間を選択的に出力するためのブックマーキング情報はイベント区間を含む要約コンテンツ区間の開始及び終了時点の時間情報を含むことができる。更に、ブックマーキング情報は、当該イベント区間を含む要約コンテンツ区間に含まれた映像イメージのうち、代表サムネールイメージに決定された映像イメージを含むことができる。よって、制御部１３０は、イベント区間を含む要約コンテンツ区間の開始及び終了時点の時間情報と、当該イベント区間を含む要約コンテンツ区間に含まれた映像イメージのうち、代表サムネールイメージに決定された映像イメージを含むブックマーキング情報を生成して保存部１６０に保存することができる。
【０４４３】
一方、上述のように、録画コンテンツ、要約コンテンツ及び当該要約コンテンツに対するサムネールイメージを保存する保存部１６０は、ユーザの要請に応じて、視聴中のコンテンツ或いは予約設定されたコンテンツに関連して録画された録画コンテンツ及び当該録画コンテンツで要約コンテンツ区間を選択的に出力するためのブックマーキング情報を保存することができる。
【０４４４】
一方、制御部１３０は、上述の実施形態を通じてイベント区間が検出されると、検出されたイベント区間を含む要約コンテンツ区間を決定し、当該要約コンテンツ区間い対する代表サムネールイメージを決定することができる。このような要約コンテンツ区間に対する代表サムネールイメージが決定されると、制御部１３０はイベント区間を含む要約コンテンツ区間の開始及び終了時点の時間情報と、代表サムネールイメージに決定された映像イメージを含むブックマーキング情報を生成して保存部１６０に保存することができる。
【０４４５】
一方、制御部１３０は、入力部１７０を介して録画コンテンツ再生命令が入力されると、保存部１６０に予め保存された複数の録画コンテンツのうち、録画コンテンツ再生命令に対応する録画コンテンツを出力するように出力部１２０を制御することができる。このとき、制御部１３０は、入力部１７０を介して入力された録画コンテンツ再生命令が要約コンテンツサービス命令であれば、当該録画コンテンツで要約コンテンツ区間に該当する映像区間のみを選択的に出力するように出力部１２０を制御することができる。
【０４４６】
具体的に、制御部１３０は、要約コンテンツサービス命令に応じて、出力部１２０を介して出力される録画コンテンツに対するブックマーキング情報を獲得する。その後、制御部１３０は、録画コンテンツの再生時間情報に基づいて当該録画コンテンツに対するブックマーキング情報に含まれた時間情報に対応する映像区間を抽出し、抽出された映像区間のみを選択的に出力するように出力部１２０を制御することができる。それにより、出力部１２０は、映像出力部１２１及びオーディオ出力部１２３のうち少なくとも１つを介して録画コンテンツで要約コンテンツ区間に該当する映像区間のみを選択的に出力することができる。
【０４４７】
図４７は、本発明の一実施形態に係る放送受信装置で要約コンテンツ区間を出力する例示図である。
【０４４８】
図４７に示すように、制御部１３０は、ユーザの要請した録画コンテンツに関連して予め保存されたブックマーキング情報を獲得することができる。このようなブックマーキング情報が獲得されると、制御部１３０は、獲得したブックマーキング情報に含まれた要約コンテンツ区間の再生開始時点の時間情報と、再生終了時点の時間情報とを獲得する。図示のように、Ａ要約コンテンツ区間４７１０の再生開始時点はａ時点であってよく、再生終了視点はａ’時間であってよい。そして、Ｂ要約コンテンツ区間４７２０の再生開始時点はｂ時間であってよく、再生終了時点はｂ’時間であってよい。最後に、Ｃ要約コンテンツ区間４７３０の再生開始時点はｃ時間であってよく、再生終了時点はｃ’時間であってよい。
【０４４９】
このように、予め獲得したブックマーキング情報に基づいて、ＡないしＣ要約コンテンツ区間４７１０〜４７３０に関する時間情報が獲得されると、制御部１３０は録画コンテンツが再生される時点を基準に、ａ時間からａ’時間に該当する映像区間を出力するように出力部１２０を制御する。それにより、出力部１２０は、録画コンテンツの映像区間のうち、ａ時間からａ’時間に該当する映像区間を出力する。その後、制御部１３０は、ａ時間でａ’時間に該当する映像区間の再生が終了すると、すなわち、ａ’時間に該当する映像区間の再生が終了すると、録画コンテンツの再生される時点を基準にｂ時間からｂ’時間に該当する映像区間を出力するように出力部１２０を制御する。それにより、出力部１２０は、録画コンテンツの映像区間のうち、ｂ時間からｂ’時間  に該当する映像区間を出力する。その後、制御部１３０は、ｂ時間でｂ’時間に該当する映像区間の再生が終了すると、すなわち、ｂ’時間に該当する映像区間の再生が終了すると、録画コンテンツの再生される時点を基準にｃ時間からｃ’時間に該当する映像区間を出力するように出力部１２０を制御する。それにより、出力部１２０は、録画コンテンツの映像区間のうち、ｃ時間からｃ’時間に該当する映像区間を出力する。
【０４５０】
このように、本発明に係る放送受信装置１００は、ブックマーキング情報に基づいて録画コンテンツの映像区間のうち、ハイライト映像に該当する要約コンテンツ区間のみを選択的に再生することができる。
【０４５１】
一方、制御部１３０は、録画コンテンツ再生命令が入力されると、予め保存された複数の録画コンテンツのうち、入力されたコンテンツ再生命令に対応する録画コンテンツを獲得し、獲得した録画コンテンツに関連するブックマーキング情報が保存されているか否かを判断する。判断の結果、録画コンテンツに関連するブックマーキング情報が保存されていると、制御部１３０は、コンテンツ再生命令に対応する録画コンテンツ及びブックマーキング情報に含まれた代表サムネールイメージを出力するように出力部１２０を制御する。それにより、出力部１２０は、映像出力部１２１を介して第１領域に録画コンテンツに対する映像データを出力し、第２映像に複数の代表サムネールイメージを出力することができる。
【０４５２】
図４８は、本発明の一実施形態に係る放送受信装置で録画コンテンツを出力する例示図である。
【０４５３】
図４８に示すように、制御部１３０は、ユーザの録画コンテンツ再生命令が入力されると、予め保存された複数の録画コンテンツのうち、入力された録画コンテンツ再生命令に対応する録画コンテンツを獲得する。このとき、制御部１３０は、録画コンテンツに関連するブックマーキング情報が保存部１６０に保存されているか否かを判断する。判断の結果、録画コンテンツに関連するブックマーキング情報が保存されていると、制御部１３０は録画コンテンツ再生命令に対応する録画コンテンツ４８１０及び当該録画コンテンツに関連するブックマーキング情報に含まれた代表サムネールイメージを出力するように出力部１２０を制御する。それにより、出力部１２０は、映像出力部１２１を介して第１領域に録画コンテンツの映像データ４８１０を出力し、第２領域に録画コンテンツに関連するブックマーキング情報に含まれた第１ないし第３代表サムネールイメージ４８２０〜４８４０を出力する。
【０４５４】
このような第１ないし第３代表サムネールイメージ４８２０〜４８４０が第２領域に出力された状態で、第１代表サムネールイメージ４８２０が選択されると、制御部１３０は、選択された第１代表サムネールイメージ４８２０に関連する要約コンテンツ区間の時間情報を獲得し、獲得した時間情報に基づいて選択された代表サムネールイメージに関連する要約コンテンツ区間から順次に出力されるように出力部１２０を制御する。ここで、選択された第１代表サムネールイメージ４８２０に関連する要約コンテンツ区間から順次に出力されることは、第１代表サムネールイメージ４８２０に関連する要約コンテンツ区間から録画コンテンツが再生されたり、または、録画コンテンツのうち第１ないし第３代表サムネールイメージ４８２０〜４８４０に関連する要約コンテンツ区間のみが選択的に出力されることを全て含んでよい。
【０４５５】
一方、上述の多様な実施形態を通じて、コンテンツに対するイベント区間を検出する制御部１３０は、信号処理された映像及びオーディオデータのうち映像データからイベント区間を検出することにおいて、当該映像データの信号処理状態に応じて異なるアルゴリズムを適用してイベント区間を検出することが望ましい。すなわち、データ処理部１５０を介して信号処理された映像データはデコードされた映像データ、デインターレーシングされた映像データ及びスケーリングされた映像データであってよい。更に、映像データは、信号処理された映像データに対応する駆動制御信号を生成するタイミング駆動部１８０の駆動制御信号によって出力されるデータであってよい。
【０４５６】
よって、制御部１３０は、データ処理部１５０を構成するデコード部１５１を介してデコードされた映像データ、デインターレーシング部１５５を介してデインターレーシングされた映像データ、スケーラ１５３を介してスケーリングされた映像データ及びタイミング駆動部１８０の駆動制御信号に応じて出力される映像データに応じて異なるアルゴリズムを適用してそれぞれの映像データを分析してイベント区間を検出することができる。
【０４５７】
具体的に、制御部１３０は、デマルチプレキシング部１１１を介してデマルチプレキシングされたコンテンツからイベント区間を検出する場合、当該コンテンツに含まれた映像データをデコードした後、デコードされた映像データを分析して予め設定された条件に対応するイベント区間を検出することができる。そして、制御部１３０は、デコード部１５１を介してデコードされたコンテンツの映像データが入力されると、インターレーシング（Ｉｎｔｅｒｌａｃｉｎｇ）された映像イメージを分析して予め設定された条件に対応するイベント区間を検出することができる。なお、制御部１３０は、スケーラ１５３を介してスケーリングされた映像データが入力されると、スケーリングされた映像データの映像イメージに対する解像度を考慮し、予め設定された条件に対応するイベント区間を検出することができる。なお、制御部１３０は、デインターレーシング部１５５を介してデインターレーシングされたコンテンツの映像データが入力されると、入力された映像データの映像イメージに対する入力解像度を考慮し、予め設定された条件に対応するイベント区間を検出することができる。最後に、制御部１３０は、タイミング駆動部１８０の駆動制御信号に応じて出力される映像データが入力されると、当該映像データの映像イメージに対するＬＶＤＳ（Ｌｏｗ  Ｖｏｌｔａｇｅ  Ｄｉｆｆｅｒｅｎｔｉａｌ  Ｓｉｇｎａｌ）または差動信号（Ｄｉｆｆｅｒｅｎｔｉａｌ  Ｓｉｇｎａｌ）を分析して予め設定された条件に対応するイベント区間を検出することができる。
【０４５８】
一方、上述のように、ユーザの要約コンテンツサービス命令に応じて、コンテンツに対する録画及びイベント区間を検出する制御部１３０は、上述のイベント検出部１３１及びレコーディング部１３３を介して行うことができる。イベント検出部１３１は、受信部１１０を介して受信されたコンテンツの映像及びオーディオデータのうち少なくとも１つを分析して予め設定された条件に対応するイベント区間を検出し、レコーディング部１５３は、受信部１１０を介して受信されたコンテンツに対するレコーディングを行って当該コンテンツに対する録画コンテンツを生成する。
【０４５９】
よって、制御部１３０は、視聴中のコンテンツに対する要約コンテンツサービス命令が入力されると、受信部１１０を介して受信されたコンテンツが出力されるようにデータ処理部１５０及び出力部１２０を制御する。それと同時に、制御部１３０は、当該コンテンツに対する録画及びイベント検出を行うようにレコーディング部１３３とイベント検出部１３１とを制御する。それにより、レコーディング部１３３は、受信部１１０を介して受信されたコンテンツに対するレコーディングを行って録画コンテンツを生成し、それと同時にイベント検出部１３１は受信部１１０を介して受信されたコンテンツの映像及びオーディオデータのうち少なくとも１つを予め設定された条件に対応するイベント区間を検出することができる。よって、制御部１３０は、イベント検出部１３１を介して検出されたイベント区間に基づいて要約コンテンツ区間を決定し、決定された要約コンテンツ区間に対するブックマーキング情報を生成してレコーディング部１３３を介して生成された録画コンテンツとともにマッチングさせて保存部１６０に保存することができる。
【０４６０】
一方、制御部１３０は、視聴中のコンテンツと異なるコンテンツに対する要約コンテンツサービス命令が入力されると、第１チューナ部１１３−１を介して選局されたチャネルのコンテンツを出力するように出力部１２０を制御する。それと同時に、制御部１３０は、第２チューナ部１３３−３を介して選局されたチャネルのコンテンツに対する録画及びイベント検出を行うようにレコーディング部１３３とイベント検出部１３１とを制御する。それにより、レコーディング部１３３は、第２チューナ部１１３−３を介して選局されて受信されたコンテンツに対するレコーディングを行って録画コンテンツを生成し、それと同時にイベント検出部１３１は、第２チューナ部１１３−３を介して選局されて受信されたコンテンツの映像及びオーディオデータのうち少なくとも１つを予め設定された条件に対応するイベント区間を検出することができる。よって、制御部１３０は、イベント検出部１３１を介して検出されたイベント区間に基づいて当該コンテンツに対する要約コンテンツ区間を決定し、決定された要約コンテンツ区間に対するブックマーキング情報を生成してレコーディング部１３３を介して生成された録画コンテンツとともにマッチングさせて保存部１６０に保存することができる。
【０４６１】
これまで、本発明に係る放送受信装置１００の各構成について詳細に説明してきた。以下では、多様な実施形態を通じて要約コンテンツサービスを提供する放送受信装置１００に対する構成についてより具体的に説明する。ただ、要約コンテンツサービスに関連して各構成に対する動作の説明は、上記において詳細に説明しているため、以下では、図４９ないし図５８を参照して要約コンテンツサービスを提供する放送受信装置１００の構成方式について詳細に説明する。
【０４６２】
図４９は、本発明の一実施形態に係る要約コンテンツサービスを提供する放送受信装置の第１ブロック図である。
【０４６３】
図４９に示すように、デマルチプレキシング部１１１は、チューナ部１１３を介して選局された複数のチャネルのうちユーザの要請したチャネルのコンテンツを抽出し、抽出されたコンテンツをデータ処理部１５０及び制御部１３０をそれぞれ出力する。デマルチプレキシング部１１１を介してコンテンツを受信したデータ処理部１５０は、デコード部１５１を介してコンテンツの映像及びオーディオデータに対するデコードを行ってスケーラ１５３に出力し、スケーラ１５３は、デコードされた映像データに対するスケーリングを行ってタイミング駆動部１８０に出力する。タイミング駆動部１８０は、スケーラ１５３を介してスケーリングされた映像データに対応する駆動制御信号を生成し、映像出力部１２１はタイミング駆動部１８０で生成された駆動制御信号に基づいて映像データを出力する。
【０４６４】
一方、制御部１３０は、デマルチプレキシング部１１１を介して出力されたコンテンツが入力されると、レコーディング部１３３及びイベント検出部１３１を介して当該コンテンツに対する録画及びイベント区間を検出する。具体的に、レコーディング部１３３は、デマルチプレキシング部１１１から出力されたコンテンツに対するレコーディングを行って当該コンテンツに対する録画コンテンツを生成する。そして、イベント検出部１３１は、デマルチプレキシング部１１１から出力されたコンテンツの映像及びオーディオデータに対するデコードを行い、デコードされた映像データを分析して予め設定された条件に対応するイベント区間を検出する。このとき、イベント検出部１３１は、デコードされたオーディオデータも併せて分析して予め設定された条件に対応するイベント区間を検出することが望ましい。以下では、イベント検出部１３１において、コンテンツの映像データを分析して予め設定された条件に対応するイベント区間を検出することについてのみ説明する。
【０４６５】
制御部１３０は、イベント検出部１３１を介してイベント区間が検出されると、上述のように、イベント区間を含む要約コンテンツ区間を決定し、決定された要約コンテンツ区間の再生関連時間情報及び代表サムネールイメージを含むブックマーキング情報を生成する。その後、制御部１３０は、レコーディング部１３３を介して生成された録画コンテンツとブックマーキング情報とをマッチングさせて保存部１６０に保存することができる。
【０４６６】
図５０は、本発明の別の実施形態に係る要約コンテンツサービスを提供する放送受信装置の第２ブロック図である。
【０４６７】
図４９を参照して説明したように、デマルチプレキシング部１１１はユーザの要請したチャネルのコンテンツが抽出されると、当該コンテンツをデータ処理部１５０及び制御部１３０に出力する。それにより、データ処理部１５０は、映像データに対する信号処理を行い、映像出力部１２１はタイミング駆動部１８０の駆動制御信号に基づいて当該映像データを出力する。
【０４６８】
一方、データ処理部１５０のデコード部１５１は、図５０に示すように、デマルチプレキシング部１１１を介して出力されたコンテンツから映像データに対するデコードが行われると、デコードされた映像データを制御部１３０に出力する。それにより、レコーディング部１３３は、デマルチプレキシング部１１１から出力されたコンテンツに対するレコーディングを行って当該コンテンツに対する録画コンテンツを生成する。そして、イベント検出部１３１は、デコード部１５１から出力された映像データを分析して予め設定された条件に対応するイベント区間を検出する。このようなレコーディング部１３３及びイベント検出部１３１を介して録画コンテンツ生成及びイベント区間が検出されると、制御部１３０は、上述のように、録画コンテンツに対するブックマーキング情報を生成し、生成されたブックマーキング情報と録画コンテンツとを相互マッチングさせて保存部１６０に保存することができる。
【０４６９】
図５１は、本発明の更に別の実施形態に係る要約コンテンツサービスを提供する放送受信装置の第３ブロック図である。
【０４７０】
図４９を参照して説明したように、デマルチプレキシング部１１１はユーザの要請したチャネルのコンテンツが抽出されると、当該コンテンツをデータ処理部１５０及び制御部１３０に出力する。デマルチプレキシング部１１１を介してユーザの要請したチャネルのコンテンツが抽出されると、データ処理部１５０は映像データに対する信号処理を行い、映像出力部１２１はタイミング駆動部１８０の駆動制御信号に基づいて当該映像データを出力する。
【０４７１】
一方、データ処理部１５０のスケーラ１５３は、デコード部１５１を介してデコードされた映像データに対するスケーリングが行われると、図５１に示すように、スケーリングされた映像データを制御部１３０に出力する。それにより、レコーディング１３３は、デマルチプレキシング部１１１から出力されたコンテンツに対するレコーディングを行って当該コンテンツに対する録画コンテンツを生成する。そして、イベント検出部１３１は、スケーラ１５３からスケーリングされた映像データを分析して予め設定された条件に対応するイベント区間を検出する。このとき、イベント検出部１３１は、スケーリングされた映像データの解像度を考慮してイベント区間を検出することが望ましい。
【０４７２】
このようなレコーディング部１３３及びイベント検出部１３１を介してコンテンツ生成及びイベント区間が検出されると、制御部１３０は、上述のように、録画コンテンツに対するブックマーキング情報を生成し、生成されたブックマーキング情報と録画コンテンツとを相互マッチングさせて保存部１６０に保存することができる。
【０４７３】
図５２は、本発明の更に別の実施形態に係る要約コンテンツサービスを提供する放送受信装置の第４ブロック図である。
【０４７４】
図４９を参照して説明したように、デマルチプレキシング部１１１はユーザの要請したチャネルのコンテンツが抽出されると、当該コンテンツをデータ処理部１５０及び制御部１３０に出力する。それにより、データ処理部１５０は、映像データに対する信号処理を行い、映像出力部１２１はタイミング駆動部１８０の駆動制御信号に基づいて当該映像データを出力する。
【０４７５】
一方、タイミング駆動部１８０は、図５２に示すように、スケーラ１５３を介してスケーリングされた映像データに対する出力関連駆動制御信号を生成し、生成された駆動制御信号に基づいて映像出力部１２１に出力するタイミングに当該映像データを制御部１３０に出力する。それにより、レコーディング部１３３は、デマルチプレキシング部１１１から出力されたコンテンツに対するレコーディングを行って当該コンテンツに対する録画コンテンツを生成する。そして、イベント検出部１３１は、タイミング駆動部１８０から出力された映像データを分析して予め設定された条件に対応するイベント区間を検出する。このとき、イベント検出部１３１は、タイミング駆動部１８０の駆動制御信号に基づいて出力される映像データのＬＶＤＳ（Ｌｏｗ  Ｖｏｌｔａｇｅ  Ｄｉｆｆｅｒｅｎｔｉａｌ  Ｓｉｇｎａｌ）または差動信号（Ｄｉｆｆｅｒｅｎｔｉａｌ  Ｓｉｇｎａｌ）を分析して予め設定された条件に対応するイベント区間を検出することができる。
【０４７６】
このようなレコーディング部１３３及びイベント検出部１３１を介してコンテンツ生成及びイベント区間が検出されると、制御部１３０は、上述のように、録画コンテンツに対するブックマーキング情報を生成し、生成されたブックマーキング情報と録画コンテンツとを相互マッチングさせて保存部１６０に保存することができる。
【０４７７】
図５３は、本発明の更に別の実施形態に係る要約コンテンツサービスを提供する放送受信装置の第４ブロック図である。
【０４７８】
図４９を参照して説明したように、デマルチプレキシング部１１１はユーザの要請したチャネルのコンテンツが抽出されると、当該コンテンツをデータ処理部１５０及び制御部１３０に出力する。それにより、データ処理部１５０は、当該コンテンツの映像データに対する信号処理を行う。このとき、データ処理部１５０は、上述のデコード部１５１を介してデコードされた映像データをスケーラ１５３を介してスケーリングする前に、デインターレーシング部１５５を介してデコードされた映像データを順次走査映像に変換した後、スケーラ１５３を介して順次走査映像に変換された映像データに対するスケーリングを行うことができる。
【０４７９】
一方、デインターレーシング部１５５は、図５３に示すように、順次走査映像に変換された映像データをスケーラ１５３に出力すると同時に、当該映像データを制御部１３０に出力する。それにより、レコーディング部１３３は、デマルチプレキシング部１１１から出力されたコンテンツに対するレコーディングを行って当該コンテンツに対する録画コンテンツを生成する。そして、イベント検出部１３１は、デインターレーシング部１５５を介して順次走査映像に変換された映像データの入力解像度を考慮して予め設定された条件に対応するイベント区間を検出することができる。
【０４８０】
このようなレコーディング部１３３及びイベント検出部１３１を介してコンテンツ生成及びイベント区間が検出されると、制御部１３０は、上述のように、録画コンテンツに対するブックマーキング情報を生成し、生成されたブックマーキング情報と録画コンテンツとを相互マッチングさせて保存部１６０に保存することができる。
【０４８１】
図５４は、本発明の一実施形態に係る視聴中のコンテンツと異なるコンテンツに対する要約コンテンツサービスを提供する放送受信装置の第１ブロック図である。
【０４８２】
図５４に示すように、第１デマルチプレキシング部１１１−１は、第１チューナ部１１３−１を介して選局された複数のチャネルのうち、ユーザが視聴を要請したチャネルの第１コンテンツを抽出し、抽出された第１コンテンツをデータ処理部１５０に出力する。第１デマルチプレキシング部１１１−１を介してコンテンツを受信したデータ処理部１５０は、デコード部１５１を介してコンテンツの映像及びオーディオデータに対するデコードを行ってスケーラ１５３に出力し、スケーラ１５３は、デコードされた映像データに対するスケーリングを行ってタイミング駆動部１８０に出力する。タイミング駆動部１８０は、スケーラ１５３を介してスケーリングされた映像データに対応する駆動制御信号を生成し、映像出力部１２１はタイミング駆動部１８０で生成された駆動制御信号に基づいて映像データを出力する。
【０４８３】
一方、第２デマルチプレキシング部１１１−３は、第２チューナ部１１３−３を介して選局された複数のチャネルのうち、ユーザが要約コンテンツサービスを要請したチャネルの第２コンテンツを抽出し、抽出された第２コンテンツを制御部１３０に出力する。制御部１３０は、第２デマルチプレキシング部１１１−３を介して出力された第２コンテンツが入力されると、レコーディング部１３３及びイベント検出部１３１を介して第２コンテンツに対する録画及びイベント区間を検出する。上述のように、レコーディング部１３３は、第２デマルチプレキシング部１１１−３から出力された第２コンテンツに対するレコーディングを行って第２コンテンツに対する録画コンテンツを生成する。そして、イベント検出部１３１は、第２デマルチプレキシング部１１１−３から出力された第２コンテンツの映像データに対するデコードを行い、デコードされた映像データを分析して予め設定された条件に対応するイベント区間を検出する。
【０４８４】
このようなレコーディング部１３３及びイベント検出部１３１を介してコンテンツ生成及びイベント区間が検出されると、制御部１３０は、録画コンテンツに対するブックマーキング情報を生成し、生成されたブックマーキング情報と録画コンテンツとを相互マッチングさせて保存部１６０に保存することができる。
【０４８５】
図５５は、本発明の別の実施形態に係る視聴中のコンテンツと異なるコンテンツに対する要約コンテンツサービスを提供する放送受信装置の第２ブロック図である。
【０４８６】
図５５に示すように、第１デマルチプレキシング部１１１−１は、ユーザが視聴を要請したチャネルの第１コンテンツが抽出されると、第１コンテンツをデータ処理部１５０に出力する。それにより、データ処理部１５０の第１デコード部１５１−１は、第１コンテンツの映像及びオーディオデータに対するデコードを行い、スケーラ１５３は第１デコード部１５１−１からデコードされた映像データをスケーリングしてタイミング駆動部１８０に伝達する。それにより、映像出力部１２１は、タイミング駆動部１８０の駆動制御信号に基づいて第１コンテンツの映像データを出力する。
【０４８７】
一方、第２デマルチプレキシング部１１１−３は、第２チューナ部１１３−３を介して選局された複数のチャネルのうち、ユーザが要約コンテンツサービスを要請したチャネルの第２コンテンツを抽出し、抽出された第２コンテンツをデータ処理部１５０及び制御部１３０に出力する。
【０４８８】
それにより、データ処理部１５０の第２デコード部１５１−３は、第２コンテンツの映像及びオーディオデータに対するデコードを行い、デコードされた映像データを制御部１３０に出力する。制御部１３０は、第２デマルチプレキシング部１１１−３を介して出力された第２コンテンツと、第２デコード部１５１−３を介してデコードされた映像データが入力されると、レコーディング部１３３及びイベント検出部１３１を介して第２コンテンツに対する録画及びイベント区間を検出する。具体的に、レコーディング部１３３は、第２デマルチプレキシング部１１１−３から出力された第２コンテンツに対するレコーディングを行って第２コンテンツに対する録画コンテンツを生成する。そして、イベント検出部１３１は、第２デコード部１５１−３からデコードされた映像データを分析して予め設定された条件に対応するイベント区間を検出する。
【０４８９】
このようなレコーディング部１３３及びイベント検出部１３１を介してコンテンツ生成及びイベント区間が検出されると、制御部１３０は、録画コンテンツに対するブックマーキング情報を生成し、生成されたブックマーキング情報と録画コンテンツとを相互マッチングさせて保存部１６０に保存することができる。
【０４９０】
図５６は、本発明の更に別の実施形態に係る視聴中のコンテンツと異なるコンテンツに対する要約コンテンツサービスを提供する放送受信装置の第３ブロック図である。
【０４９１】
図５６に示すように、第１デマルチプレキシング部１１１−１は、ユーザが視聴を要請したチャネルの第１コンテンツが抽出されると、第１コンテンツをデータ処理部１５０に出力する。それにより、データ処理部１５０の第１デコード部１５１−１は、第１コンテンツの映像及びオーディオデータに対するデコードを行い、第１スケーラ１５３−１は第１デコード部１５１−１からデコードされた映像データをスケーリングしてタイミング駆動部１８０に伝達する。それにより、映像出力部１２１は、タイミング駆動部１８０の駆動制御信号に基づいて第１コンテンツの映像データを出力する。
【０４９２】
一方、第２デマルチプレキシング部１１１−３は、第２チューナ部１１３−３を介して選局された複数のチャネルのうち、ユーザが要約コンテンツサービスを要請したチャネルの第２コンテンツを抽出し、抽出された第２コンテンツをデータ処理部１５０及び制御部１３０に出力する。それにより、データ処理部１５０の第２デコード部１５１−３は、第２コンテンツの映像及びオーディオデータに対するデコードを行い、第２スケーラ１５３−３は、第２デコード部１５１−３からデコードされた映像データをスケーリングされて制御部１３０に出力する。制御部１３０は、第２デマルチプレキシング部１１１−３を介して出力された第２コンテンツと、第２スケーラ１５３−３を介してスケーリングされた映像データが入力されると、レコーディング部１３３及びイベント検出部１３１を介して第２コンテンツに対する録画及びイベント区間を検出する。具体的に、レコーディング部１３３は、第２デマルチプレキシング部１１１−３から出力された第２コンテンツに対するレコーディングを行って第２コンテンツに対する録画コンテンツを生成する。そして、イベント検出部１３１は、第２スケーラ１５３−３からスケーリングされた映像データを分析して予め設定された条件に対応するイベント区間を検出する。このとき、イベント検出部１３１は、スケーリングされた映像データの解像度を考慮してイベント区間を検出することが望ましい。
【０４９３】
このようなレコーディング部１３３及びイベント検出部１３１を介してコンテンツ生成及びイベント区間が検出されると、制御部１３０は、録画コンテンツに対するブックマーキング情報を生成し、生成されたブックマーキング情報と録画コンテンツとを相互マッチングさせて保存部１６０に保存することができる。
【０４９４】
図５７は、本発明の更に別の実施形態に係る視聴中のコンテンツと異なるコンテンツに対する要約コンテンツサービスを提供する放送受信装置の第４ブロック図である。
【０４９５】
図５７に示すように、第１デマルチプレキシング部１１１−１は、ユーザが視聴を要請したチャネルの第１コンテンツが抽出されると、第１コンテンツをデータ処理部１５０に出力する。それにより、データ処理部１５０の第１デコード部１５１−１は、第１コンテンツの映像及びオーディオデータに対するデコードを行い、第１スケーラ１５３−１は第１デコード部１５１−１からデコードされた映像データをスケーリングしてタイミング駆動部１８０に伝達する。それにより、映像出力部１２１は、タイミング駆動部１８０の駆動制御信号に基づいて第１コンテンツの映像データを出力する。
【０４９６】
一方、第２デマルチプレキシング部１１１−３は、第２チューナ部１１３−３を介して選局された複数のチャネルのうち、ユーザが要約コンテンツサービスを要請したチャネルの第２コンテンツを抽出し、抽出された第２コンテンツをデータ処理部１５０及び制御部１３０に出力する。
【０４９７】
それにより、データ処理部１５０の第２デコード部１５１−３は、第２コンテンツの映像及びオーディオデータに対するデコードを行い、デインターレーシング部１５５は、第２デコード部１５１−３からデコードされた映像データを順次走査映像に変換した後、制御部１３０に出力する。制御部１３０は、第２デマルチプレキシング部１１１−３を介して出力された第２コンテンツと、デインターレーシング部１５５を介して順次走査映像に変換された映像データが入力されると、レコーディング部１３３及びイベント検出部１３１を介して第２コンテンツに対する録画及びイベント区間を検出する。具体的に、レコーディング部１３３は、第２デマルチプレキシング部１１１−３から出力された第２コンテンツに対するレコーディングを行って第２コンテンツに対する録画コンテンツを生成する。そして、イベント検出部１３１は、デインターレーシング部１５５を介して順次走査映像に変換された映像データの入力解像度を考慮して予め設定された条件に対応するイベント区間を検出することができる。
【０４９８】
このようなレコーディング部１３３及びイベント検出部１３１を介してコンテンツ生成及びイベント区間が検出されると、制御部１３０は、録画コンテンツに対するブックマーキング情報を生成し、生成されたブックマーキング情報と録画コンテンツとを相互マッチングさせて保存部１６０に保存することができる。
【０４９９】
図５８は、本発明の更に別の実施形態に係る視聴中のコンテンツと異なるコンテンツに対する要約コンテンツサービスを提供する放送受信装置の第５ブロック図である。
【０５００】
図５８に示すように、第１デマルチプレキシング部１１１−１は、ユーザが視聴を要請したチャネルの第１コンテンツが抽出されると、第１コンテンツをデータ処理部１５０に伝達する。それにより、データ処理部１５０の第１デコード部１５１−１は、第１コンテンツの映像及びオーディオデータに対するデコードを行い、第１スケーラ１５３−１は第１デコード部１５１−１からデコードされた映像データをスケーリングして第１タイミング駆動部１８０−１に出力する。それにより、映像出力部１２１は、第１タイミング駆動部１８０−１の駆動制御信号に基づいて第１コンテンツの映像データを出力する。
【０５０１】
一方、第２デマルチプレキシング部１１１−３は、第２チューナ部１１３−３を介して選局された複数のチャネルのうち、ユーザが要約コンテンツサービスを要請したチャネルの第２コンテンツを抽出し、抽出された第２コンテンツをデータ処理部１５０及び制御部１３０に伝達する。それにより、データ処理部１５０の第２デコード部１５１−３は、第２コンテンツの映像及びオーディオデータに対するデコードを行い、第２スケーラ１４３−２は、デコードされた映像データをスケーリングして第２タイミング駆動部１８０−２に出力する。映像データの出力のための駆動制御信号を生成する第２タイミング駆動部１８０−２はスケーリングされた映像データが入力されると、当該映像データを制御部１３０に出力する。
【０５０２】
制御部１３０は、第２デマルチプレキシング部１１１−３を介して出力された第２コンテンツと第２タイミング駆動部１８０−２を介して伝達された映像データが入力されると、レコーディング部１３３及びイベント検出部１３１を介して第２コンテンツに対する録画及びイベント区間を検出する。具体的に、レコーディング部１３３は、第２デマルチプレキシング部１１１−３から伝達された第２コンテンツに対するレコーディングを行って第２コンテンツに対する録画コンテンツを生成する。そして、イベント検出部１３１は、第２タイミング駆動部１８０−２を介して出力された映像データの映像イメージに対するＬＶＤＳ（Ｌｏｗ  Ｖｏｌｔａｇｅ  Ｄｉｆｆｅｒｅｎｔｉａｌ  Ｓｉｇｎａｌ）または差動信号（Ｄｉｆｆｅｒｅｎｔｉａｌ  Ｓｉｇｎａｌ）を分析して予め設定された条件に対応するイベント区間を検出することができる。
【０５０３】
このようなレコーディング部１３３及びイベント検出部１３１を介してコンテンツ生成及びイベント区間が検出されると、制御部１３０は、録画コンテンツに対するブックマーキング情報を生成し、生成されたブックマーキング情報と録画コンテンツとを相互マッチングさせて保存部１６０に保存することができる。
【０５０４】
これまで、多様な実施形態を通じて要約コンテンツサービスを提供する放送受信装置１００の各構成について詳細に説明してきた。以下では、本発明に係る放送受信装置１００で要約コンテンツサービスを提供する方法について詳細に説明する。
【０５０５】
図５９は、本発明の一実施形態に係る放送受信装置で要約コンテンツサービス関連ブックマーキング情報を生成する方法のフローチャートである。
【０５０６】
図５９に示すように、放送受信装置１００は要約コンテンツサービスに対するユーザ命令に応じて、当該ユーザ命令に対応するチャネルからコンテンツを受信し、受信されたコンテンツの映像及びオーディオデータを出力可能な形態に信号処理して出力する（Ｓ５９１０）。このようなコンテンツを出力している状態で、放送受信装置１００は他コンテンツに対する録画命令が入力されるか否かを判断する（Ｓ５９２０）。
【０５０７】
判断の結果、他コンテンツに対する録画命令が入力されていない場合、放送受信装置１００は出力されるコンテンツに対する録画コンテンツ生成及び当該コンテンツに対する要約コンテンツ区間を決定する（Ｓ５９３０）。具体的に、放送受信装置１００は、他コンテンツに対する録画命令が入力されないと、出力されるコンテンツの映像及びオーディオデータのうち少なくとも１つを分析し、予め設定された条件に対応するイベント区間を検出する。一方、放送受信装置１００は、他コンテンツに対する録画命令が入力されると、入力された録画命令に対応するチャネルから出力されるコンテンツ（以下、第１コンテンツという）と異なる他コンテンツ（以下、第２コンテンツという）を受信する。その後、放送受信装置１００は、第２コンテンツに対する録画コンテンツ生成及び第２コンテンツに対する要約コンテンツ区間を決定する（Ｓ５９４０）。第１または第２コンテンツに対する要約コンテンツ区間が決定されると、放送受信装置１００は当該要約コンテンツ区間に対するブックマーキング情報を生成し、生成されたブックマーキング情報と録画コンテンツとを相互マッチングさせて保存する（Ｓ５９５０）。
【０５０８】
具体的に、放送受信装置１００は、視聴中の第１コンテンツまたは視聴中の第１コンテンツと異なる第２コンテンツの映像及びオーディオデータのうち少なくとも１つを分析して予め設定された条件に対応するイベント区間を検出する。
【０５０９】
一実施形態によって、放送受信装置１００は、第１または第２コンテンツに対する映像データを分析して予め設定された試合状況条件に対応する映像区間をイベント区間として検出することができる。別の実施形態によって、放送受信装置１００は第１または第２コンテンツに対するオーディオデータを分析して予め設定された臨界レベル以上のオーディオ信号レベルを有する映像区間をイベント区間として検出することができる。このようなイベント区間が検出されると、放送受信装置１００は予め検出されたイベント区間を含む要約コンテンツ区間を決定し、当該要約コンテンツ区間のみを選択的に出力するためのブックマーキング情報を生成する。ここで、ブックマーキング情報は、イベント区間を含む要約コンテンツ区間の再生開始及び終了時点の時間情報を含むことができる。
【０５１０】
このとき、放送受信装置１００は、予め検出されたイベント区間を含む要約コンテンツ区間が決定されると、決定された要約コンテンツ区間に含まれた映像イメージのうち１つの映像イメージを代表サムネールイメージに決定する。実施形態によって、放送受信装置１００は、イベント区間を含む要約コンテンツ区間に含まれた映像イメージのうち、ズームイン映像イメージを代表サムネールイメージに決定することができる。このように、要約コンテンツ区間に対する代表サムネールイメージが決定されると、放送受信装置は、予め決定された代表サムネールイメージと当該代表サムネールイメージに関連する要約コンテンツ区間の再生開始及び終了時点の時間情報を含むブックマーキング情報を生成する。その後、放送受信装置１００は、第１または第２コンテンツに関連する録画コンテンツ及び当該録画コンテンツに対するブックマーキング情報を相互マッチングさせて保存する。
【０５１１】
図６０は、本発明の一実施形態に係る放送受信装置で要約コンテンツサービス関連録画コンテンツを出力するフローチャートである。
【０５１２】
図６０に示すように、放送受信装置１００はコンテンツ再生関連ユーザ命令が入力されると、予め保存された複数の録画コンテンツのうち、入力されたユーザ命令に対応する録画コンテンツに対する映像及びオーディオデータを出力する（Ｓ６０１０）。このような録画コンテンツが出力されている状態で、放送受信装置１００は要約コンテンツサービス関連ユーザ命令が入力されるか否かを判断する（Ｓ６０２０）。判断の結果、要約コンテンツサービス関連ユーザ命令が入力されると、放送受信装置１００は録画コンテンツの特定映像区間のみを選択的に出力する（Ｓ６０３０）。ここで、特定映像区間は予め検出されたイベント区間を含む要約コンテンツ区間であってよい。
【０５１３】
具体的に、放送受信装置１００は要約コンテンツサービス関連ユーザ命令が入力されると、録画コンテンツの再生時間情報に基づいて当該録画コンテンツに対するブックマーキング情報に含まれた時間情報に対応する映像区間である要約コンテンツ区間のみを選択的に出力する。一方、ステップＳ６０１０において、放送受信装置１００はコンテンツ再生命令に応じて、予め保存された複数の録画コンテンツのうち、入力されたコンテンツ再生命令に対応する録画コンテンツを獲得し、獲得した録画コンテンツに関連するブックマーキング情報が保存されているか否かを判断する。判断の結果、録画コンテンツに関連するブックマーキング情報が保存されていると、放送受信装置１００はコンテンツ再生命令に対応する録画コンテンツ及びブックマーキング情報に含まれた代表サムネールイメージを出力する。すなわち、放送受信装置１００は、第１領域上に録画コンテンツに対する映像データを出力し、第２領域上に複数の代表サムネールイメージを出力する。
【０５１４】
よって、このような複数の代表サムネールイメージのうち１つの代表サムネールイメージが選択されると、放送受信装置１００は選択された代表サムネールイメージに関連する要約コンテンツ区間が再生される時点から録画コンテンツを出力することができる。
【０５１５】
一方、上述の放送受信装置１００における要約コンテンツサービス方法は、コンピュータで実行可能なアルゴリズムを含むプログラムで実現でき、前記プログラムは非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【０５１６】
非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０５１７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006419306.tif 000002
【図２】
0006419306.tif 000003
【図３】
0006419306.tif 000004
【図４】
0006419306.tif 000005
【図５】
0006419306.tif 000006
【図６】
0006419306.tif 000007
【図７】
0006419306.tif 000008
【図８】
0006419306.tif 000009
【図９】
0006419306.tif 000010
【図１０】
0006419306.tif 000011
【図１１】
0006419306.tif 000012
【図１２】
0006419306.tif 000013
【図１３】
0006419306.tif 000014
【図１４】
0006419306.tif 000015
【図１５】
0006419306.tif 000016
【図１６】
0006419306.tif 000017
【図１７】
0006419306.tif 000018
【図１８】
0006419306.tif 000019
【図１９】
0006419306.tif 000020
【図２０】
0006419306.tif 000021
【図２１】
0006419306.tif 000022
【図２２】
0006419306.tif 000023
【図２３】
0006419306.tif 000024
【図２４】
0006419306.tif 000025
【図２５】
0006419306.tif 000026
【図２６】
0006419306.tif 000027
【図２７】
0006419306.tif 000028
【図２８】
0006419306.tif 000029
【図２９】
0006419306.tif 000030
【図３０】
0006419306.tif 000031
【図３１】
0006419306.tif 000032
【図３２】
0006419306.tif 000033
【図３３】
0006419306.tif 000034
【図３４】
0006419306.tif 000035
【図３５】
0006419306.tif 000036
【図３６】
0006419306.tif 000037
【図３７】
0006419306.tif 000038
【図３８】
0006419306.tif 000039
【図３９】
0006419306.tif 000040
【図４０】
0006419306.tif 000041
【図４１】
0006419306.tif 000042
【図４２】
0006419306.tif 000043
【図４３】
0006419306.tif 000044
【図４４】
0006419306.tif 000045
【図４５】
0006419306.tif 000046
【図４６】
0006419306.tif 000047
【図４７】
0006419306.tif 000048
【図４８】
0006419306.tif 000049
【図４９】
0006419306.tif 000050
【図５０】
0006419306.tif 000051
【図５１】
0006419306.tif 000052
【図５２】
0006419306.tif 000053
【図５３】
0006419306.tif 000054
【図５４】
0006419306.tif 000055
【図５５】
0006419306.tif 000056
【図５６】
0006419306.tif 000057
【図５７】
0006419306.tif 000058
【図５８】
0006419306.tif 000059
【図５９】
0006419306.tif 000060
【図６０】
0006419306.tif 000061